(57)【要約】【課題】遊技の興趣を向上させる遊技機を提供する。【解決手段】パチンコ遊技機は、第１特図ゲームと第２特図ゲームとを並行して実行させることが可能である。高確高ベース状態は、第１特図ゲームが実行されて大当りが導出されたときの大当り遊技状態の終了後の方が、第２特図ゲームが実行されて大当りが導出されたときの大当り遊技状態の終了後よりも終了しやすい。高確高ベース状態が終了しない期間を報知する残り時間報知を実行可能であり、残り時間報知は、第１特図ゲームの保留に変動時間が長い保留があるときに短い時間の延長をしやすい。【選択図】図３９
2015223310.tif 000002
【特許請求の範囲】
【請求項１】
第１識別情報の可変表示を実行して表示結果を導出する第１可変表示手段と、第２識別情報の可変表示を実行して表示結果を導出する第２可変表示手段とのいずれかに特定表示結果が導出されたときに特定遊技状態に移行する遊技機であって、
第１識別情報の可変表示と第２識別情報の可変表示とを並行して実行させることが可能な可変表示実行手段と、
遊技状態を制御する遊技状態制御手段と、
未だ開始されていない第１識別情報の可変表示を保留記憶として記憶する保留記憶手段と、
前記保留記憶手段によって記憶される保留記憶に対応する第１識別情報の可変表示を判定する判定手段と、を備え、
前記遊技状態制御手段は、前記特定遊技状態の終了後の遊技状態を、遊技者にとって有利な有利状態に制御可能であり、
前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすく、
前記遊技機は、
少なくとも第１識別情報の可変表示において前記有利状態を終了させることとなる表示結果が導出されない非導出期間を報知する期間報知演出を実行する期間報知演出実行手段と、
報知されている前記非導出期間を延長する延長演出を実行する延長演出実行手段と、
をさらに備え、
前記延長演出は、第１延長演出と、当該第１延長演出よりも延長する延長期間が短い第２延長演出と、を含み、
前記延長演出実行手段は、前記保留記憶手段によって記憶されている保留記憶に、可変表示期間が特定期間以上となる保留記憶が含まれるときに、前記第２延長演出を実行しやすい、
ことを特徴とする遊技機。
【請求項２】
少なくとも第１識別情報の可変表示に対応して装飾識別情報の可変表示を実行して装飾表示結果を導出する装飾可変表示実行手段をさらに備える、
ことを特徴とする請求項１に記載の遊技機。
【発明の詳細な説明】
【技術分野】
【０００１】
本発明は、パチンコ遊技機などの遊技機に関する。
【背景技術】
【０００２】
特許文献１には、第１識別情報（特許文献１では、第１特図）の可変表示及び第２識別情報（特許文献１では、第２特図）の可変表示を同時に実行可能で、可変表示の表示結果として特定表示結果（特許文献１では、大当り）が導出されたときに特定遊技状態（特許文献１では、大当り遊技）に移行する遊技機であって、特定遊技状態の終了後の遊技状態を、遊技者にとって有利な有利状態（特許文献１では、第２特別図柄始動口の開放作動を延長する状態（所謂高ベース状態））に制御可能であり、前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすい（特許文献１では、第２特図での大当りの後の方が高ベース状態になりやすい）遊技機が開示されている。そして、当該遊技機では、少なくとも第１識別情報の可変表示において前記有利状態を終了させることとなる表示結果が導出されない非導出期間を報知する期間報知演出（特許文献１では、カウントダウン演出）を実行する。
【先行技術文献】
【特許文献】
【０００３】
【特許文献１】特開２０１３−２４０５８８号公報
【発明の概要】
【発明が解決しようとする課題】
【０００４】
上記特許文献１の遊技機では、非導出期間の報知が単調であり、遊技の興趣を向上させることができない。
【０００５】
本発明は、上記実情に鑑みてなされたものであり、遊技の興趣を向上させる遊技機を提供することを目的とする。
【課題を解決するための手段】
【０００６】
（１）上記目的を達成するため本発明に係る遊技機は、
第１識別情報（例えば、第１特別図柄など）の可変表示を実行して表示結果を導出する第１可変表示手段（例えば、第１特別図柄表示装置４Ａなど）と、第２識別情報（例えば、第２特別図柄など）の可変表示を実行して表示結果を導出する第２可変表示手段（例えば、第２特別図柄表示装置４Ｂなど）とのいずれかに特定表示結果（例えば、大当り図柄など）が導出されたときに特定遊技状態（例えば、大当り遊技状態など）に移行する遊技機（例えば、パチンコ遊技機１など）であって、
第１識別情報の可変表示と第２識別情報の可変表示とを並行して実行させることが可能な可変表示実行手段（例えば、ステップＳ９２１とステップＳ９２２とを実行するＣＰＵ１０３など）と、
遊技状態を制御する遊技状態制御手段（例えば、ステップＳ１５０３やステップＳ２５０３などで高確高ベースフラグをオン状態とするＣＰＵ１０３など）と、
未だ開始されていない第１識別情報の可変表示を保留記憶として記憶する保留記憶手段（例えば、第１特図保留記憶部など）と、
前記保留記憶手段によって記憶される保留記憶に対応する第１識別情報の可変表示を判定する判定手段（例えば、ステップＳ１００６の判定結果に基づいてステップＳ８８４の処理を実行する演出制御用ＣＰＵ１２０など）と、を備え、
前記遊技状態制御手段は、前記特定遊技状態の終了後の遊技状態を、遊技者にとって有利な有利状態（例えば、高確高ベース状態など）に制御可能であり（例えば、ステップＳ１５０３やステップＳ２５０３などで高確高ベースフラグをオン状態とするなど）、
前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすく（例えば、第１特図ゲームでは、高確高ベース状態を終了させる「５Ｒ短期」の「大当り」が導出表示されるが、第２特図ゲームでは、高確高ベース状態を終了させる「５Ｒ短期」の「大当り」が導出表示されないなど）、
前記遊技機は、
少なくとも第１識別情報の可変表示において前記有利状態を終了させることとなる表示結果が導出されない非導出期間を報知する期間報知演出（例えば、チャンス期間において実行される残り時間報知など）を実行する期間報知演出実行手段（例えば、ステップＳ８６２の処理を実行する演出制御用ＣＰＵ１２０など）と、
報知されている前記非導出期間を延長する延長演出（例えば、延長報知など）を実行する延長演出実行手段（例えば、ステップＳ８６９の処理を実行する演出制御用ＣＰＵ１２０など）と、
をさらに備え、
前記延長演出は、第１延長演出（例えば、延長する時間が４０秒又は５０秒の長期延長報知など）と、当該第１延長演出よりも延長する延長期間が短い第２延長演出（例えば、延長する時間が１０秒又は２０秒の短期延長報知など）と、を含み、
前記延長演出実行手段は、前記保留記憶手段によって記憶されている保留記憶に、可変表示期間が前記特定期間以上となる保留記憶が含まれるときに、前記第２延長演出を実行しやすい（例えば、第１特別図柄の可変表示の保留記憶に長期変動の変動パターンの保留記憶が含まれているときに短期延長報知を実行する演出制御用ＣＰＵ１２０など）、
ことを特徴とする。
【０００７】
上記の構成によれば、延長演出によって、非導出期間の報知が単調になってしまうことを防止でき、遊技の興趣を向上させることができる。
【０００８】
（２）上記（１）の遊技機において、
少なくとも第１識別情報の可変表示に対応して装飾識別情報の可変表示を実行して装飾表示結果を導出する装飾可変表示実行手段（例えば、ステップＳ３７２の処理を実行する演出制御用ＣＰＵ１２０など）さらに備える、
ようにしてもよい。
【０００９】
上記の構成によれば、装飾可変表示実行手段によって、遊技の興趣を向上させることができる。
【００１０】
（３）上記（１）又は（２）の遊技機において、
前記延長演出実行手段は、前記保留記憶手段によって記憶された保留記憶に、可変表示期間が前記特定期間以上となる保留記憶が含まれるときにおいて、当該保留記憶が含まれないときに前記延長演出で延長し得る延長期間のうちの最も短い延長期間（例えば、長期延長報知において延長し得る最も短い３０秒など）よりも短い延長期間（例えば、短期延長報知において延長し得る最も短い１０秒など）で前記非導出期間を延長する延長演出を実行可能である（例えば、ステップＳ８６９の処理を実行する演出制御用ＣＰＵ１２０など）、
ようにしてもよい。
【００１１】
上記の構成によれば、延長演出によって、遊技の興趣を向上させることができる。
【００１２】
（４）上記（１）〜（３）のいずれかの遊技機において、
前記延長演出実行手段は、前記延長演出として、可変表示期間が前記特定期間以上である第１識別情報の可変表示の実行中に、短い延長期間で前記非導出期間を延長する演出を実行したあとに、当該短い延長期間よりも長い延長期間で前記非導出期間を延長する演出を実行可能である（例えば、図５４（Ｂ）のように、延長時間を上乗せする延長報知を実行する演出制御用ＣＰＵ１２０など）、
ようにしてもよい。
【００１３】
上記の構成によれば、延長期間が短くても、当該延長期間が長くなる可能性があるので、期待感が持続し、遊技の興趣を向上させることができる。
【００１４】
（５）上記（１）〜（４）のいずれかの遊技機において、
前記延長演出実行手段は、可変表示期間が前記特定期間以上である第１識別情報の可変表示の実行中に前記第２延長演出を実行しやすい（例えば、実行中の第１特別図柄の可変表示の変動パターンが長期変動である場合に、短期延長報知を実行する演出制御用ＣＰＵ１２０など）、
ようにしてもよい。
【００１５】
上記の構成によれば、延長演出によって、非導出期間の報知が単調になってしまうことを防止でき、遊技の興趣を向上させることができる。
【００１６】
（６）上記（５）の遊技機において、
前記延長演出実行手段は、可変表示期間が前記特定期間以上である第１識別情報の可変表示の実行中において、可変表示期間が前記特定期間未満である第１識別情報の可変表示の実行中に前記延長演出で延長し得る延長期間のうちの最も短い延長期間（例えば、長期延長報知において延長し得る最も短い３０秒など）よりも短い延長期間（例えば、短期延長報知において延長し得る最も短い１０秒など）で前記非導出期間を延長する延長演出を実行可能である（例えば、ステップＳ８６９の処理を実行する演出制御用ＣＰＵ１２０など）、
ようにしてもよい。
【００１７】
上記の構成によれば、延長演出によって、遊技の興趣を向上させることができる。
【図面の簡単な説明】
【００１８】
【図１】本発明の１つの実施の形態におけるパチンコ遊技機の正面図である。
【図２】パチンコ遊技機に搭載された各種の制御基板などを示す構成図である。
【図３】大当り遊技状態の態様例を示す図である。
【図４】第１特図ゲームと第２特図ゲームとの関係を示す図である。
【図５】演出制御パターンの一例を示す図である。
【図６】特別図柄プロセス処理の一例を示すフローチャートである。
【図７】第１特別図柄プロセス処理の一例を示すフローチャートである。
【図８】第１始動入賞判定処理の一例を示すフローチャートである。
【図９】第１特図保留記憶部の構成一例を示す図である。
【図１０】入賞時乱数値判定処理の一例を示すフローチャートである。
【図１１】第１特別図柄通常処理の一例を示すフローチャートである。
【図１２】第１特図表示結果決定テーブルの構成例を示す説明図である。
【図１３】第１大当り種別決定テーブルの構成例を示す説明図である。
【図１４】第１変動パターン設定処理の一例を示すフローチャートである。
【図１５】第１特図用の変動パターンの構成例を示す図である。
【図１６】第１特図大当り時変動パターン決定テーブルの構成例を示す図である。
【図１７】第１特図ハズレ時変動パターン決定テーブルの構成例を示す図である。
【図１８】第１特別図柄停止処理の一例を示すフローチャートである。
【図１９】図７のステップＳ１１５内で実行される処理の一例を示すフローチャートである。
【図２０】第１大当り終了処理の一例を示すフローチャートである。
【図２１】第２特別図柄プロセス処理の一例を示すフローチャートである。
【図２２】第２始動入賞判定処理の一例を示すフローチャートである。
【図２３】第２特図保留記憶部の構成一例を示す図である。
【図２４】第２特別図柄通常処理の一例を示すフローチャートである。
【図２５】第２特図表示結果決定テーブルの構成例を示す説明図である。
【図２６】第２大当り種別決定テーブルの構成例を示す説明図である。
【図２７】第２変動パターン設定処理の一例を示すフローチャートである。
【図２８】第２特図用の変動パターンの構成例を示す図である。
【図２９】第２特図大当り時変動パターン決定テーブルの構成例を示す図である。
【図３０】第２特図ハズレ時変動パターン決定テーブルの構成例を示す図である。
【図３１】第２特別図柄停止処理の一例を示すフローチャートである。
【図３２】図２１のステップＳ２１５内で実行される処理の一例を示すフローチャートである。
【図３３】第２大当り終了処理の一例を示すフローチャートである。
【図３４】コマンド解析処理の一例を示すフローチャートである。
【図３５】演出制御基板側で受信した演出制御コマンドについての処理内容を説明する図である。
【図３６】始動入賞時コマンドバッファの構成例を示す説明図である。
【図３７】演出制御プロセス処理の一例を示すフローチャートである。
【図３８】繰り下げ決定テーブルの構成例を示す説明図である。
【図３９】延長報知処理の一例を示すフローチャートである。
【図４０】長期延長決定テーブル及び短期延長決定テーブルの構成例を示す図である。
【図４１】第１演出制御プロセス処理の一例を示すフローチャートである。
【図４２】第１可変表示開始設定処理の一例を示すフローチャートである。
【図４３】第１演出制御パターン決定処理の一例を示すフローチャートである。
【図４４】第１可変表示中演出処理の一例を示すフローチャートである。
【図４５】飾り図柄の可変表示の最終停止図柄の一例を示す図である。
【図４６】図４１のステップＳ３７３の処理が実行されているときに実行される処理の一例を示すフローチャートである。
【図４７】図４１のステップＳ３７５の処理が実行されているときに実行される処理の一例を示すフローチャートである。
【図４８】第２演出制御プロセス処理の一例を示すフローチャートである。
【図４９】第２表示開始設定処理の一例を示すフローチャートである。
【図５０】第２表示中演出処理の一例を示すフローチャートである。
【図５１】遊技状態の変化などについて説明するための図である。
【図５２】演出画面の一例を示す図である。
【図５３】演出画面の一例を示す図である。
【図５４】演出画面の一例を示す図である。
【図５５】演出画面の一例を示す図である。
【図５６】演出画面の一例を示す図である。
【図５７】チャンス期間と残り時間報知との関係例を示す図である。
【図５８】特定演出を実行する可変表示を決定する様子を示す図である。
【図５９】特定演出の繰り下げの様子を示す図である。
【図６０】延長報知を説明するための図である。
【図６１】延長報知の態様を説明するための図である。
【図６２】特定演出の実行期間の拡大を説明するための図である。
【図６３】残り時間延長処理の一例を示すフローチャートである。
【図６４】残り時間延長処理の一例を示すフローチャートである。
【図６５】延長報知の態様を説明するための図である。
【図６６】変形例を説明するための図である。
【図６７】大当り種別と、大当り後に使用される変動パターン決定テーブルと、の関係例を説明する図である。
【図６８】飾り図柄の可変表示の最終停止図柄の一例を示す図である。
【発明を実施するための形態】
【００１９】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００２０】
遊技盤２の所定位置（図１に示す例では、遊技領域の右側方）には、第１特別図柄表示装置４Ａと、第２特別図柄表示装置４Ｂとが設けられている。第１特別図柄表示装置４Ａと第２特別図柄表示装置４Ｂとはそれぞれ、例えば７セグメントやドットマトリクスのＬＥＤ（発光ダイオード）等から構成されている。第１特別図柄表示装置４Ａと第２特別図柄表示装置４Ｂとのそれぞれにおいては、可変表示ゲームの一例となる特図ゲームとして、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂとはそれぞれ、「０」〜「９」を示す数字や「−」を示す記号等から構成される複数種類の特別図柄を可変表示する。そして、可変表示の最後に、特図ゲームにおける可変表示結果として確定特別図柄が停止表示される。なお、確定特別図柄は、可変表示中に表示される特別図柄とは異なるものであってもよい。
【００２１】
なお、第１特別図柄表示装置４Ａや第２特別図柄表示装置４Ｂにおいて表示される特別図柄は、「０」〜「９」を示す数字や「−」を示す記号等から構成されるものに限定されず、例えば７セグメントのＬＥＤにおいて点灯させるものと消灯させるものとの組合せを異ならせた複数種類の点灯パターン（全て消灯しているパターンを含んでもよい。）が、複数種類の特別図柄として予め設定されていればよい。以下では、第１特別図柄表示装置４Ａにおいて可変表示される特別図柄を「第１特別図柄」、「第１特図」ともいい、第２特別図柄表示装置４Ｂにおいて可変表示される特別図柄を「第２特別図柄」、「第２特図」ともいう。なお、この実施の形態では、第１特図を用いた特図ゲーム（第１特図ゲームともいう。）（第１特図の可変表示）と、第２特図を用いた特図ゲーム（第２特図ゲームともいう。）（第２特図の可変表示）と、は同時に並行して行われることもある。
【００２２】
遊技盤２における遊技領域の中央付近には、画像表示装置５が設けられている。画像表示装置５は、例えばＬＣＤ（液晶表示装置）等から構成され、各種の演出画像を表示する表示領域を形成している。画像表示装置５の画面上（主に、メイン画面となる領域５Ａ）では、第１特図ゲームに対応して、例えば３つといった複数の可変表示部となる飾り図柄表示エリアにて、各々を識別可能な複数種類の識別情報（装飾識別情報）である飾り図柄が可変表示される。この飾り図柄の可変表示も、可変表示ゲームに含まれる。
【００２３】
一例として、画像表示装置５の画面上には、「左」、「中」、「右」の飾り図柄表示エリア５Ｌ、５Ｃ、５Ｒが配置されている。そして、第１特図ゲーム（第１特図の可変表示）が開始されることに対応して、「左」、「中」、「右」の各飾り図柄表示エリア５Ｌ、５Ｃ、５Ｒにおいて飾り図柄の変動（例えば上下方向のスクロール表示）が開始される。その後、第１特図ゲームにおける可変表示結果として第１確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。なお、確定飾り図柄は、可変表示中に表示される飾り図柄とは異なるものであってもよい。例えば、スクロール表示される飾り図柄以外の飾り図柄が確定飾り図柄となってもよい。
【００２４】
画像表示装置５の画面上では、第１特図ゲームに対応して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。また、仮停止表示される図柄は、仮停止前の可変表示では登場しない図柄（仮停止時にのみ仮停止表示される図柄など）であってもよい。
【００２５】
画像表示装置５の表示領域の右下に設けられた領域５Ｂでは、第２特図ゲームに対応して、例えば第２特図ゲームが実行中であることを示す画像が表示され（例えば、識別情報の可変表示（可変表示ゲーム）の一種として、「○」の画像と「×」の画像とが可変表示され）、最後に、第２特図ゲームにおける可変表示結果を報知する画像（表示結果としての「○」の画像と「×」の画像とのいずれかの画像）などが表示される。
【００２６】
画像表示装置５の画面上には、所定の表示エリア５Ｈが配置されている。この表示エリア５Ｈでは、特図ゲーム（特図の可変表示）の保留数（特図保留記憶数）を特定可能に表示する保留記憶表示が行われる。特図ゲームの保留は、後述の普通入賞球装置６Ａが形成する第１始動入賞口や、普通可変入賞球装置６Ｂが形成する第２始動入賞口に、遊技球が進入（例えば、通過）することによる始動入賞に基づいて発生する。すなわち、特図ゲームや飾り図柄の可変表示などといった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。この実施の形態では、保留記憶表示を、保留されている可変表示と同じ個数の図柄（丸印などであり、以下、保留表示図柄ともいう。）を表示することによって行う。第１特図を用いた特図ゲームに対応した、保留されている可変表示は、表示エリア５Ｈにおける向かって左側の領域（第１保留表示領域５ＨＡ）に表示される保留表示図柄によって表される。第２特図を用いた特図ゲームに対応した、保留されている可変表示は、表示エリア５Ｈにおける向かって右側の領域（第２保留表示領域５ＨＢ）に表示される保留表示図柄によって表される。保留表示図柄と保留中の可変表示とは、一対一で対応するようにするとよい。
【００２７】
例えば、第１始動入賞口に遊技球が進入する第１始動入賞の発生により、第１特別図柄表示装置４Ａによる第１特図を用いた特図ゲームの始動条件（第１始動条件）が成立したときに、当該第１始動条件の成立に基づく第１特図ゲームを開始するための第１開始条件が成立しなければ、第１特図保留記憶数が１加算（インクリメント）され、第１特図ゲーム（第１特図の可変表示）が保留される（保留表示図柄が１つ増やされる。）。また、第２始動入賞口を遊技球が進入する第２始動入賞の発生により、第２特別図柄表示装置４Ｂによる第２特図を用いた特図ゲームの始動条件（第２始動条件）が成立したときに、当該第２始動条件の成立に基づく第２特図ゲームを開始するための第２開始条件が成立しなければ、第２特図保留記憶数が１加算（インクリメント）され、第２特図ゲーム（第２特図の可変表示）が保留される（保留表示図柄が１つ増やされる。）。これに対して、第１特図ゲームの実行が開始されるときには、第１特図保留記憶数が１減算（デクリメント）され（保留表示図柄が１つ減らされる。）、第２特図ゲームの実行が開始されるときには、第２特図保留記憶数が１減算（デクリメント）される（保留表示図柄が１つ減らされる。）。
【００２８】
第１特図保留記憶数と第２特図保留記憶数とを加算した可変表示の特図保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２９】
前記表示エリア５Ｈとともに、あるいは表示エリア５Ｈに代えて、特図保留記憶数を表示する表示器を設けるようにしてもよい。図１に示す例では、第１特別図柄表示装置４Ａ及び第２特別図柄表示装置４Ｂの上部に、特図保留記憶数を特定可能に表示するための第１保留表示器２５Ａと第２保留表示器２５Ｂとが設けられている。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂはそれぞれ、例えば第１特図保留記憶数と第２特図保留記憶数のそれぞれにおける上限値（例えば「４」）に対応した個数（例えば４個）のＬＥＤを含んで構成されている。ここでは、ＬＥＤの点灯個数によって、第１特図保留記憶数と第２特図保留記憶数とを表示している。
【００３０】
画像表示装置５の下方には、普通入賞球装置６Ａが設けられている。画像表示装置５の右側方には、普通可変入賞球装置６Ｂが設けられている。
【００３１】
普通入賞球装置６Ａは、例えば所定の玉受部材によって常に一定の開放状態に保たれる始動領域（第１始動領域）としての第１始動入賞口を形成する。
【００３２】
普通可変入賞球装置６Ｂは、普通電動役物用のソレノイド８１によって垂直位置となる垂直状態と傾動位置となる傾動状態とに変化する一対の可動翼片を有する電動チューリップ型役物（普通電動役物）を備え、第２始動入賞口を形成する。普通可変入賞球装置６Ｂの上方には、遊技盤２の盤面に固定された固定部材３０が配置されている。固定部材３０は、遊技盤２の盤面から前方に張り出した略板状の部材であり、可動翼片が垂直状態にあるときの第２始動入賞口を完全に塞ぎ、遊技球が第２始動入賞口に進入できないようにする。つまり、可動翼片が垂直状態にあるときには、第２始動入賞口は、遊技球が進入できない閉鎖状態となっている。また、可動翼片が傾動状態にあるときは、第２始動入賞口は開放状態となり、遊技球は進入可能となる。例えば、普通可変入賞球装置６Ｂでは、普通電動役物用のソレノイド８１がオフ状態であるときに可動翼片が垂直状態となり、ソレノイド８１がオン状態であるときに可動翼片が傾動状態となる。
【００３３】
普通入賞球装置６Ａに形成された第１始動入賞口に進入した遊技球は、例えば第１始動口スイッチ２２Ａによって検出される。普通可変入賞球装置６Ｂに形成された第２始動入賞口に進入した遊技球は、例えば第２始動口スイッチ２２Ｂによって検出される。第１始動口スイッチ２２Ａによって遊技球が検出されたことに基づき、所定個数（例えば３個）の遊技球が賞球（景品遊技媒体）として払い出され、第１特図保留記憶数が所定の上限値（例えば「４」）未満であれば、第１始動条件が成立する。第２始動口スイッチ２２Ｂによって遊技球が検出されたことに基づき、所定個数（例えば３個）の遊技球が賞球として払い出され、第２特図保留記憶数が所定の上限値未満であれば、第２始動条件が成立する。
【００３４】
なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。パチンコ遊技機１は、賞球となる遊技球を直接に払い出すものであってもよいし、賞球となる遊技球の個数に対応した得点を付与するものであってもよい。
【００３５】
普通入賞球装置６Ｂの下方には、特別可変入賞球装置７が設けられている。特別可変入賞球装置７は、大入賞口扉用となるソレノイド８２によって開閉駆動される大入賞口扉を備え、その大入賞口扉によって開放状態と閉鎖状態とに変化する特定領域としての大入賞口を形成する。
【００３６】
一例として、特別可変入賞球装置７では、大入賞口扉用のソレノイド８２がオフ状態であるときに大入賞口扉が大入賞口を閉鎖状態として、遊技球が大入賞口に進入（例えば、通過）できなくなる。その一方で、特別可変入賞球装置７では、大入賞口扉用のソレノイド８２がオン状態であるときに大入賞口扉が大入賞口を開放状態として、遊技球が大入賞口に進入しやすくなる。このように、特定領域としての大入賞口は、遊技球が進入しやすく遊技者にとって有利な開放状態と、遊技球が進入できず遊技者にとって不利な閉鎖状態とに変化する。
【００３７】
大入賞口に進入（入賞）した遊技球は、遊技盤２の裏側に設けられた内部通路３１を通って、所定の玉受部材によって常に一定の開放状態に保たれる確変検出領域４０に進入する。なお、遊技盤２の一部、内部通路３１を形成する部材、球受部材などを透明にすることで、内部通路３１を進んで確変検出領域４０に進入する遊技球を遊技者が視認可能となるようにしてもよい。この実施の形態では、内部通路３１を通る遊技媒体は、確変検出領域４０に必ず進入できるようになっている（つまり、大入賞口に入賞した遊技球は、必ず確変検出領域４０に進入する。）。
【００３８】
大入賞口に進入（入賞）した遊技球は、例えばカウントスイッチ２３によって検出される。カウントスイッチ２３によって遊技球が検出されたことに基づき、所定個数（例えば１４個）の遊技球が賞球として払い出される。こうして、特別可変入賞球装置７において開放状態となった大入賞口に遊技球が進入したときには、例えば第１始動入賞口や第２始動入賞口といった、他の入賞口に遊技球が進入したときよりも多くの賞球が払い出される。したがって、特別可変入賞球装置７において大入賞口が開放状態となれば、その大入賞口に遊技球が進入可能となり、特別可変入賞球装置７は遊技者にとって有利な第１状態となる。その一方で、特別可変入賞球装置７において大入賞口が閉鎖状態となれば、大入賞口に遊技球を進入させて賞球を得ることが不可能になり、特別可変入賞球装置７は遊技者にとって不利な第２状態となる。なお、上記第１状態は、遊技球が進入可能な状態であればよく、第２状態は、第１状態よりも遊技球が進入し難い状態であればよい。
【００３９】
確変検出領域４０に進入した遊技球は、確変検出スイッチ２４によって検出される。確変検出スイッチ２４によって遊技球が検出されたときには、その後の遊技状態（後述の大当り遊技状態終了後の遊技状態）が確変状態になる。
【００４０】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、例えば、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普図ゲームは、画像表示装置５の右側方に設けられた通過ゲート４１（所定の部材によって遊技球が通過可能に形成されている）を遊技球が通過したことに基づいて開始される。通過ゲート４１への遊技球の通過はゲートスイッチ２１によって検出される。普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数（普図ゲームの始動条件は成立したが未だ開始されていない普図ゲームの保留記憶の数）を表示する。普図ゲームの保留記憶数は、所定数を上限（例えば、４つ）とする。
【００４１】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入（入賞）した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口１９が設けられている。
【００４２】
なお、アウト口１９から取り込まれた遊技球や、第１始動入賞口に進入（入賞）した遊技球、第２始動入賞口に進入（入賞）した遊技球、大入賞口に進入（入賞）して確変検出領域に進入した遊技球、及び、これらとは異なる前記入賞口に進入（入賞）した遊技球などの遊技領域に打ち込まれた遊技球は、すべてが、パチンコ遊技機１の内部の所定の通路（例えば、各入賞口、確変検出領域、アウト口１９に進入した遊技球が通る各通路を全て合流させた通路）を通過するようになっている。
【００４３】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。
【００４４】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００４５】
この実施の形態では、パチンコ遊技機１の遊技領域の左側を狙って遊技球を打ち込む左打ちと、右側を狙って遊技球を打ち込む右打ちと、が行われる。左打ちされた遊技球は、普通入賞球装置６Ａが形成する第１始動入賞口に入賞可能となっており、通過ゲート４１、普通可変入賞球装置６Ｂが形成する第２始動入賞口、特別可変入賞球装置７が形成する大入賞口などには通過不可能又は入賞不可能となっている。一方、右打ちされた遊技球は、通過ゲート４１を通過可能であり、第２始動入賞口、大入賞口、第１始動入賞口のいずれにも入賞可能である。第１始動入賞口へは、右打ちされたが第２始動入賞口、大入賞口のいずれにも入賞できなかった遊技球の一部が入賞し得る。なお、右打ちされたときと、左打ちされたときとでは、左打ちされたときの方が第１始動入賞口への入賞割合が高くなっている（このように、障害釘が設けられればよい。）。
【００４６】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば払出制御基板（各種入賞口への入賞があった場合に、主基板１１の制御のもとで、賞球の払い出しの制御を行う基板）、情報端子基板、発射制御基板、インタフェース基板、タッチセンサ基板などといった、各種の基板が配置されている。
【００４７】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号を受け取る機能、演出制御基板１２、払出制御基板などのサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示装置４Ａ、第２特別図柄表示装置４Ｂ、普通図柄表示器２０を構成する各ＬＥＤ（例えばセグメントＬＥＤ）などの点灯／消灯制御を行って第１特図や第２特図の可変表示、普通図柄の可変表示を制御すること（第１特図ゲームや第２特図ゲーム、普図ゲームを実行すること）といった、所定の表示図柄の可変表示を実行する機能も備えている。主基板１１は、第１保留表示器２５Ａ、第２保留表示器２５Ｂ、普図保留表示器２５Ｃの制御を行い、第１特図保留記憶数、第２特図保留記憶数、普図保留記憶数それぞれを第１保留表示器２５Ａ、第２保留表示器２５Ｂ、普図保留表示器２５Ｃそれぞれに表示する機能も備えている。
【００４８】
主基板１１には、例えば遊技制御用マイクロコンピュータ１００やスイッチ回路１１０、ソレノイド回路１１１などが搭載されている。スイッチ回路１１０は、遊技球検出用の各種スイッチ（第１始動口スイッチ２２Ａおよび第２始動口スイッチ２２Ｂ、カウントスイッチ２３、確変検出スイッチ１０など）からの検出信号（遊技媒体の進入を検出したことを示す各種スイッチのオン信号など）を取り込んで遊技制御用マイクロコンピュータ１００に伝送する。ソレノイド回路１１１は、遊技制御用マイクロコンピュータ１００からのソレノイド駆動信号（例えば、ソレノイド８１やソレノイド８２をオン状態又はオフ状態にする信号などの、各ソレノイドを駆動する信号）を、普通電動役物用のソレノイド８１や大入賞口扉用のソレノイド８２に伝送する。
【００４９】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９や装飾用ＬＥＤといった演出用の電気部品による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９や装飾用ＬＥＤなどにおける点灯／消灯動作の全部または一部といった、演出用の電気部品に所定の演出動作を実行させるための制御内容を決定し、決定した制御内容での制御を行う機能を備えている。
【００５０】
音声制御基板１３は、演出制御基板１２とは別個に設けられた音声出力制御用の制御基板であり、演出制御基板１２からの制御信号などに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの制御信号などに基づき、遊技効果ランプ９や装飾用ＬＥＤなどにおける点灯／消灯駆動を行うランプドライバ回路などが搭載されている。
【００５１】
図２に示すように、主基板１１には、始動口スイッチ（第１始動口スイッチ２２Ａおよび第２始動口スイッチ２２Ｂ）、カウントスイッチ２３、確変検出スイッチ２４といった、各種スイッチからの検出信号を伝送する配線が接続されている。なお、各種スイッチは、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための制御信号（ＬＥＤを駆動する駆動信号など）を伝送する配線が接続されている。また、主基板１１には、ソレノイド８１やソレノイド８２にソレノイド駆動信号を伝送する配線が接続されている。
【００５２】
主基板１１から演出制御基板１２に向けて伝送される制御信号は、制御コマンドとして、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれてもよい。演出制御コマンドはいずれも、例えば２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」となり、ＥＸＴデータの先頭ビットは「０」となるように、予め設定されていればよい。
【００５３】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００５４】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。
【００５５】
なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５などは外付けされてもよい。
【００５６】
遊技制御用マイクロコンピュータ１００では、例えば乱数回路１０４などにより、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４などのハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域に設けられたランダムカウンタや、ＲＡＭ１０２とは別個の内部レジスタに設けられたランダムカウンタに、所定の乱数値を示す数値データを格納し、ＣＰＵ１０３が定期的または不定期的に格納値を更新することで、乱数値の更新が行われるようにしてもよい。
【００５７】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンド送信テーブルを構成するテーブルデータや、変動パターンを複数種類格納する変動パターンテーブルを構成するテーブルデータなどが、記憶されている。遊技制御用マイクロコンピュータ１００が備えるＲＡＭ１０２には、パチンコ遊技機１における遊技の進行などを制御するために用いられる各種データが書換可能に一時記憶される。
【００５８】
遊技制御用マイクロコンピュータ１００が備えるＩ／Ｏ１０５は、例えばスイッチ回路１１０などの遊技制御用マイクロコンピュータ１００外部から伝送された検出信号を取り込むための入力ポートと、遊技制御用マイクロコンピュータ１００外部へと各種信号（演出制御基板１２や払出制御基板などに向けて伝送される制御コマンドや、ソレノイド駆動信号や、第１特別図柄表示装置４Ａ、第２特別図柄表示装置４Ｂ、第１保留表示器２５Ａなどを制御する制御信号など）を伝送するための出力ポートとを含んで構成される。
【００５９】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容に応じた映像信号を出力する処理などを実行する表示制御部１２３と、演出制御用ＣＰＵ１２０とは独立して乱数値を示す数値データの更新を行う乱数回路１２４と、Ｉ／Ｏ１２５とが搭載されている。
【００６０】
一例として、演出制御基板１２では、演出制御用ＣＰＵ１２０がＲＯＭ１２１から読み出した演出制御用のプログラムを実行することにより、演出用の電気部品による演出動作を制御する処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。
【００６１】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号（画像表示装置５に表示する画像を表す信号）を伝送するための配線や、音声制御基板１３に対して音番号データを示す情報信号（制御信号）としての効果音信号を伝送するための配線、ランプ制御基板１４に対してランプデータを示す情報信号（制御信号）としての電飾信号を伝送するための配線などが接続されている。
【００６２】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【００６３】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御パターンは、例えば演出制御プロセスタイマ判定値と対応付けられた演出制御実行データ（表示制御データ、音声制御データ、ランプ制御データなど）や終了コードなどを含んだプロセスデータから構成されている。演出制御基板１２に搭載されたＲＡＭ１２２には、演出動作を制御するために用いられる各種データが記憶される。
【００６４】
演出制御基板１２に搭載された表示制御部１２３は、演出制御用ＣＰＵ１２０の制御に基づいて（例えば、演出制御用ＣＰＵ１２０からの表示制御指令などに基づき）、画像表示装置５において表示する演出画像の映像信号を出力し、画像表示装置５に演出画像を表示する。一例として、表示制御部１２３には、ＶＤＰ（Video Display Processor）、ＣＧＲＯＭ（Character Generator ROM）、ＶＲＡＭ（Video RAM）などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。例えば、演出制御用ＣＰＵ１２０は、上記の演出制御パターンに含まれる表示制御データなどに従って、画像表示装置５の表示画面内に表示させる演出画像を指定する表示制御指令を表示制御部１２３に送信する。表示制御部１２３は、演出制御用ＣＰＵ１２０からの表示制御指令に従って、ＣＧＲＯＭなど（記憶部）に格納されているデータに基づいて、当該表示制御指令によって指定される演出画像を表示するための映像信号を出力する。これによって、演出制御用ＣＰＵ１２０の制御（演出制御パターンなど）に従った演出画像の映像信号が出力されたことになり、そして、画像表示装置５に当該演出画像が表示されることになる。
【００６５】
演出制御基板１２に搭載されたＩ／Ｏ１２５は、例えば主基板１１などから伝送された演出制御コマンドを取り込むための入力ポートと、演出制御基板１２の外部へと各種信号を伝送するための出力ポートとを含んで構成される。例えば、Ｉ／Ｏ１２５の出力ポートからは、画像表示装置５へと伝送される映像信号や、音声制御基板１３へと伝送される制御信号（効果音信号）、ランプ制御基板１４へと伝送される制御信号（電飾信号）などが出力される。
【００６６】
画像表示装置５は、液晶パネルなどからなる表示パネルと、当該表示パネルを駆動するドライバ回路などを備える。演出制御用ＣＰＵ１２０の制御に基づいて表示制御部１２３からＩ／Ｏ１２５を介して画像表示装置５に供給された映像信号は、前記ドライバ回路に入力される。ドライバ回路は、入力された映像信号に基づいて、表示パネルを駆動し、当該映像信号が表す画像を表示パネルに表示させる。これによって、画像表示装置５には、各種の演出画像が表示されることになる。
【００６７】
上記のような構成によって、演出制御用ＣＰＵ１２０は、音声制御基板１３を介してスピーカ８Ｌ、８Ｒを制御して音声を出力させたり、ランプ制御基板１４を介して遊技効果ランプ９や装飾用ＬＥＤなどにおける点灯／消灯駆動を行わせたり、表示制御部１２３を介して画像表示装置５の表示領域に演出画像を表示させたりして、各種の演出（詳しくは後述する、リーチ演出など、遊技を盛り上げるための演出など）を実行する。
【００６８】
パチンコ遊技機１においては、遊技価値（ここでは、遊技媒体の一例である遊技球）を使用して、この遊技球を発射して行われる所定の遊技が行われ、その遊技結果に基づいて所定の遊技価値（ここでは、賞球としての遊技媒体）が付与（ここでは、払い出し）可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。発射された遊技球は遊技領域を流下し、遊技領域を流下した遊技球が、普通入賞球装置６Ａに形成された第１始動入賞口（第１始動領域）に進入すると、第１始動条件が成立する。その後、例えば前回の第１特図ゲームや大当り遊技状態が終了したことなどにより第１開始条件が成立したことに基づいて、第１特図ゲームが開始される。また、遊技領域を流下した遊技球が、普通可変入賞球装置６Ｂに形成された第２始動入賞口（第２始動領域）に進入すると、第２始動条件が成立する。その後、例えば前回の第２特図ゲームや大当り遊技状態が終了したことなどにより第２開始条件が成立したことに基づいて、第２特図ゲームが開始される。
【００６９】
また、通過ゲート４１を遊技球が通過したこと（ゲートスイッチ２１によって当該通過が検出されたこと（ゲートスイッチ２１がオンになったこと））に基づいて、普通図柄表示器２０にて普通図柄の可変表示を実行するための普図始動条件が成立する（これによって、普図保留記憶数が１加算（インクリメント）される）。その後、例えば前回の普図ゲームが終了したことといった、普通図柄の可変表示を開始するための普図開始条件が成立したことに基づいて、普通図柄表示器２０による普図ゲームが開始される（このとき、普図保留記憶数が１減算（デクリメント）される）。この普図ゲームとしては、普通図柄の可変表示が実行される。普通図柄の可変表示では、普通図柄の変動を開始させた後、所定時間が経過すると、普通図柄の可変表示の最後として、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御が行われ、所定時間が経過すると垂直位置に戻る閉鎖制御が行われる（開放制御は、複数回行われてもよい。）。普通図柄の可変表示結果を、予め定められた特定表示結果としての「普図当り」にするか否かは、普通図柄表示器２０による普図ゲームが開始されるときになど、その可変表示結果を導出表示する以前に決定（事前決定）される。
【００７０】
第１特図ゲームが開始されるときや、第２特図ゲームが開始されるときには、特別図柄の可変表示結果（第１特図ゲームや第２特図ゲームにおける可変表示結果）を、予め定められた特定表示結果としての「大当り」にするか否かが、その可変表示結果を導出表示する以前に決定（事前決定）される。そして、可変表示結果の決定に基づく所定割合で、可変表示のパターンである変動パターン（図１５、２８参照）の決定などが行われ、可変表示結果や変動パターンを指定する演出制御コマンドが、図２に示す主基板１１の遊技制御用マイクロコンピュータ１００から演出制御基板１２に向けて伝送される。
【００７１】
こうした可変表示結果や変動パターンの決定に基づいて第１特図ゲームや第２特図ゲームが開始された後、例えば変動パターンに対応して予め定められた可変表示時間が経過したときには、可変表示結果となる確定特別図柄（第１確定特別図柄又は第２確定特別図柄）が第１特別図柄表示装置４Ａや第２特別図柄表示装置４Ｂに導出表示される。
【００７２】
また、第１特図ゲームに対応して、画像表示装置５の画面上の領域５Ａに配置された「左」、「中」、「右」の飾り図柄表示エリア５Ｌ、５Ｃ、５Ｒでは、特別図柄とは異なる飾り図柄（演出図柄）の可変表示が行われる。第１特図ゲームにおいて、第１特別図柄の可変表示結果となる第１確定特別図柄が導出表示されるときには、この導出表示に同期して（この導出表示と略同じタイミングで）、画像表示装置５の表示領域における領域５Ａなどにおいて飾り図柄の可変表示結果となる確定飾り図柄が導出表示される（図５２、図５３など）。
【００７３】
また、画像表示装置５の表示領域における領域５Ｂでは、第２特図ゲームに対応して、第２特図ゲームが実行中であることを示す画像が表示される。例えば、装飾識別情報の可変表示（可変表示ゲーム）の一種として、「○」の画像と「×」の画像とが領域５Ｂにて可変表示される（図５６など）。第２特図ゲームにおいて、第２特別図柄の可変表示結果となる第２確定特別図柄が導出表示されるときには、この導出表示に同期して（この導出表示と略同じタイミングで）、画像表示装置５の領域５Ｂにおいて第２特図ゲームにおける可変表示結果を報知する画像が表示（導出表示）される。例えば、装飾識別情報の可変表示（可変表示ゲーム）の表示結果として、「○」の画像（「大当り」を示す画像）と「×」の画像（「ハズレ」を示す画像）とのいずれかの画像を導出表示される。
【００７４】
第１特図ゲーム又は第２特図ゲームにおいて、可変表示結果として予め定められた大当り図柄が導出表示されたときには、可変表示結果（特図表示結果）が「大当り」（特定表示結果）となり、遊技者にとって有利な特定遊技状態としての大当り遊技状態に制御される。すなわち、大当り遊技状態に制御されるか否かは、第１特図ゲーム又は第２特図ゲームにおける可変表示結果が「大当り」となるか否かに対応しており、その可変表示結果を導出表示する以前に決定（事前決定）される。特別図柄の可変表示結果として、大当り図柄が導出表示されず、ハズレ図柄が導出表示されたときには、可変表示結果（特図表示結果）が「ハズレ」となる。
【００７５】
一例として、「６」及び「７」の数字を示す特別図柄を大当り図柄とし、「−」を示す特別図柄をハズレ図柄とする。なお、第１特図ゲームにおける大当り図柄やハズレ図柄といった各図柄は、第２特図ゲームにおける各図柄とは異なる特別図柄となるようにしてもよいし、この実施形態のように双方の特図ゲームにおいて共通の特別図柄が大当り図柄やハズレ図柄となるようにしてもよい。
【００７６】
特図表示結果が「大当り」となる場合には、大当り種別が「５Ｒ通常」、「５Ｒ短期」のいずれかとなる場合が含まれている。例えば、特別図柄（第１特図又は第２特図）の可変表示結果として、「７」の数字を示す大当り図柄が導出表示されたときには大当り種別が「５Ｒ通常」となり、「６」の数字を示す大当り図柄が導出表示されたときには大当り種別が「５Ｒ短期」となる。なお、「５Ｒ通常」の「大当り」が導出表示されたときの大当り遊技状態を通常開放大当り遊技状態ともいう。「５Ｒ短期」の「大当り」が導出表示されたときの大当り遊技状態を短期開放大当り遊技状態ともいう。
【００７７】
大当り遊技状態では、大入賞口が開放状態となって特別可変入賞球装置７が遊技者にとって有利な第１状態となる。そして、上限期間あるいは第１の所定個数の遊技球が大入賞口に進入して入賞が発生するまでの期間にて、大入賞口を継続して開放状態とするラウンド遊技（単に「ラウンド」ともいう）が実行される。こうしたラウンド遊技の実行期間以外の期間では、大入賞口が閉鎖状態などとなり、入賞が発生困難または発生不可能となる。大入賞口に遊技球が進入したときには、カウントスイッチ２３により入賞が検出され、その検出ごと（入賞ごと）に所定個数（例えば１４個）の遊技球が賞球として払い出される。大当り遊技状態におけるラウンド遊技は、所定の上限回数に達するまで繰返し実行される。
【００７８】
この実施の形態では、前記の上限期間が、大当り遊技状態の種類（大当り種別）に応じて異なる。図３に、各大当り遊技状態における大入賞口の開放態様を示す。図３（Ａ）のように、短期開放大当り遊技状態（大当り種別：「５Ｒ短期」）では、上限期間が、０．１秒となる（短期開放ラウンド）。なお、ラウンド数は５Ｒ（ラウンド）で、通常開放大当り遊技状態（大当り種別：「５Ｒ通常」）と同じである。図３（Ｂ）のように、通常開放大当り遊技状態（大当り種別：「５Ｒ通常」）では、上限期間が、５秒となる（通常開放ラウンド）。
【００７９】
この実施の形態では、短期開放大当り遊技状態では、大入賞口の開放の上限期間が極めて短く（０．１秒）、遊技球の入賞がほとんど期待できない。従って、短期開放大当り遊技状態は、遊技者にとって有利な特定遊技状態と言い難いが、大入賞口が開放しているので、この実施の形態では、短期開放大当り遊技状態も、遊技者にとって有利な特定遊技状態とする。このように、遊技者にとって有利な特定遊技状態は、大入賞口の開放態様に関わらず、大入賞口が開放する状態であればよいことがある。
【００８０】
また、この実施の形態では、大当り遊技状態後に、遊技状態が変化することがある。ここで、遊技状態に説明する。
【００８１】
この実施の形態では、遊技状態として、通常状態と、確変状態と、高ベース状態とが用意されている。
【００８２】
通常状態とは、大当り遊技状態等の特定遊技状態や、確変状態、高ベース状態等の遊技者にとって有利な状態以外の遊技状態のことであり、普図ゲームにおける可変表示結果が「普図当り」となる確率及び特図ゲームにおける可変表示結果が「大当り」となる確率が、パチンコ遊技機１の初期設定状態（例えばシステムリセットが行われた場合のように、電源投入後に所定の復帰処理を実行しなかったとき）と同一に制御される状態である。
【００８３】
確変状態とは、可変表示結果が「大当り」となる確率（大当り確率）が通常状態よりも高くなる遊技状態をいう。なお、確変状態に制御されているときの遊技状態は、高確状態ともいう。
【００８４】
高ベース状態とは、通常状態などの時短状態になっていない非時短状態よりも第２始動入賞口に遊技球が進入しやすい有利変化態様で、普通可変入賞球装置６Ｂを開放状態と閉鎖状態とに変化させる。高ベース状態では、例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間（つまり、第２始動入賞口の開放時間）を通常状態のときよりも長くする制御、その傾動回数（つまり、第２始動入賞口の開放回数）を通常状態のときよりも増加させる制御などにより、普通可変入賞球装置６Ｂを有利変化態様で開放状態と閉鎖状態とに変化させればよい。なお、これらの制御のいずれか１つが行われるようにしてもよいし、複数の制御が組み合わせられて行われるようにしてもよい。こうした高ベース状態では、次に可変表示結果が「大当り」となるまでの所要時間が短縮される。なお、高ベース状態のときには、平均的な可変表示時間（特図ゲームの実行時間）を通常状態よりも短くする制御を行ってもよい（所謂時短状態）。
【００８５】
この実施の形態では、確変状態に制御されるときには、高ベース状態にも制御される。つまり、この実施の形態では、遊技状態として、通常状態に制御されるか、確変状態かつ高ベース状態（高確高ベース状態ともいう）に制御されるかのいずれかになる。
【００８６】
この実施の形態では、大当り遊技状態において大入賞口に入賞した遊技球が確変検出領域４０に進入したとき（確変検出スイッチ２４に検出されたとき）に、当該大当り遊技状態の終了直後からの遊技状態が、高確高ベース状態となる。上述のように、大当り遊技状態のうちの短期開放大当り遊技状態のときには、大入賞口の開放期間が非常に短いので、大入賞口への入賞は非常に困難である。このため、短期開放大当り遊技状態後の遊技状態（大当り種別が「５Ｒ短期」のときのその後の遊技状態）は、高確高ベース状態にはならず、通常状態となる。一方で、通常開放大当り遊技状態のときには、大入賞口の開放期間が長いので、大入賞口への入賞は容易である。そして、この実施の形態では、大入賞口に入賞した遊技球はすべて確変検出領域４０に進入するので（つまり、通常は、確変検出領域４０への遊技球の進入が発生するので）、通常開放大当り遊技状態後の遊技状態（大当り種別が「５Ｒ通常」のときのその後の遊技状態）は、通常、高確高ベース状態になる。但し、通常開放大当り遊技状態中に、一度も大入賞口への入賞が発生しなかったときには、通常開放大当り遊技状態後であっても、遊技状態が通常状態になることがある（但し、このようなことは、遊技者が意図して遊技球を発射させないなど、特殊な場合にのみ発生するものである。）。
【００８７】
また、高確高ベース状態は、次の大当り遊技状態に制御されるまで継続する。高確高ベース状態は、当該次の大当り遊技状態中には一旦終了し、当該次の大当り遊技状態が通常開放大当り遊技状態であって、確変検出領域４０への遊技球の進入があったときには、再開される。このように、高確高ベース状態は、通常開放大当り遊技状態に制御されることが連続する限り（間に短期開放大当り遊技状態に制御されることがない限り）、継続されることになる。なお、この実施の形態では、間に大当り遊技状態に制御されることによって通常状態に移行する期間があったとしても、その前後が高確高ベース状態になっていれば、全体的に見ると１つの高確高ベース状態に見ることができるため、高確高ベース状態が継続されていると表現する。このように、継続される高確高ベース状態の期間には、大当り遊技状態によって通常状態になる期間が含まれる。
【００８８】
高確高ベース状態は、次の大当り遊技状態中には一旦終了するが、次の大当り遊技状態が短期開放大当り遊技状態であるときには、再開されない。このように、短期開放大当り遊技状態後は、高確高ベース状態に制御されなくなる。つまり、短期開放大当り遊技状態によって、それまでの高確高ベース状態は終了してしまうことになる。厳密には、短期開放大当り遊技状態に制御されることで、それまでの高確高ベース状態は終了しているが、短期開放大当り遊技状態後に高確高ベース状態に再度制御されることはないので（高確高ベース状態が継続することにならないので）、短期開放大当り遊技状態によって、それまでの高確高ベース状態は終了してしまうともいえる。
【００８９】
ここで、この実施の形態におけるパチンコ遊技機１の遊技について簡単に説明する。
【００９０】
まず、通常状態時（遊技開始時など）は、普通可変入賞球装置６Ｂによって形成された第２始動入賞口も、特別可変入賞球装置７によって形成された大入賞口も閉鎖状態となっているので、遊技者は、普通入賞球装置６Ａによって形成された第１始動入賞口への入賞が発生しやすい左打ちを行う。
【００９１】
左打ちされて、第１始動入賞口への入賞が発生した場合には、第１特図ゲーム（第１特図の可変表示）が実行される。第１特図ゲームの可変表示結果が「大当り」になったときの大当り種別は、「５Ｒ通常」、「５Ｒ短期」のいずれにもなる。大当り種別が「５Ｒ短期」である場合には、短期開放大当り遊技状態に制御されるが、大入賞口の開放期間が極めて短いため、大入賞口への入賞はできず、当該短期開放大当り遊技状態のあとは、再び通常状態となる。一方、大当り種別が「５Ｒ通常」である場合には、通常開放大当り遊技状態に制御されるが、大入賞口の開放期間が長いため、通常は大入賞口への入賞が発生し、これによって、確変検出領域４０への遊技球の進入が発生し、当該通常開放大当り遊技状態の終了後（終了直後）から、高確高ベース状態が開始される。なお、大当り遊技状態では、大入賞口を狙うために右打ちが行われる。
【００９２】
大当り高確高ベース状態が開始されると、高ベース制御によって、普図ゲームにおいて「普図当り」が発生しやすくなり（例えば、１／２の確率で「普図当り」になるなど）、第２始動入賞口が開放状態となって、第２始動入賞が発生し易くなるので、遊技者は、右打ちを行う。なお、この実施の形態では、通常状態では、普図ゲームの表示結果が「普図当り」となることは殆どないので（例えば、「普図当り」となる確率は、１／１００など）、通常状態で右打ちが行われても、第２始動入賞口が開放状態となることは殆どなく、第２始動入賞は発生しない。このようなことからも、通常状態においては、遊技者は左打ちを行う。
【００９３】
右打ちされて、第２始動入賞口への入賞が発生した場合には、第２特図ゲーム（第２特図の可変表示）が実行される。第２特図ゲームの可変表示結果が「大当り」になったときの大当り種別は「５Ｒ通常」のみである。このため、第２特図ゲームにて「大当り」が導出表示されると、通常開放大当り遊技状態に制御され、通常は大入賞口への入賞が発生し、これによって、確変検出領域４０への遊技球の進入が発生し、当該大当り遊技状態終了後、高確高ベース状態に再度制御される（高確高ベース状態が継続する）。なお、この実施の形態では、第２特図ゲームの実行時間（可変表示期間であり、後述の第２特図変動時間）は、極めて短く設定されているため、高確高ベース状態で右打ちがなされると、第２特図ゲームが高頻度で実行される。高確高ベース状態では、「大当り」となる可能性も高いので、第２特図ゲームが高頻度で実行される分、「大当り」も発生し易くなる。このため、継続する高確高ベース状態では、第２特図ゲームの「大当り」が高い頻度で発生し、途中で通常開放大当り遊技状態に制御される頻度が高くなり（第２特図ゲームでは、「５Ｒ短期」の「大当り」は発生しないため、第２特図ゲームでの大当り時は、常に通常開放大当り遊技状態に制御される。）、その結果、より多くの賞球が得られることになる。
【００９４】
一方、高確高ベース状態において右打ちされたが第２始動入賞口に入賞できなかった遊技球や、通常開放大当り遊技状態において大入賞口に入賞できなかった遊技球は、第１始動入賞口に入賞する可能性がある。第１始動入賞口に遊技球が入賞すると、第１特図ゲームが開始され、可変表示結果が「５Ｒ通常」の「大当り」となった場合には、通常開放大当り遊技状態に制御されて、その後、通常は、高確高ベース状態になるので、高確高ベース状態に再度移行する（高確高ベース状態が継続する）。しかし、第１特図ゲームが開始され、可変表示結果が「５Ｒ短期」の「大当り」となった場合には、短期開放大当り遊技状態に制御されてしまい、その後の遊技状態は通常状態となってしまうので、高確高ベース状態に制御されなくなってしまう（高確高ベース状態が終了してしまう）。
【００９５】
このように、高確高ベース状態は、第２特図ゲームで「大当り」が発生する限りは基本的に継続し（大当り種別が「５Ｒ通常」のみであるため。）、長く継続する。高確高ベース状態が長く継続すれば、多くの「５Ｒ通常」の「大当り」が発生し、多くの賞球が得られる。一方、第１特図ゲームで「大当り」が発生することで当該高確高ベース状態は、終了してしまう可能性がある（「５Ｒ短期」の「大当り」で高確高ベース状態が終了するため）。これらのように、高確高ベース状態における第２特図ゲームの実行は、通常開放大当り遊技状態に制御されることにも繋がり、多くの賞球を得るチャンスが生まれ、遊技者にとって望ましいものである。一方で、第１特図ゲームの実行は、高確高ベース状態を終了させる可能性もあるので遊技者にとって望ましいものではない。この実施の形態では、このような設定によって、遊技性を高めている。なお、大当り遊技状態中は、一旦通常状態に戻るため、右打ちされたとしても、第２始動入賞口は開放状態になり難く（普図当りが発生し難いため。）、第２始動入賞口への入賞は発生し難くなっている。また、この実施の形態では、高確高ベース状態における第１特図ゲームの実行時間（可変表示期間であり、後述の第１特図変動時間）は、通常時よりも長く設定されており、可変表示結果が導出される頻度が少なく、これによって、「大当り」になるまでの期間を長くして（つまり、高確高ベース状態の終了の契機となる「５Ｒ短期」の「大当り」が発生するまでの期間を長くして）、遊技性を高めている。
【００９６】
高確高ベース状態が継続する期間は、多くの賞球が得られる可能性がある期間であるので、チャンス期間でもある。当該チャンス期間は、大当り遊技状態において一旦遊技状態が通常状態になる期間も含む。チャンス期間では、後述の種々の演出が実行される。例えば、チャンス期間を報知するチャンス期間演出（図５３など）や、チャンス期間が少なくとも終了しない期間を当該チャンス期間の残り時間として報知する残り時間報知（図５３など）や、報知された残り時間を延長する演出である延長報知（図５４など）や、残り時間報知による残り時間が「０」になったときにチャンス期間終了の危機感を煽る特定演出（図５５など）などが実行される。なお、特定演出は、第１特図ゲームの実行期間の最後に実行されることがある。チャンス期間は、特定演出の終了とともに終了する。その後、特定演出が実行された第１特図ゲームの可変表示結果が「ハズレ」又は「５Ｒ通常」の「大当り」であった場合には、再度チャンス期間が到来することになる。また、特定演出は、チャンス期間終了の危機感を煽る演出であり、この実施の形態では、第１特図ゲームに対応する飾り図柄の可変表示中に実行され、第２特図ゲームに対応しては実行されない。
【００９７】
ここで、各遊技状態における第１特図ゲームと第２特図ゲームとの関係について、図４を参照して説明する。通常状態では、基本的に左打ちされ、また、右打ちがなされ、遊技球が通過ゲート４１を通過しても「普図当り」となることが殆どないため、通常、第１特図ゲームのみが実行される（図４（Ａ）参照）。高確高ベース時には、第１始動入賞口と第２始動入賞口とのうちのいずれにも遊技球が入賞する可能性があるため、第１特図ゲームと第２特図ゲームとは並行して実行され得る。このとき、第１特図ゲームの平均的な実行期間（可変表示期間）は、第２特図ゲームの平均的な実行期間よりも長く設定されているため、ここでは、第２特図ゲームは、第１特図ゲームに比べて高い頻度で実行される（図４（Ｂ）参照）。なお、第１特図ゲームと第２特図ゲームとのうち、一方において「大当り」が発生して（導出表示されて）大当り遊技状態に制御されるときには、他方の特図ゲームに関する処理が一時中断される（大当り遊技状態が終了すれば再開する）。特に、他方の特図ゲームが実行中であれば、当該実行中の他方の特図ゲームは一時中断される（大当り遊技状態が終了すれば、特図ゲームは再開する）（図４（Ｃ）及び（Ｄ）参照）。
【００９８】
画像表示装置５の領域５Ａなどに設けられた「左」、「中」、「右」の飾り図柄表示エリア５Ｌ、５Ｃ、５Ｒでは、第１特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間（可変表示中の期間）では、飾り図柄の可変表示態様が所定のリーチ態様となる（リーチが成立する）ことがある。
【００９９】
ここで、リーチ態様とは、画像表示装置５の画面上（特に領域５Ａ）にて停止表示された飾り図柄が大当り組合せの一部を構成しているときに未だ停止表示されていない飾り図柄（「リーチ変動図柄」ともいう）については変動が継続している表示態様、あるいは、全部または一部の飾り図柄が大当り組合せの全部または一部を構成しながら同期して変動している表示態様のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示態様、あるいは、「左」、「中」、「右」の飾り図柄表示エリア５Ｌ、５Ｃ、５Ｒにおける全部または一部で飾り図柄が大当り組合せの全部または一部を構成しながら同期して変動している表示態様である。
【０１００】
また、リーチ態様となったことに対応して、飾り図柄の変動速度を低下させたり、画像表示装置５の画面上に飾り図柄とは異なるキャラクター画像（人物等を模した演出画像）を表示させたり、背景画像の表示態様を変化させたり、飾り図柄とは異なる動画像を再生表示させたり、飾り図柄の変動態様を変化させたりすることで、リーチ態様となる以前とは異なる演出動作が実行される場合がある。このようなキャラクター画像の表示や背景画像の表示態様の変化、動画像の再生表示、飾り図柄の変動態様の変化といった演出動作を、リーチ演出表示（あるいは単にリーチ演出）という。なお、リーチ演出の画像は、領域５Ａに表示される。なお、リーチ演出には、画像表示装置５における表示動作のみならず、スピーカ８Ｌ、８Ｒによる音声出力動作や、遊技効果ランプ９などの発光体における点灯動作（点滅動作）などを、リーチ態様となる以前の動作態様とは異なる動作態様とすることが、含まれていてもよい。
【０１０１】
リーチ演出における演出動作としては、互いに動作態様（演出態様）が異なる複数種類の演出パターン（「リーチパターン」ともいう）が、予め用意されていればよい。そして、それぞれのリーチ演出における演出態様に応じて、「大当り」となる可能性（「信頼度」あるいは「大当り信頼度」、「期待度」あるいは「大当り期待度」ともいう）が異なる。すなわち、複数種類のリーチ演出のいずれが実行されるかに応じて、可変表示結果が「大当り」となる可能性を異ならせることができる。
【０１０２】
この実施の形態では、一例として、ノーマル、スーパーＡ、スーパーＢといったリーチ演出が予め設定されている（図１５参照）。スーパーＡ〜Ｂは、所謂スーパーリーチのリーチ演出である。以下、スーパーＡのリーチ演出をスーパーリーチＡといい、スーパーＢのリーチ演出をスーパーリーチＢということがある。ノーマルのリーチ演出は、ノーマルリーチということがある。スーパーリーチＡやスーパーリーチＢは、ノーマルリーチの実行後（又は実行の途中）に開始される。つまり、スーパーリーチＡやスーパーリーチＢは、ノーマルリーチから発展することになる。
【０１０３】
詳しくは後述するが、上記リーチ演出は、通常状態における第１特図ゲームに対応して実行される飾り図柄の可変表示の実行時に実行される（図５２などを参照）。一方、高確高ベース状態では、チャンス期間における演出が実行されるので、第１特図ゲームに対応して実行される飾り図柄の可変表示は、通常、画像表示装置５の領域５Ａの左隅で実行され、リーチ演出などは実行されない（但し、可変表示態様がリーチ態様になったり、チャンス期間終了の危機感を煽る特定演出が実行されたりすることがある）。
【０１０４】
第１特図ゲームにおける可変表示結果である第１特図表示結果が「大当り」となるときには、画像表示装置５の画面上において（領域５Ａなどにおいて）、予め定められた大当り組合せとなる確定飾り図柄が導出表示される。一例として、「左」、「中」、「右」の飾り図柄表示エリア５Ｌ、５Ｃ、５Ｒにおける所定の有効ライン上に同一の飾り図柄が揃って停止表示されることにより（例えば、「７」などが表示される。なお、詳しくは後述するが、この実施の形態では、状況に応じて異なる飾り図柄が揃って表示される。）、大当り組合せとなる確定飾り図柄が導出表示されればよい。
【０１０５】
第１特図表示結果が「ハズレ」となる場合には、飾り図柄の可変表示態様がリーチ態様とならずに、所定の非リーチ組合せ（例えば、全て異なる飾り図柄からなる組合せ）を構成する飾り図柄が停止表示されることにより、非特定表示結果となる確定飾り図柄が導出表示されることがある。また、第１特図表示結果が「ハズレ」となる場合には、飾り図柄の可変表示態様がリーチ態様となった後に、所定のリーチ組合せ（リーチ態様にはなったが、所定の有効ライン上に同一の飾り図柄が揃わなかった組合せ）を構成する飾り図柄が停止表示されることにより、非特定表示結果となる確定飾り図柄が導出表示されることもある。
【０１０６】
画像表示装置５の表示領域の右下に設けられた領域５Ｂでは、第２特図ゲームに対応して、例えば第２特図ゲームが実行中であることを示す画像が表示され（例えば、識別情報の可変表示（可変表示ゲーム）の一種として、「○」の画像と「×」の画像とが可変表示され）、最後に、第２特図ゲームにおける可変表示結果を報知する画像（表示結果としての「○」の画像と「×」の画像とのいずれかの画像）などが表示される。
【０１０７】
第１特図ゲームにおいて「大当り」が導出されたときの大当り遊技状態中には、大当り遊技状態であることを報知し、チャンス期間が到来すること又は到来しないことなどを報知する演出などが実行される（図５２、図５５などを参照）。第２特図ゲームにおいて「大当り」が導出されたときの大当り遊技状態中は、主にチャンス期間中の演出が実行されているので、大当り遊技状態であることが報知される特別な演出などは基本的に実行されず、領域５Ｂに大当り遊技状態中である旨の画像を表示する（図５６など）。また、一方の特図ゲームで「大当り」が導出表示されたとき（「大当り」が発生したとき）は、その大当り遊技状態の期間中、他方の特図ゲームに関する処理が中断されるので、中断している旨が領域５Ａ（第１特図ゲームが中断される場合）又は領域５Ｂ（第２特図ゲームが中断される場合）に表示される（図５５、図５６など）。
【０１０８】
次に、本実施例におけるパチンコ遊技機１の主要な動作（作用）を説明する。なお、以下では、フローチャートなどを参照して動作を説明するが、各動作（各処理）では、実際には、フローチャートに現れていない処理などが適宜行われる場合がある。まず、主基板１１側の主要な動作について説明する。
【０１０９】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。ＲＡＭ１０２のクリアは、例えば、電源投入時に、パチンコ遊技機１に設けられた図示しないクリアスイッチなどの初期化用操作手段が操作されたことなどによって行われる。この操作は、例えば、遊技店の営業時間外に行われる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時（停電などによる電断時）における状態に復帰させるための処理を実行してから、ループ処理に入るようにしてもよい（例えば、クリアスイッチが押されずに電源が投入（オン）された時にＲＡＭ１０１に所定のデータが記憶されるなどしている状態のとき（例えば電断のときなど））。
【０１１０】
このような遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。
【０１１１】
ＣＰＵ１０３は、遊技制御用タイマ割込処理において、例えば、スイッチ処理を行い、メイン側エラー処理を行い、情報出力処理を行い、その後、遊技用乱数更新処理、特別図柄プロセス処理、普通図柄プロセス処理、コマンド制御処理といった、パチンコ遊技機１における遊技の進行などを制御するための処理を行う。なお、遊技制御用タイマ割込処理の終了時には、割込み許可状態に設定される。これによって、遊技制御用タイマ割込み処理は、タイマ割り込みが発生するごと、つまり、割込み要求信号の供給間隔である所定時間（例えば、２ミリ秒）ごとに実行されることになる。
【０１１２】
スイッチ処理は、スイッチ回路１１０を介してゲートスイッチ２１、第１始動口スイッチ２２Ａ、第２始動口スイッチ２２Ｂ、カウントスイッチ２３、確変検出スイッチといった各種スイッチから検出信号が入力されたかを判定することによって、各スイッチがオン状態であるか否か（つまり、遊技球の進入又は通過があったか否か）をスイッチごとに判定する処理である。なお、スイッチ処理では、例えば、オン状態と判定したスイッチに対応する賞球個数を示す賞球個数コマンドの送信設定も行う。賞球個数コマンドはコマンド制御処理にて払出制御基板に送信され、払出制御基板は、このコマンドを受信すると、球払出装置を制御して、このコマンドが示す賞球個数分だけ賞球を払い出す処理を実行する。
【０１１３】
メイン側エラー処理は、パチンコ遊技機１の異常診断を行い、その診断結果に応じて必要ならば警告を発生可能とする処理である。
【０１１４】
情報出力処理は、例えばパチンコ遊技機１の外部に設置されたホール管理用コンピュータに供給される大当り情報、始動情報、確率変動情報などのデータを出力する処理である。
【０１１５】
遊技用乱数更新処理は、主基板１１の側で用いられる複数種類の遊技用乱数のうち、少なくとも一部をソフトウェアにより更新するための処理である。一例として、主基板１１の側で用いられる遊技用乱数には、特図表示結果決定用の乱数値ＭＲ１と、大当り種別決定用の乱数値ＭＲ２と、変動パターン決定用の乱数値ＭＲ３と、特図表示結果決定用の乱数値ＭＲ４と、大当り種別決定用の乱数値ＭＲ５と、変動パターン決定用の乱数値ＭＲ６と、が含まれていればよい。乱数値ＭＲ１〜ＭＲ３は、第１特図ゲーム（第１特図の可変表示）用である。乱数値ＭＲ４〜ＭＲ６は、第２特図ゲーム（第２特図の可変表示）用である。
【０１１６】
特図表示結果決定用の乱数値ＭＲ１、ＭＲ４は、第１特図ゲーム又は第２特図ゲームにおける特別図柄などの可変表示結果を「大当り」として大当り遊技状態に制御するか否かの決定に用いられる乱数値であり、「１」〜「６５５３５」のいずれかの値を取り得る。
【０１１７】
大当り種別決定用の乱数値ＭＲ２、ＭＲ５は、可変表示結果を「大当り」とする場合に、大当り種別を「５Ｒ通常」、「５Ｒ短期」のいずれかに決定するために用いられる乱数値であり、「１」〜「１００」のいずれかの値を取り得る。
【０１１８】
変動パターン決定用の乱数値ＭＲ３、ＭＲ６は、第１特図又は第２特図や飾り図柄の可変表示における変動パターンを、予め用意された複数の変動パターンのいずれかに決定するために用いられる乱数値であり、「１」〜「２５１」のいずれかの値を取り得る。
【０１１９】
特別図柄プロセス処理では、ＲＡＭ１０２に設けられた第１特図プロセスフラグの値をパチンコ遊技機１における遊技の進行状況に応じて更新し、第１特図ゲーム（第１特図の可変表示）の可変表示結果を「大当り」として大当り遊技状態に制御するか否かなどの決定や変動パターンの決定、当該決定結果に基づく第１特別図柄表示装置４Ａにおける表示動作の制御（第１特図ゲームの実行）、大当り遊技状態におけるラウンド遊技の制御（大当り遊技状態の実行）などを、所定の手順で行うために、各種の処理が選択されて実行される。また、特別図柄プロセス処理では、ＲＡＭ１０２に設けられた第２特図プロセスフラグの値をパチンコ遊技機１における遊技の進行状況に応じて更新し、第２特図ゲーム（第２特図の可変表示）の可変表示結果を「大当り」として大当り遊技状態に制御するか否かなどの決定や変動パターンの決定、当該決定結果に基づく第２特別図柄表示装置４Ｂにおける表示動作の制御（第２特図ゲームの実行）、大当り遊技状態におけるラウンド遊技の制御（大当り遊技状態の実行）などを、所定の手順で行うために、各種の処理が選択されて実行される。特別図柄プロセス処理の詳細は後述するが、タイマ割り込みの発生毎に特別図柄プロセス処理が実行されることによって、第１特図ゲーム及び第２特図ゲームにおける可変表示結果や変動パターンの決定、当該決定に基づく第１特図ゲーム及び第２特図ゲームの実行、大当り遊技状態などが実現される。
【０１２０】
普通図柄プロセス処理では、例えば、通過ゲート４１を遊技球が通過した場合（例えば、スイッチ処理にてゲートスイッチ２１がオン状態になっていると判定された場合）に保留数が上限数に達していなければ普図ゲームの保留記憶（例えば、乱数値を抽出してＲＡＭ１０２に記憶させること）を行ったり、保留記憶（ＲＡＭ１０２に記憶した乱数値）を用いて普図ゲームの可変表示結果を決定したり、普図ゲームの変動パターン（変動時間など）を決定したり、変動パターンに従って普通図柄表示器２０における表示動作（例えばセグメントＬＥＤの点灯、消灯など）を制御して普通図柄の可変表示を実行して普図ゲームの可変表示結果を導出表示したり、可変表示結果が「普図当り」の場合に普通可変入賞球装置６Ｂ（第２始動入賞口）を開放状態にする処理を行ったりする。タイマ割り込みの発生毎に普通図柄プロセス処理が実行されることによって、普図ゲームの実行や、「普図当り」のときの普通可変入賞球装置６Ｂ（第２始動入賞口）の所定期間の開放状態などが実現される。
【０１２１】
コマンド制御処理は、主基板１１から演出制御基板１２などのサブ側の制御基板に対して制御コマンドを伝送させる処理である。一例として、特別図柄プロセス処理や普通図柄プロセス処理、スイッチ処理などでは、制御コマンド（演出制御コマンドなど）の送信設定（例えば、送信する制御コマンドの記憶アドレス値をＲＡＭ１０２に格納する等）が行われ、コマンド制御処理では、送信設定された制御コマンドを、実際に演出制御基板１２などに対して送信する処理が行われる。この送信する処理では、演出制御ＩＮＴ信号などが用いられ、制御コマンドの送信が行われる。
【０１２２】
コマンド制御処理を実行した後には、割込み許可状態に設定してから、遊技制御用タイマ割込み処理を終了する。
【０１２３】
ここで、コマンド制御処理により主基板１１から演出制御基板１２に送信される主な制御コマンドについて図７を参照して説明する。なお、「（Ｈ）」は１６進数であることを示す。
【０１２４】
コマンド８００１（Ｈ）は、第１特別図柄の可変表示（変動）を開始することを指定する演出制御コマンド（第１変動開始指定コマンド）である。コマンド８００２（Ｈ）は、第２特別図柄の可変表示（変動）を開始することを指定する演出制御コマンド（第２変動開始指定コマンド）である。なお、第１特別図柄の可変表示を開始するのか第２特別図柄の可変表示を開始するのかを示す情報を、後述の変動パターン指定コマンドに含めるようにしてもよい。これら変動開始指定コマンドは、変動パターン指定コマンドなどとともに、変動パターンの設定時に送信設定される。
【０１２５】
コマンド８１ＸＸ（Ｈ）は、特別図柄の可変表示に対応して画像表示装置５の領域５Ａにおいて可変表示される飾り図柄などの変動パターン（図１５参照）や領域５Ｂにおいて表示される所定の画像の可変表示のパターン（変動パターン）（図２８参照）を指定する演出制御コマンド（変動パターン指定コマンド）である。なお、この実施の形態では、変動パターンは、第１特図ゲームや第２特図ゲームのパターン（特に、可変表示を開始してから、可変表示結果を導出するまでの期間である特図変動時間）を指定するものでもある。この実施の形態では、変動パターンそれぞれに対応する変動パターン指定コマンドが設定されている。例えば、各変動パターンには、一意の番号（変動パターン番号）が振られ、その番号がコマンド中の「ＸＸ」に設定される（例えば、変動パターンＰＡ１−１なら「０１」など）。変動パターン指定コマンドは、飾り図柄の変動開始を指定するためのコマンドでもあり、変動パターンの設定時に送信設定される。なお、変動パターン指定コマンドは、第１特図の変動パターンと第２特図の変動パターンとで別コマンドとしてもよい。
【０１２６】
コマンド８ＣＸＸ（Ｈ）は、可変表示結果を大当りとするか否かおよび大当り種別（つまり、可変表示結果）を指定する演出制御コマンド（表示結果指定コマンド）である。この実施の形態では、表示結果それぞれに対応する表示結果指定コマンドが設定されている。例えば、各表示結果には、一意の番号が振られ、その番号がコマンド中の「ＸＸ」に設定される（例えば、「ハズレ」なら「００」、大当り種別が「５Ｒ通常」の「大当り」なら「０１」など）。表示結果指定コマンドは、変動パターン指定コマンドなどとともに、変動パターンの設定時に送信設定される。なお、表示結果指定コマンドは、第１特図と第２特図とで別コマンドとしてもよい。
【０１２７】
コマンド８Ｆ０１（Ｈ）は、第１特図ゲーム（領域５Ａで実行される飾り図柄の可変表示など）を終了して可変表示結果（停止図柄）を導出表示することを指定する演出制御コマンド（第１図柄確定指定コマンド）である。コマンド８Ｆ０２（Ｈ）は、第２特図ゲーム（領域５Ｂにおける、第２特図ゲームが実行中であることを示す画像の表示など）を終了して可変表示結果（第２特図ゲームにおける可変表示結果を報知する画像）を導出表示することを指定する演出制御コマンド（第２図柄確定指定コマンド）である。これら図柄確定指定コマンドは、特図ゲーム終了時に送信設定される。
【０１２８】
コマンド９５ＸＸ（Ｈ）は、遊技状態を指定する演出制御コマンド（遊技状態指定コマンド）である。この実施の形態では、遊技状態それぞれに対応する遊技状態指定コマンドが設定されている。例えば、遊技状態が通常状態（低確低ベース）であれば、「ＸＸ」は、「００」に設定される。例えば、遊技状態が高確高ベース状態であれば、「ＸＸ」は、「０１」に設定される。遊技状態指定コマンドは、遊技状態が変化するときなどに送信設定される。
【０１２９】
コマンドＡ００１（Ｈ）は、第１特図ゲームが「大当り」になったことに基づいて制御される大当り遊技状態の開始（ファンファーレの開始など）を指定する演出制御コマンド（第１当り開始指定コマンド）である。コマンドＡ００２（Ｈ）は、第２特図ゲームが「大当り」になったことに基づいて制御される大当り遊技状態の開始（ファンファーレの開始など）を指定する演出制御コマンド（第２当り開始指定コマンド）である。なお、ファンファーレとは、大当り遊技状態の開始時に実行される、大当り遊技状態になったことを報知する演出である。第２特図の場合には、ファンファーレの演出は特に実行されないようにしてもよい（例えば、大当り遊技状態になったことの報知は行われるが、当該報知に対応して特別な演出が実行されなくてもよいし、大当り遊技状態なったことの報知自体も行われなくてもよい）。これら当り開始指定コマンドは、大当り遊技状態が開始されるときに送信設定される。
【０１３０】
コマンドＡ３０１（Ｈ）は、第１特図ゲームが「大当り」になったことに基づいて制御される大当り遊技状態の終了（エンディングの開始など）を指定する演出制御コマンド（第１当り終了指定コマンド）である。コマンドＡ３０２（Ｈ）は、第２特図ゲームが「大当り」になったことに基づいて制御される大当り遊技状態の終了（エンディングの開始など）を指定する演出制御コマンド（第２当り終了指定コマンド）である。なお、エンディングとは、大当り遊技状態の終了時に実行される、大当り遊技状態が終了することを報知する演出である。第２特図の場合には、エンディングの演出は特に実行されないようにしてもよい（例えば、大当り遊技状態が終了することの報知は行われるが、当該報知に対応して特別な演出が実行されなくてもよいし、大当り遊技状態が終了することの報知自体も行われなくてもよい）。これら当り終了指定コマンドは、最後のラウンド遊技が終了したときに送信設定される。
【０１３１】
コマンドＢ１００（Ｈ）は、第１始動入賞口に遊技媒体が進入したことによる第１始動入賞が発生したことを指定する演出制御コマンド（第１始動口入賞指定コマンド）である。コマンドＢ２００（Ｈ）は、第２始動入賞口に遊技媒体が進入したことによる第２始動入賞が発生したことを指定する演出制御コマンド（第２始動口入賞指定コマンド）である。第１始動口入賞指定コマンドと第２始動口入賞指定コマンドとを始動口入賞指定コマンドと総称することがある。これらコマンドは、後述の始動入賞判定処理にて送信設定される。
【０１３２】
コマンドＣ１ＸＸ（Ｈ）は、第１特図保留記憶数を指定する演出制御コマンド（第１特図保留記憶数指定コマンド）である。「ＸＸ」が、第１特図保留記憶数を示す。コマンドＣ２ＸＸ（Ｈ）は、第２特図保留記憶数を指定する演出制御コマンド（第２特図保留記憶数指定コマンド）である。「ＸＸ」が、第２特図保留記憶数を示す。第１特図保留記憶数指定コマンドと第２特図保留記憶数指定コマンドとを総称して、特図保留記憶数指定コマンドという場合がある。特図保留記憶数指定コマンドは、第１特図保留記憶数又は第２特図保留記憶数が変化し得るタイミングで送信設定される。
【０１３３】
コマンドＣ４ＸＸ（Ｈ）は、始動入賞時の判定結果のうち表示結果の判定結果を指定する演出制御コマンド（図柄判定結果指定コマンド）である。コマンドＣ６ＸＸ（Ｈ）は、始動入賞時の判定結果のうち変動パターンの判定結果を指定する演出制御コマンド（変動パターン指定コマンド）である。詳しくは後述するが、第１始動入賞が発生したときに、上記乱数値ＭＲ１〜３が抽出される。この実施の形態では、当該抽出された乱数値ＭＲ１〜３に対応する可変表示について、当該可変表示（第１特図ゲーム）の開始条件の成立前に、この抽出された乱数値ＭＲ１〜３に基づいて、当該可変表示の可変表示結果が「大当り」になるか否か、大当り種別、及び、当該可変表示の変動パターンが判定される（詳しくは後述するが、当該判定は、遊技状態が高確高ベース状態であるとの仮定のもとで判定される）。始動入賞時の判定とは、この判定のことをいい、当該判定は、ステップＳ１００６の入賞時乱数値判定処理にて行われる。表示結果の判定結果には、一意の番号が振られ、その番号が図柄指定コマンド中の「ＸＸ」に設定される（例えば、「ハズレ」なら「００」、「５Ｒ短期」の「大当り」なら「０１」、「５Ｒ通常」の「大当り」なら「０２」など）。変動パターンの判定結果には、変動パターン毎に一意の番号が振られ、その番号が変動パターン指定コマンド中の「ＸＸ」に設定される。これらコマンドは、後述の始動入賞判定処理（ステップＳ１００６）にて送信設定される。
【０１３４】
コマンドＣ７０１（Ｈ）は、第２特図ゲームの表示結果が「大当り」になったことに基づく大当り遊技状態が開始されることによって、第１特図ゲームに関する処理（後述の第１特別図柄プロセス処理のうちの一部の処理であり、第１特図ゲームの実行など）が中断されることを指定するコマンドである（第１中断指定コマンド）。コマンドＣ７０２（Ｈ）は、第１特図ゲームの表示結果が「大当り」になったことに基づく大当り遊技状態が開始されることによって、第２特図ゲームに関する処理（後述の第２特別図柄プロセス処理のうちの一部の処理であり、第２特図ゲームの実行など）が中断されることを指定するコマンドである（第２中断指定コマンド）。コマンドＣ８０１（Ｈ）は、大当り遊技状態が終了することによって、中断中であった第１特図ゲームに関する処理が再開されることを指定するコマンドである（第１再開指定コマンド）。コマンドＣ８０２（Ｈ）は、大当り遊技状態が終了することによって、中断中であった第２特図ゲームに関する処理が再開されることを指定するコマンドである（第２再開指定コマンド）。これら中断指定コマンド又は再開指定コマンドは、前記処理の中断時又は再開時に送信設定される。
【０１３５】
図６は、特別図柄プロセス処理の一例を示すフローチャートである。この特別図柄プロセス処理において、ＣＰＵ１０３は、まず、第１特別図柄プロセス処理（第１特図についてのプロセス処理）を実行し（ステップＳ９２１）、その後、第２特別図柄プロセス処理（第２特図についてのプロセス処理）を実行する（ステップＳ９２２）。その後、デモ表示を行うかを判定する（ステップＳ９２３）。例えば、第１特図保留記憶数が「０」であり（後述の第１特図保留記憶数カウント値によって特定できる）、第２特図保留記憶数が「０」であり（後述の第２特図保留記憶数カウント値によって特定できる）、後述の高確高ベースフラグなどが全てオフ状態であり、第１特図及び第２特図が変動中でなく（例えば、後述の第１特図プロセスフラグ及び第２特図プロセスフラグの値が「０」でない場合など）、かつ、大当り遊技状態に制御されていない（例えば、後述の、第１大当りフラグ、第２大当りフラグなどが全てオフ状態になっているなど）などして、所定のデモ表示の条件が成立している場合には、デモ表示を行うと判定する（ステップＳ９２３；Ｙｅｓ）。
【０１３６】
デモ表示を行う場合（ステップＳ９２３；Ｙｅｓ）、所定のデモ表示設定を行ってから（ステップＳ９２４）、特別図柄通常処理を終了する。このデモ表示設定では、例えば画像表示装置５において所定の演出画像を表示することなどによるデモンストレーション表示（デモ画面表示）を指定する演出制御コマンド（客待ちデモ指定コマンド）が、主基板１１から演出制御基板１２に対して送信済みであるか否かを判定する。このとき、送信済みであれば、そのままデモ表示設定を終了する。これに対して、未送信であれば、客待ちデモ指定コマンドを送信するための設定を行ってから、デモ表示設定を終了する。演出制御基板１２では、客待ちデモ指定コマンドが送信されると、デモ画面表示を行う。デモ表示を行わない場合（ステップＳ９２３；Ｎｏ）、特別図柄プロセス処理は終了する。
【０１３７】
図７は、第１特別図柄プロセス処理の一例を示すフローチャートである。この第１特別図柄プロセス処理において、ＣＰＵ１０３は、まず、第１始動入賞判定処理を実行する（ステップＳ１０１）。図８は、ステップＳ１０１にて実行される第１始動入賞判定処理の一例を示すフローチャートである。
【０１３８】
第１始動入賞判定処理を開始すると、ＣＰＵ１０３は、まず、スイッチ処理の判定結果などに基づいて、第１始動口スイッチ２２Ａがオン状態であるか否かを判定する（ステップＳ１００１）。このとき、第１始動口スイッチ２２Ａがオン状態（スイッチ処理で、第１始動口スイッチ２２Ａがオン状態と判定されているとき）であれば（ステップＳ１００１；Ｙｅｓ）、遊技球の進入（つまり、第１始動入賞口への入賞）が検出されたことになるので、第１特図ゲームの保留記憶数である第１特図保留記憶数が、所定の上限値（例えば「４」）となっているか否かを判定する（ステップＳ１００２）。このとき、ＣＰＵ１０３は、ＲＡＭ１０２の所定領域に設けられた第１特図保留記憶数カウンタ（第１特図保留記憶数をカウントするためのカウンタ）の格納値である第１特図保留記憶数カウント値を読み取ることにより、第１特図保留記憶数を特定できればよい。第１特図保留記憶数が上限値ではないときには（ステップＳ１００２；Ｎｏ）、第１特図保留記憶数カウント値を１加算するように更新する（ステップＳ１００３）。こうして、第１特図保留記憶数カウント値は、第１始動入賞口に遊技球が進入して第１特図ゲームの第１始動条件が成立したときに、１増加（インクリメント）するように更新される。なお、ＣＰＵ１０３は、第１保留表示器２５Ａを制御して、１つ加算された第１特図保留記憶数を特定可能な表示を第１保留表示器２５Ａに行わせる（例えば、ＬＥＤの点灯個数を１つ増やす）ようにしてもよい。
【０１３９】
ステップＳ１００３のあと、ＣＰＵ１０３は、第１始動入賞口における第１始動入賞の発生時に対応した第１始動入賞時遊技用乱数を抽出する（ステップＳ１００４）。一例として、ステップＳ１００４の処理では、乱数回路１０４やＲＡＭ１０２の所定領域に設けられたランダムカウンタ等によって更新される数値データのうちから、第１特図ゲーム用の乱数値として、特図表示結果決定用の乱数値ＭＲ１、大当り種別決定用の乱数値ＭＲ２、変動パターン決定用の乱数値ＭＲ３を示す数値データが抽出される。こうして抽出された各乱数値を示す数値データが保留データとして、ＲＡＭ１０２の所定領域に設けられた第１特図保留記憶部における空きエントリの先頭にセットされることで記憶される（ステップＳ１００５）。例えば、保留データが図９に示すような第１特図保留記憶部にセットされる。
【０１４０】
図９に示す第１特図保留記憶部は、普通入賞球装置６Ａが形成する第１始動入賞口を遊技球が進入して第１始動入賞が発生したものの、未だ開始されていない第１特図ゲームの保留データを記憶する。一例として、第１特図保留記憶部は、第１始動入賞口への入賞順（遊技球の検出順）に保留番号と関連付けて、その遊技球の進入による第１始動条件の成立に基づいてＣＰＵ１０３が乱数回路１０４等から抽出した乱数値ＭＲ１や乱数値ＭＲ２、乱数値ＭＲ３を示す数値データなどを保留データとして、その記憶数が所定の上限値（例えば「４」）に達するまで記憶する。こうして第１特図保留記憶部に記憶された保留データは、第１特図ゲームの実行（第１特図の可変表示）が保留されていることを示し、この第１特図ゲームにおける可変表示結果（第１特図表示結果）に基づき大当り遊技状態に制御すると決定されるか否かや、飾り図柄の可変表示態様が特定態様（例えばリーチ態様など）となるか否かなどを判定可能にする保留記憶情報となる。
【０１４１】
ステップＳ１００５の処理に続いて、入賞時乱数値判定処理（ステップＳ１００６）が実行される。図１０は、ステップＳ１００６にて実行される入賞時乱数値判定処理の一例を示すフローチャートである。
【０１４２】
入賞時乱数値判定処理を開始すると、ＣＰＵ１０３は、ステップＳ１００４で抽出した乱数値ＭＲ１が大当りの判定範囲内であるかを判定する（ステップＳ４０２）。大当りの判定範囲は、後述の第１特図表示結果決定テーブル（図１２参照）における、確変状態のときに「大当り」の決定結果に割り当てられた決定値の範囲であればよい。ＣＰＵ１０３は、この決定値の範囲内に乱数値ＭＲ１が入るか否かを判定する。なお、ここでは、今回の判定対象の可変表示（今回の第１始動入賞口への入賞によって実行される第１特図ゲーム）が高確高ベース状態中に実行されたとした場合の可変表示結果を判定結果として知りたいので（変動パターン等の判定結果についても同様。）、前記判定範囲としては、確変状態のときに「大当り」の決定結果に割り当てられた決定値の範囲が設定される。
【０１４３】
ＣＰＵ１０３は、ステップＳ４０２のあと、乱数値ＭＲ１が大当りの判定範囲内（前記決定値の範囲内）であるか否かを判定し（ステップＳ４０３）、判定範囲内でない場合には（ステップＳ４０３；Ｎｏ）、今回の判定対象の可変表示の可変表示結果（確変状態時での表示結果）の判定結果が「ハズレ」であるので、表示結果が「ハズレ」の判定結果を指定する図柄判定結果指定コマンドの送信設定を行う（ステップＳ４０５）。その後、今回の判定対象の可変表示の変動パターンを判定する（ステップＳ４０６）。ステップＳ４０６ではＣＰＵ１０３は、ステップＳ１００４で抽出した乱数値ＭＲ３に基づいて、図１７（Ｂ）の第１特図ハズレ時変動パターン決定テーブル（詳しくは後述。）を参照し、当該乱数値ＭＲ３に合致する決定値に割り当てられた変動パターンを今回の判定結果とする。
【０１４４】
ステップＳ４０３で判定範囲内であると判定した場合（ステップＳ４０３；Ｙｅｓ）、今回の判定対象の可変表示の可変表示結果（確変状態時での表示結果）の判定結果が「大当り」であるので、大当り種別を判定する（ステップＳ４０９）。ステップＳ４０９ではＣＰＵ１０３は、ステップＳ１００４で抽出した乱数値ＭＲ２に基づいて、図１３の第１大当り種別決定テーブル（詳しくは後述。）を参照し、当該乱数値ＭＲ２に合致する決定値に割り当てられた大当り種別（「５Ｒ通常」又は「５Ｒ短期」）を今回の判定結果とする。その後、ＣＰＵ１０３は、ステップＳ４０９の判定結果（「５Ｒ短期」の「大当り」又は「５Ｒ通常」の「大当り」のいずれかの表示結果）を指定する図柄判定結果指定コマンドの送信設定を行う（ステップＳ４１０）。その後、今回の判定対象の可変表示の変動パターンを判定する（ステップＳ４１１）。ステップＳ４１１ではＣＰＵ１０３は、ステップＳ１００４で抽出した乱数値ＭＲ３に基づいて、図１６（Ｂ）の第１特図大当り時変動パターン決定テーブル（詳しくは後述。）を参照し、当該乱数値ＭＲ３に合致する決定値に割り当てられた変動パターンを今回の判定結果とする。
【０１４５】
ステップＳ４０６、Ｓ４１１のあと、ＣＰＵ１０３は、変動パターンの判定結果（ステップＳ４０６、Ｓ４１１での判定結果）を指定する（つまり、今回判定された変動パターンを指定する）変動パターン判定結果指定コマンドの送信設定を行い（ステップＳ４１３）、第１特図保留記憶数指定コマンド（ステップＳ１００３で１加算した第１特図保留記憶数カウント値を指定するコマンド）と、第１始動口入賞指定コマンドと、の送信設定を行う（ステップＳ４１４）。
【０１４６】
ステップＳ４０５又はＳ４１０、ステップＳ４１３、ステップＳ４１４の処理が行われ、その後にコマンド制御処理が行われることにより、始動入賞時のコマンド（図柄判定結果指定コマンド、変動パターン判定結果指定コマンド、第１特図保留記憶数指定コマンド、第１始動口入賞指定コマンド）が一セットとして送信される。
【０１４７】
図８に戻り、第１始動口スイッチ２２Ａがオフ状態である場合（ステップＳ１００１；Ｎｏ）、第１特図保留記憶数が上限値である場合（ステップＳ１００２；Ｙｅｓ）、又は、ステップＳ１００６のあと、第１始動入賞判定処理は終了する。
【０１４８】
図７に戻り、ステップ１０１の後、ＣＰＵ１０３は、ＲＡＭ１０２の所定領域に設けられた第２特図プロセスフラグ（第２特別図柄プロセス処理で使用されるフラグ）の値が「４」〜「７」であるかを判定する（ステップＳ１０２）。第２特図プロセスフラグの値が「４」〜「７」となっている期間は、後述のように、第２特図ゲームにおいて「大当り」が導出されたことに基づいてパチンコ遊技機１が大当り遊技状態に制御される期間（以下、第２大当り期間ともいう。）である。
【０１４９】
第２特図プロセスフラグの値が「４」〜「７」である場合（ステップＳ１０２；Ｙｅｓ）、つまり、現在が、第２大当り期間である場合、この期間が開始されてから第１中断指定コマンドが未送信であるか否かを判定する（ステップＳ１０５）。
【０１５０】
第２特図ゲームにおいて「大当り」が導出表示されてパチンコ遊技機１が大当り遊技状態に移行する場合、この実施の形態では、第１特別図柄プロセス処理のうちの一部の処理は一旦中断され、大当り遊技状態の終了時（第２大当り期間の終了時）に再開される。特に、第１特図ゲームの実行中に、第２特図ゲームにおいて「大当り」が導出表示されてパチンコ遊技機１が大当り遊技状態に移行する場合には、当該第１特図ゲームの実行が中断され、当該大当り遊技状態の終了後に当該第１特図ゲームは再開する。第１中断指定コマンドは、この中断を演出制御基板１２に指定する。この実施の形態では、第１中断指定コマンドが未送信であるか否かの判定は、ＲＡＭ１０２の所定領域に第１中断指定コマンド送信フラグ（第１中断指定コマンドが送信されたときにオン状態となり、処理再開時にオフ状態となるフラグ）を設けておき、このフラグがオン状態となっているか否かの判定によって行われる。
【０１５１】
第１中断指定コマンド送信フラグがオフ状態であるなどして、第１中断指定コマンドが未送信である場合（ステップＳ１０５；Ｙｅｓ）、第１中断指定コマンドを送信する必要があるので、第１中断指定コマンド送信フラグをオン状態とするとともに第１中断指定コマンドの送信設定を行って（ステップＳ１０６）、第１特別図柄プロセス処理を終了する。こうして送信設定されたコマンドは、例えば特別図柄プロセス処理が終了した後、コマンド制御処理が実行されることなどにより、主基板１１から演出制御基板１２に対して伝送される。第１中断指定コマンド送信フラグがオン状態であるなどして、第１中断指定コマンドが１回の中断においてすでに送信されている場合（ステップＳ１０５；Ｎｏ）、そのまま第１特別図柄プロセス処理を終了する。
【０１５２】
第２特図プロセスフラグの値が「４」〜「７」でない場合（ステップＳ１０２；Ｎｏ）、つまり、現在が、第２大当り期間中でない場合、第１中断指定コマンドが送信されているか否か（第１中断指定コマンド送信フラグがオン状態であるか否か）を判定する（ステップＳ１０３）。第１中断指定コマンド送信フラグがオン状態などであり、第１中断指定コマンドが送信されている場合（ステップＳ１０３；Ｙｅｓ）、第１特別図柄プロセス処理のうちの一部の処理の中断が実行されていたことになるので、ＣＰＵ１０３は、第１特別図柄プロセス処理のうちの一部の処理の再開（第１特図ゲームの実行再開など）を指定する第１再開指定コマンドの送信処理を行う（ステップＳ１０４）。なお、ステップＳ１０４では、第１中断指定コマンド送信フラグをオフ状態にリセットすることも行われる。こうして送信設定されたコマンドは、例えば特別図柄プロセス処理が終了した後、コマンド制御処理が実行されることなどにより、主基板１１から演出制御基板１２に対して伝送される。ステップＳ１０４の処理のあと、又は、第１中断指定コマンド送信フラグがオフ状態で第１中断指定コマンドが送信されていないと判定した場合（ステップＳ１０３；Ｎｏ、つまり、前記の中断が直前になかった場合）、ステップＳ１１０〜Ｓ１１７のいずれかの処理が実行される。
【０１５３】
上記ステップＳ１０２〜Ｓ１０６の処理によって、第２特図ゲームにおける可変表示結果が「大当り」となって、パチンコ遊技機１が大当り遊技状態に制御されている期間（第２大当り期間）には、第１特別図柄プロセス処理の一部の処理が中断され、当該期間の終了後には中断された処理が再開されることになる。特に、第１特図ゲームの実行中に、第２特図ゲームにおいて「大当り」が導出表示されてパチンコ遊技機１が大当り遊技状態に移行する場合には、当該第１特図ゲームの実行（タイマ割り込み毎に実行されるステップＳ１１２など）が中断され、当該大当り遊技状態の終了後に第１特図ゲーム（タイマ割り込み毎に実行されるステップＳ１１２など）は再開する。また、中断時及び再開時には、そのことを通知する制御コマンド（第１中断指定コマンド及び第１再開指定コマンド）が送信され、演出制御基板１２に中断又は再開が通知される。
【０１５４】
なお、ステップＳ１０６では、第１特図プロセスフラグの値が「２」であるとき（第１特図ゲームの実行中の期間内）などに、第１特別図柄表示装置４Ａにおける第１特図の表示を更新させる制御信号（詳しくは後述）の送信を中断することも行い、これ以降、第１特図ゲームが再開されるまで、第１特別図柄表示装置４Ａに何も表示しないようにして、第１特図ゲームの実行が中断されたことを報知してもよい。また、ＣＰＵ１０３は、ステップＳ１０５でＮｏと判定したときに、第１特図プロセスフラグの値が「２」であるとき（第１特図ゲームの実行中の期間内）などに、所定の制御信号を送信する設定を行い、第１特別図柄表示装置４Ａに第１特図のハズレ図柄など（又は中断用の所定の図柄などであってもよい。）を所定期間表示させることによって、第１特図ゲームの実行が中断されたことを報知してもよい。または、第１特図の表示を更新させる制御信号の送信は中断せずに、内部的には、第１特図ゲームの実行を中断させるが（例えば、後述の第１特図ゲームの経過時間の計測などを中断させるが）、第１特別図柄表示装置４Ａの見た目上、第１特図ゲームが中断されたことを報知しないようにしてもよい。
【０１５５】
ＣＰＵ１０３は、ＲＡＭ１０２の所定領域に設けられた第１特図プロセスフラグの値（初期値は「０」）に応じて、ステップＳ１１０〜Ｓ１１７の処理のいずれかを選択して実行する。
【０１５６】
ステップＳ１１０の第１特別図柄通常処理は、第１特図プロセスフラグの値が「０」のときに実行される。図１１は、第１特別図柄通常処理として、図７のステップＳ１１０にて実行される処理の一例を示すフローチャートである。図１１に示す第１特別図柄通常処理において、ＣＰＵ１０３は、まず、第１特図保留記憶数が「０」であるか否かを判定する（ステップＳ１１０１）。ＣＰＵ１０３は、第１特図保留記憶数カウント値を読み出し、その読出値が「０」であるか否かを判定すればよい。
【０１５７】
ステップＳ１１０１にて第１特図保留記憶数が「０」以外であるときには（ステップＳ１１０１；Ｎｏ）、例えば第１特図保留記憶部の先頭領域（例えば保留番号「１」に対応する記憶領域）といった、ＲＡＭ１０２の所定領域に記憶されている保留データとして、所定の乱数値を示す数値データ（乱数値ＭＲ１〜ＭＲ３）を読み出す（ステップＳ１１０２）。これにより、図８に示すステップＳ１００４の処理で第１始動入賞口における始動入賞（第１始動入賞）の発生に対応して抽出された遊技用乱数（第１始動入賞時遊技用乱数）が読み出される。このとき読み出された数値データは、例えばＲＡＭ１０２の所定領域に設けられた第１変動用乱数バッファなどに格納されて、一時記憶されればよい。
【０１５８】
ステップＳ１１０２の処理に続いて、例えば第１特図保留記憶数カウント値を１減算して更新することなどにより、第１特図保留記憶数を１減算させるように更新するとともに、第１特図保留記憶部における記憶内容をシフトさせる（ステップＳ１１０３）。例えば、第１特図保留記憶部にて保留番号「１」より下位の記憶領域（保留番号「２」〜「４」に対応する記憶領域）に記憶された保留データを、１エントリずつ上位にシフトする。
【０１５９】
ステップＳ１１０３の処理のいずれかを実行した後には、第１特別図柄の可変表示結果（第１特図ゲームにおける可変表示結果）である第１特図表示結果を、「大当り」と「ハズレ」とのいずれかに決定する（ステップＳ１１０４）。一例として、ステップＳ１１０４の処理では、予めＲＯＭ１０１の所定領域に記憶するなどして用意された第１特図表示結果決定テーブルを選択し、第１特図表示結果を決定するための使用テーブルに設定する。第１特図表示結果決定テーブルでは、例えば、図１２に示すように、特図表示結果決定用の乱数値ＭＲ１と比較される数値（決定値）が、第１特図表示結果を「大当り」と「ハズレ」とのいずれとするかの決定結果に、遊技状態が確変状態であるか否かに応じて割り当てられていればよい。
【０１６０】
ＣＰＵ１０３は、乱数値ＭＲ１を示す数値データを第１変動用乱数バッファから読み出し、遊技状態が確変状態であるか否かと、乱数値ＭＲ１を示す数値データと、に基づいて、使用テーブルに設定された第１特図表示結果決定テーブルを参照することにより、遊技状態が確変状態であるか否かに応じて乱数値ＭＲ１に該当する決定値に割り当てられた「大当り」と「ハズレ」とのいずれかの決定結果を第１特図表示結果として決定すればよい。ＣＰＵ１０３は、ＲＡＭ１０２の所定領域に設けられた高確高ベースフラグ（高確高ベース状態のときにオン状態になるフラグ）がオン状態である場合に、確変状態であると判定すればよい。例えば、乱数値ＭＲ１が「９０００」であるとき、ＣＰＵ１０３は、高確高ベースフラグがオン状態である場合には、第１特図表示結果を「大当り」にすると決定し、高確高ベースフラグがオフ状態である場合には、第１特図表示結果を「ハズレ」にすると決定する。
【０１６１】
図１２に示すように、確変状態（高確高ベース状態）のときには、非確変状態のときよりも高い割合で、第１特図表示結果が「大当り」に決定される。したがって、例えば大当り遊技状態終了時において高確高ベースフラグがオン状態にセットされたことなどに基づいて、現在が確変状態（高確高ベース）であるときには、非確変状態のときよりも、第１特図表示結果が「大当り」になりやすく、大当り遊技状態になりやすい。
【０１６２】
その後、ＣＰＵ１０３は、ステップＳ１１０４の処理により決定された第１特図表示結果が「大当り」であるか否かを判定する（ステップＳ１１０５）。第１特図表示結果が「大当り」に決定された場合には（ステップＳ１１０５；Ｙｅｓ）、ＲＡＭ１０２の所定領域に設けられた第１大当りフラグをオン状態にセットする（ステップＳ１１０６）。
【０１６３】
また、第１特図ゲームの表示結果が「大当り」のときの大当り種別（第１大当り種別）を複数種類のいずれかに決定する（ステップＳ１１０７）。一例として、ステップＳ１１０７の処理では、予めＲＯＭ１０１の所定領域に記憶するなどして用意された第１大当り種別決定テーブルを選択し、第１大当り種別を決定するための使用テーブルに設定する。第１大当り種別決定テーブルでは、大当り種別決定用の乱数値ＭＲ２と比較される数値（決定値）が、大当り種別の決定結果として「５Ｒ通常」又は「５Ｒ短期」に割り当てられていればよい（図１３参照）。ＣＰＵ１０３は、ステップＳ１１０２で第１変動用乱数バッファに一時格納した遊技用乱数に含まれる乱数値ＭＲ２を示す数値データを第１変動用乱数バッファから読み出し、読み出した乱数値ＭＲ２を示す数値データに基づいて、使用テーブルに設定された第１大当り種別決定テーブルを参照することにより、乱数値ＭＲ２に該当する決定値に割り当てられた「５Ｒ通常」又は「５Ｒ短期」を大当り種別として決定すればよい。
【０１６４】
この実施の形態では、第１特図ゲームでの「大当り」の大当り種別としては、「５Ｒ通常」及び「５Ｒ短期」がある。図１３に示すように、この実施の形態では、大当り種別として「５Ｒ通常」の方が選択される割合が高くなっている。
【０１６５】
ステップＳ１１０７の処理を実行した後には、大当り種別を記憶させる（ステップＳ１１０８）。ＣＰＵ１０３は、ＲＡＭ１０２の所定領域に設けられた第１大当り種別バッファに、大当り種別の決定結果を示す大当り種別バッファ設定値（図１３参照）を格納することにより、大当り種別を記憶させればよい。
【０１６６】
第１特図表示結果が「大当り」ではない場合（ステップＳ１１０５；Ｎｏ）、ステップＳ１１０８を実行した後には、第１特図ゲームで最終的に導出表示される第１確定特別図柄を決定する（ステップＳ１１１１）。一例として、第１大当りフラグがオフ状態のときには、ハズレ図柄として予め定められた特別図柄「−」を第１確定特別図柄に決定する。一方、第１大当りフラグがオン状態のときには、ステップＳ１１０７における大当り種別の決定結果に応じて（大当り種別バッファ設定値に応じて）、複数種類の大当り図柄として予め定められた特別図柄のいずれか（大当り種別が「５Ｒ通常」であれば「７」、「５Ｒ短期」であれば「６」）を第１確定特別図柄に決定すればよい。
【０１６７】
ステップＳ１１１１の処理を実行した後には、第１特図プロセスフラグの値を「１」に更新してから（ステップＳ１１１２）、第１特別図柄通常処理を終了する。ステップＳ１１１１にて特図プロセスフラグの値が「１」に更新されることにより、次回のタイマ割込みが発生したときには、図１２に示すステップＳ１１１の変動パターン設定処理が実行される。
【０１６８】
第１特図ゲームの保留記憶数が「０」である場合には（ステップＳ１１０１；Ｙｅｓ）、第１特別図柄通常処理を終了する。
【０１６９】
図７のステップＳ１１１の第１変動パターン設定処理（変動パターンを設定する処理）は、第１特図プロセスフラグの値が「１」のときに実行される。図１４は、第１変動パターン設定処理として、図７のステップＳ１１１にて実行される処理の一例を示すフローチャートである。
【０１７０】
なお、変動パターンは、第１特図の可変表示に対応する飾り図柄の可変表示の内容（可変表示態様）や第１特図ゲームの内容（ここでは、可変表示の特図変動時間（可変表示の開始から表示結果の導出表示までの期間））などを指定するものであればよい。
【０１７１】
ここで、図１５に、この実施の形態で使用される第１特図用の変動パターンを示す。図１５のように、この実施の形態では、第１特図表示結果が「ハズレ」となる場合のうち、飾り図柄の可変表示態様がリーチ態様にはならない「非リーチ」である場合とリーチ態様になる「リーチ」である場合のそれぞれに対応して、また、第１特図表示結果が「大当り」となる場合などに対応して、変動パターンが予め用意されている。
【０１７２】
この実施の形態では、遊技状態が通常状態のときに使用され、かつ、飾り図柄の可変表示結果が「ハズレ」で「非リーチ」を指定する変動パターンとして、変動パターンＰＡ１−１が用意されている。遊技状態が通常状態のときに使用され、かつ、可変表示結果が「ハズレ」で「リーチ成立」を指定する変動パターンとして、リーチ成立後にノーマルリーチの実行を指定する変動パターンＰＡ２−１、リーチ成立後にノーマルリーチからスーパーリーチＡに発展させることを指定する変動パターンＰＡ２−２、リーチ成立後にノーマルリーチからスーパーリーチＢに発展させることを指定する変動パターンＰＡ２−３が用意されている。
【０１７３】
遊技状態が通常状態のときに使用され、かつ、可変表示結果が「大当り」のときの変動パターンとして、リーチ成立後にノーマルリーチの実行を指定する変動パターンＰＡ３−１、リーチ成立後にノーマルリーチからスーパーリーチＡに発展させることを指定する変動パターンＰＡ３−２、リーチ成立後にノーマルリーチからスーパーリーチＢに発展させることを指定する変動パターンＰＡ３−３が用意されている。
【０１７４】
また、遊技状態が高確高ベース状態のときに使用され（チャンス期間用）、かつ、可変表示結果が「ハズレ」で「リーチ成立」のときの変動パターンとして、リーチ成立を指定する変動パターンＰＡ４−１〜ＰＡ４−３（リーチ演出は特に実行されない。）が用意されている。
【０１７５】
また、遊技状態が高確高ベース状態のときに使用され（チャンス期間用）、かつ、可変表示結果が「大当り」のときの変動パターンとして、リーチ成立を指定する変動パターンＰＡ５−１〜ＰＡ５−３（リーチ演出は特に実行されない。）が用意されている。
【０１７６】
上記各変動パターンは、図１６に示すような第１特図変動時間（第１特図の可変表示の開始から表示結果の導出表示までの期間）を指定するが、チャンス期間用の変動パターンの第１特図変動時間は、通常状態のときに使用される変動パターンの第１特図変動時間よりも長くなっている。
【０１７７】
図１４に示す第１変動パターン設定処理において、ＣＰＵ１０３は、まず、第１大当りフラグがオン状態であるか否かを判定する（ステップＳ１２０１）。
【０１７８】
そして、第１大当りフラグがオン状態である場合には（ステップＳ１２０１；Ｙｅｓ）、高確高ベースフラグの状態に応じた第１特図大当り時変動パターン決定テーブルを使用テーブルに設定する（ステップＳ１２０２）。その後、使用テーブルに設定した第１特図大当り時変動パターン決定テーブルを参照して、変動パターン（第１特図大当り時変動パターン）を決定する（ステップＳ１２０３）。
【０１７９】
この実施の形態では、高確高ベースフラグがオフ状態となっている場合（つまり、通常状態のとき）には、ステップＳ１２０２において、図１６（Ａ）に示す第１特図大当り時変動パターン決定テーブルを使用テーブルに設定する。高確高ベースフラグがオン状態となっている場合（つまり、高確高ベース状態のとき）には、ステップＳ１２０２において、図１６（Ｂ）に示す第１特図大当り時変動パターン決定テーブルを使用テーブルに設定する。各テーブルは、予めＲＯＭ１０１の所定領域に記憶するなどして用意される。
【０１８０】
第１特図大当り時変動パターン決定テーブルでは、変動パターン決定用の乱数値ＭＲ３と比較される数値（決定値）が、変動パターンの決定結果に、割り当てられていればよい。ＣＰＵ１０３は、第１変動用乱数バッファから読み出した乱数値ＭＲ３を示す数値データに基づいて、使用テーブルとして設定された第１特図大当り時変動パターン決定テーブルを参照することにより、乱数値ＭＲ３に該当する決定値に割り当てられた変動パターンを今回使用される変動パターンとして決定（選択）すればよい。
【０１８１】
第１大当りフラグがオフ状態である場合には（ステップＳ１２０１；Ｎｏ）、ＣＰＵ１０３は、高確高ベースフラグの状態に応じた第１特図ハズレ時変動パターン決定テーブルを使用テーブルに設定する（ステップＳ１２０７）。その後、使用テーブルに設定した第１特図ハズレ時変動パターン決定テーブルを参照して、変動パターン（第１特図ハズレ時変動パターン）を決定する（ステップＳ１２０８）。
【０１８２】
この実施の形態では、高確高ベースフラグがオフ状態となっている場合（つまり、通常状態のとき）には、ステップＳ１２０７において、図１７（Ａ）に示す第１特図ハズレ時変動パターン決定テーブルを使用テーブルに設定する。高確高ベースフラグがオン状態となっている場合（つまり、高確高ベース状態のとき）には、ステップＳ１２０２において、図１７（Ｂ）に示す第１特図ハズレ時変動パターン決定テーブルを使用テーブルに設定する。各テーブルは、予めＲＯＭ１０１の所定領域に記憶するなどして用意される。
【０１８３】
第１特図ハズレ時変動パターン決定テーブルでは、変動パターン決定用の乱数値ＭＲ３と比較される数値（決定値）が、変動パターンの決定結果に、割り当てられていればよい。ＣＰＵ１０３は、第１変動用乱数バッファから読み出した乱数値ＭＲ３を示す数値データに基づいて、使用テーブルとして設定された第１特図ハズレ時変動パターン決定テーブルを参照することにより、乱数値ＭＲ３に該当する決定値に割り当てられた変動パターンを今回使用される変動パターンとして決定（選択）すればよい。
【０１８４】
図１６及び図１７の決定割合から分かるように、通常状態時においては、スーパーリーチＢが実行されるときの大当り期待度（可変表示結果が「大当り」となる可能性）が最も高く、スーパーリーチＡが実行されるときの大当り期待度が次に高く、スーパーリーチが実行されないノーマルリーチときの大当り期待度が次に高い。
【０１８５】
なお、高確高ベース状態時においての各変動パターンの決定割合は、任意に変更可能である。各変動パターンにおいて、大当り期待度が異なるようにテーブルの内容を設定してもよい。
【０１８６】
大当り期待度は、例えば、（大当り時にその演出が実行される確率）×（大当りになる確率）／｛（大当り時にその演出が実行される確率）×（大当りになる確率）＋（大当り時以外にその演出が実行される確率）×（大当りにならない確率）｝によって算出される（大当り期待度が「１」になる場合には、可変表示結果は必ず「大当り」になる。以下、大当り期待度について同じ。）。
【０１８７】
図１６及び図１７のように、通常状態であれば、通常状態用の変動パターンＰＡ１−１、ＰＡ２−１〜ＰＡ２−３、ＰＡ３−１〜ＰＡ３−３のいずれかが選択され、高確高ベース状態であれば、高確高ベース状態用の変動パターンＰＡ４−１〜ＰＡ４−３、ＰＡ５−１〜ＰＡ５−３のいずれかが選択される。
【０１８８】
図１４に戻り、ステップＳ１２０３、Ｓ１２０８の処理のいずれかを実行した後には、第１特図変動時間を設定する（ステップＳ１２０９）。第１特図変動時間は、上記でも説明しているように、第１特図ゲームにおいて第１特別図柄の変動を開始してから可変表示結果（第１特図表示結果）となる第１確定特別図柄が導出表示されるまでの所要時間である。第１特図変動時間は、予め用意された複数の変動パターンそれぞれによって指定される（ここでは、第１特図変動時間が各変動パターンに対応して用意されることで、各変動パターンは第１特図変動時間を指定している。）。ＣＰＵ１０３は、ステップＳ１２０３、Ｓ１２０８の処理で選択した変動パターンによって指定される第１特図変動時間を設定することにより、第１特別図柄や飾り図柄の可変表示結果が導出されるタイミングを設定できる。第１特図変動時間の設定は、例えば、第１特図変動時間に応じたタイマ値を、ＲＡＭ１０２の所定領域に設けられた第１遊技制御プロセスタイマに設定することなどによって行われる。なお、他の時間設定も、タイマ値を設定するなどすることによって適宜行われればよい。
【０１８９】
ステップＳ１２０９の処理に続いて、開始条件が成立した特図ゲームである第１特図ゲームを開始させるように、第１特別図柄の変動を開始させる設定を行う（ステップＳ１２１０）。一例として、第１特別図柄表示装置４Ａにおける第１特図の表示を更新させる制御信号（駆動信号）を送信する設定を行う。これによって、制御信号が送信され、第１特図の可変表示（変動）が開始される。なお、ＣＰＵ１０３は、第１特図を用いた可変表示を開始するときには、第１保留表示器２５Ａを制御して、１つ減算された第１特図保留記憶数を特定可能な表示を第１保留表示器２５Ａに行わせる（例えば、ＬＥＤの点灯個数を１つ減らす）ようにしてもよい。
【０１９０】
ステップＳ１２１０の処理を実行した後には、特別図柄の変動開始時におけるコマンドの送信設定が行われる（ステップＳ１２１１）。例えば、ＣＰＵ１０３は、主基板１１から演出制御基板１２に対して第１変動開始指定コマンド、変動パターン指定コマンド（上記処理で決定した変動パターンを指定するコマンド）、表示結果指定コマンド（上記処理で決定した可変表示結果を指定するコマンド）、第１特図保留記憶数指定コマンド（上記処理で１減算した第１特図保留記憶数カウント値を指定するコマンド）を順次に送信するための送信設定を行う。送信設定されたコマンドは、例えば特別図柄プロセス処理が終了した後、上述のコマンド制御処理が実行されることなどにより、主基板１１から演出制御基板１２に対して伝送される。
【０１９１】
ステップＳ１２１１の処理を実行した後には、第１特図プロセスフラグの値を「２」に更新してから（ステップＳ１２１２）、第１変動パターン設定処理を終了する。ステップＳ１２１２にて第１特図プロセスフラグの値が「２」に更新されることにより、次回のタイマ割込みが発生したときには、図７に示すステップＳ１１２の第１特別図柄変動処理が実行される。
【０１９２】
図７のステップＳ１１２の第１特別図柄変動処理は、第１特図プロセスフラグの値が“２”のときに実行される。この第１特別図柄変動処理には、第１遊技制御プロセスタイマのタイマ値を１減算する処理などが含まれている（これによって、第１特図ゲームの実行時間が計測されることなる。また、ステップＳ１０２でＹｅｓと判定したことで、第１特別図柄プロセス処理の一部が中断されると、当該実行時間の計測が中断されることにもなる。）。そして、第１遊技制御プロセスタイマのタイマ値（１減算したあとのタイマ値）が０でないときには、第１特図変動時間が経過していないので、第１特図ゲームの可変表示を実行するための制御（例えば、第１特図の表示を更新（所定時間特別図柄の表示を維持させるための更新を適宜含む。以下同じ。）させる制御信号（駆動信号）を送信する制御）などを行って第１特別図柄表示装置４Ａにおいて第１特図を変動させるための処理を行い、第１特別図柄変動処理を終了する。一方で、第１遊技制御プロセスタイマのタイマ値が０になり、第１特図の変動を開始してからの経過時間がステップＳ１１１で設定された第１特図変動時間に達したときには、第１特別図柄表示装置４Ａにて特別図柄の変動を停止させ、第１特図ゲームの可変表示結果となる第１確定特別図柄（ステップＳ１１０で設定された第１確定特別図柄）を停止表示（導出表示）させ（第１確定特別図柄は、所定時間表示し続けるように制御するとよい。）、また、停止表示するときに第１図柄確定指定コマンドの送信設定も行い、第１特図プロセスフラグの値を“３”に更新し、第１特別図柄変動処理は終了する。タイマ割り込みの発生毎にステップＳ１１２が繰り返し実行されることによって、第１特別図柄の可変表示（第１特図ゲーム）や確定特別図柄（第１特図表示結果）の導出表示などが実現される。
【０１９３】
図７のステップＳ１１３の第１特別図柄停止処理は、第１特図プロセスフラグの値が「３」のときに実行される。第１特別図柄停止処理は、第１特別図柄を停止したこと（つまり、第１特図ゲームが終了したこと）に伴って行われる処理である。図１８は、第１特別図柄停止処理として、図７のステップＳ１１３にて実行される処理の一例を示すフローチャートである。
【０１９４】
図１８に示す第１特別図柄停止処理において、ＣＰＵ１０３は、まず、第１大当りフラグがオン状態であるか否かを判定する（ステップＳ１３０１）。第１大当りフラグがオン状態である場合（ステップＳ１３０１；Ｙｅｓ）、高確高ベースフラグをオフ状態とする（もともとオフ状態の場合にはオフ状態を維持する。）。これによって、大当り時には、遊技状態が通常状態となる。
【０１９５】
その後、第１ファンファーレ待ち時間（大当り遊技状態におけるファンファーレの開始から終了するまでの待ち時間であり、予め定められた時間である。）に対応するタイマ値を初期値として第１遊技制御プロセスタイマにセットする（ステップＳ１３０３）、その後、大当り遊技状態におけるラウンド遊技の回数（ここでは、大当り種別にかかわらず「５」）をＲＡＭ１０２の所定領域に設けられた第１ラウンド数カウンタ（ラウンド遊技の回数であるラウンド数をカウントするためのカウンタ）のカウント初期値に設定する（ステップＳ１３０４）。
【０１９６】
その後、ＣＰＵ１０３は、第１当り開始指定コマンド、遊技状態指定コマンドの送信設定を行う（ステップＳ１３０５）。送信設定されたコマンドは、例えば特別図柄プロセス処理が終了した後、上述のコマンド制御処理が実行されることなどにより、主基板１１から演出制御基板１２に対して伝送される。なお、大当り終了後において、再度遊技状態指定コマンドは送信されるので、ここで遊技状態指定コマンドの送信設定はしなくてもよい。ステップＳ１３０５のあとは、第１特図プロセスフラグを「４」に更新し（ステップＳ１３０６）、第１特別図柄停止処理を終了する。
【０１９７】
第１大当りフラグがオフ状態である場合（ステップＳ１３０１；Ｎｏ）、第１特図プロセスフラグを「０」に更新し（ステップＳ１３０７）、第１特別図柄停止処理を終了する。
【０１９８】
図７のステップＳ１１４の第１大当り開放前処理は、第１特図プロセスフラグの値が「４」のときに実行される。この第１大当り開放前処理では、例えば、第１遊技制御プロセスタイマのタイマ値を１減算する。減算後のタイマ値が「０」でない場合には、第１ファンファーレ待ち時間がまだ経過していないことになるので、第１大当り開放前処理は終了する。減算後のタイマ値が「０」である場合には、第１ファンファーレ待ち時間が経過し、ラウンド遊技の開始タイミングになったことになる。この場合には、ラウンド遊技を開始させるため、特別可変入賞球装置７が形成する大入賞口を開放状態とする処理（例えば、ソレノイド駆動信号を供給してソレノイド８２をオン状態にする処理）を実行し、大入賞口を開放状態とする上限期間（ステップＳ１１０８で記憶させた大当り種別に応じた時間。ステップＳ１１０８で記憶させた大当り種別が「５Ｒ通常」であれば「５秒」、「５Ｒ短期」であれば「０．１秒」、大当り種別は、第１大当り種別バッファに格納した大当り種別バッファ設定値で特定すればよい。）に対応するタイマ値を第１遊技制御プロセスタイマに設定する処理などが実行される。大入賞口を開放状態とする処理などが実行されたときには、第１特図プロセスフラグの値が“５”に更新され、大当り開放前処理は終了する。タイマ割り込みの発生毎にステップＳ１１４が繰り返し行われることによって、ラウンド遊技の開始タイミングまでの待機（ファンファーレの終了までの待機）及びラウンド遊技の開始（大入賞口の開放）などが実現される。
【０１９９】
ステップＳ１１５の第１大当り開放中処理は、第１特図プロセスフラグの値が「５」のときに実行される。この第１大当り開放中処理には、第１遊技制御プロセスタイマのタイマ値を１減算する処理や、１減算したあとのタイマ値や、１回のラウンド遊技においてカウントスイッチ２３によって検出された遊技球の個数（スイッチ処理でカウントスイッチ２３がオン状態と判定される毎に１カウントするカウンタ（ＲＡＭ１０２に設けられる。）などによってカウントされればよい。）などに基づいて、大入賞口を閉鎖状態とするタイミングとなったか否かを判定する処理などが含まれる。
【０２００】
１減算したあとのタイマ値が０になった、又は、検出された遊技球の個数（前記カウンタのカウント値）が所定個数（例えば９個）に達したと判定したときには、大入賞口を閉鎖状態に戻すタイミングになったので、大入賞口を閉鎖状態に戻す処理（例えば、ソレノイド８２をオンにするソレノイド駆動信号の供給を停止して、又は、ソレノイド８２をオフにするソレノイド駆動信号を供給して、ソレノイド８２をオフにする処理）や、大入賞口を閉鎖する期間（ラウンド遊技のインターバル期間であり、予め設定されている期間、ステップＳ１１０８で記憶させた大当り種別に応じて異なる期間としてもよい。）に対応するタイマ値を第１遊技制御プロセスタイマに設定する処理や、第１ラウンド数カウンタのカウント値を１減じる処理などが実行される。また、大入賞口を閉鎖状態にした場合には、特図プロセスフラグの値が“６”に更新され、第１大当り開放中処理は終了する。
【０２０１】
１減算したあとのタイマ値が０になってもなく、検出された遊技球の個数も所定個数に達していない場合には、大入賞口を開放状態に維持する処理（例えば、大入賞口の開放を維持するソレノイド駆動信号を供給する処理）などを必要に応じて行って、第１大当り開放中処理を終了する。
【０２０２】
なお、大入賞口を開放状態に維持する処理を行った場合には、例えば、図１９に示す処理が実行される。図１９に示す処理では、ＣＰＵ１０３は、確変検出スイッチ２４がオンとなったか否かを判定する（ステップＳ１４０１）。例えば、スイッチ処理で確変検出スイッチ２４がオン状態と判定されるなどして、変検出スイッチ２４がオンとなっていると判定した場合（ステップＳ１４０１；Ｙｅｓ）、この場合、確変検出領域４０へ遊技球が進入したことになり、ＲＡＭ１０２の所定領域に設けられた確変検出スイッチフラグをオン状態とする（すでにオン状態であれば、オン状態を維持する）（ステップＳ１４０２）。確変検出スイッチ２４がオンとなっていない場合（ステップＳ１４０１；Ｎｏ）、ステップＳ１４０２の後は、図１９に示す処理は終了する。
【０２０３】
タイマ割り込みの発生毎にステップＳ１１５が繰り返し行われることによって、大入賞口を閉鎖タイミングまで開放状態とし、最後に大入賞口は閉鎖されることになる。
【０２０４】
ステップＳ１１６の第１大当り開放後処理は、第１特図プロセスフラグの値が「６」のときに実行される。第１大当り開放後処理では、第１ラウンド数カウンタのカウント値が「０」になったか否かを判定する処理や、「０」になっていない場合に第１遊技制御プロセスタイマのタイマ値を１減じる処理などが行われる。
【０２０５】
第１ラウンド数カウンタのカウント値が「０」であると判定された場合には、ラウンド遊技が上限回数に達したことになるので、第１遊技制御プロセスタイマに第１エンディング待ち時間（大当り遊技状態のおけるエンディングの開始から終了するまでの待ち時間であり、予め定められた時間である。）に対応したタイマ値を第１遊技制御プロセスタイマに設定する。また、第１当り終了指定コマンドを送信する設定を行い、第１特図プロセスフラグを“７”に更新する処理なども行い、第１大当り開放後処理を終了する。
【０２０６】
第１遊技制御プロセスタイマのタイマ値を１減じる処理を行った場合には、１減じたあとのタイマ値が「０」であるかを判定し、「０」でない場合には、ラウンド遊技の開始タイミングでないので、大入賞口を閉鎖状態としたまま、第１大当り開放後処理は終了する。「０」である場合には、ラウンド遊技の開始タイミングになったので、大入賞口を開放状態とする処理、大入賞口を開放状態とする上限期間（ステップＳ１１０８で記憶させた大当り種別が「５Ｒ通常」であれば「５秒」、「５Ｒ短期」であれば「０．１秒」、大当り種別は、第１大当り種別バッファに格納した大当り種別バッファ設定値で特定すればよい。）に対応するタイマ値を第１遊技制御プロセスタイマに設定する処理などが実行される。大入賞口を開放状態とする処理などが実行されたときには、第１特図プロセスフラグの値が“５”に更新され、第１大当り開放後処理は終了する。
【０２０７】
なお、ステップＳ１１６中にも、図１９の処理と同様の処理を実行して、確変検出領域４０への遊技球の進入を検出するようにしてもよい。
【０２０８】
ステップＳ１１４で大入賞口を開放状態としてから、タイマ割り込みの発生ごとにＳ１１５、Ｓ１１６が繰り返し実行されることによって、各ラウンド遊技が実現される。
【０２０９】
図７のステップＳ１１７の第１大当り終了処理は、第１特図プロセスフラグの値が「７」のときに実行される。第１大当り終了処理は、大当り遊技状態終了時に行われる処理である。図２０は、第１大当り終了処理として、図７のステップＳ１１７にて実行される処理の一例を示すフローチャートである。第１大当り終了処理において、ＣＰＵ１０３は、まず、第１エンディング待ち時間が終了したかを判定する（ステップＳ１５０１）。一例として、上記で第１エンディング待ち時間が設定された第１遊技制御プロセスタイマのタイマ値をステップＳ１５０１にて「１」減じ、減じたタイマ値が「０」になっているか否かを判定することで、第１エンディング待ち時間が終了したかを判定する。
【０２１０】
１減じたタイマ値が「０」でないなどして、第１エンディング待ち時間が終了していない場合（ステップＳ１５０１；Ｎｏ）、ＣＰＵ１０３は、第１大当り終了処理を終了する。第１エンディング待ち時間が終了している場合（ステップＳ１５０１；Ｙｅｓ）、ＣＰＵ１０３は、確変検出スイッチフラグがオン状態であるかを判定し（ステップＳ１５０２）、確変検出スイッチフラグがオン状態であれば（ステップＳ１５０２；Ｙｅｓ）、高確高ベースフラグをオン状態とする（ステップＳ１５０３）。なお、このとき、確変検出スイッチフラグをリセットするようにしてもよい。確変検出スイッチフラグがオフ状態であるとき（ステップＳ１５０２；Ｎｏ）、又は、ステップＳ１５０３のあと、ＣＰＵ１０３は、遊技状態指定コマンド（現在の遊技状態を指定するコマンド）の送信設定を行い（ステップＳ１５０４）、その後に、第１特図プロセスフラグを“０”に更新する処理を行い（ステップＳ１５０５）、第１大当り終了処理を終了する。前記で送信設定されたコマンドは、例えば特別図柄プロセス処理が終了した後、上述のコマンド制御処理が実行されることなどにより、主基板１１から演出制御基板１２に対して伝送される。
【０２１１】
確変検出スイッチがオン状態ということは、大入賞口の開放時において遊技球が確変検出領域４０に進入したことになる。このため、ステップＳ１５０３において、高確高ベースフラグをオン状態とすることにより、これ以降、高確高ベース状態となる（今回の大当り遊技状態の前が通常状態であれば、高確高ベース状態（チャンス期間）が開始される。今回の大当り遊技状態の前が高確高ベース状態であれば、高確高ベース状態（チャンス期間）が再度開始される。）。
【０２１２】
ステップＳ１１４〜Ｓ１１７が実行されること（必要に応じて所定のステップが繰り返し実行されること）によって、第１特図ゲームにおける可変表示結果が「大当り」になったこと、及び、その大当り種別に対応した大当り遊技状態（短期開放大当り遊技状態又は通常開放大当り遊技状態）が実現される。
【０２１３】
図２１は、第２特別図柄プロセス処理の一例を示すフローチャートである。この第２特別図柄プロセス処理において、ＣＰＵ１０３は、まず、第２始動入賞判定処理を実行する（ステップＳ２０１）。図２２は、ステップＳ２０１にて実行される第２始動入賞判定処理の一例を示すフローチャートである。
【０２１４】
第２始動入賞判定処理を開始すると、ＣＰＵ１０３は、まず、スイッチ処理の判定結果などに基づいて、第２始動口スイッチ２２Ｂがオン状態であるか否かを判定する（ステップＳ２００１）。このとき、第２始動口スイッチ２２Ｂがオン状態（スイッチ処理で、第２始動口スイッチ２２Ｂがオン状態と判定されているとき）であれば（ステップＳ２００１；Ｙｅｓ）、遊技球の進入（つまり、第２始動入賞口への入賞）が検出されたことになるので、第２特図ゲームの保留記憶数である第２特図保留記憶数が、所定の上限値（例えば「４」）となっているか否かを判定する（ステップＳ２００２）。このとき、ＣＰＵ１０３は、ＲＡＭ１０２の所定領域に設けられた第２特図保留記憶数カウンタ（第２特図保留記憶数をカウントするためのカウンタ）の格納値である第２特図保留記憶数カウント値を読み取ることにより、第２特図保留記憶数を特定できればよい。第２特図保留記憶数が上限値ではないときには（ステップＳ２００２；Ｎｏ）、第２特図保留記憶数カウント値を１加算するように更新する（ステップＳ２００３）。こうして、第２特図保留記憶数カウント値は、第２始動入賞口に遊技球が進入して第２特図ゲームの第２始動条件が成立したときに、１増加（インクリメント）するように更新される。なお、ＣＰＵ１０３は、第２保留表示器２５Ｂを制御して、１つ加算された第２特図保留記憶数を特定可能な表示を第２保留表示器２５Ｂに行わせる（例えば、ＬＥＤの点灯個数を１つ増やす）ようにしてもよい。
【０２１５】
ステップＳ２００３のあと、ＣＰＵ１０３は、第２始動入賞口における第２始動入賞の発生時に対応した第２始動入賞時遊技用乱数を抽出する（ステップＳ２００４）。一例として、ステップＳ２００４の処理では、乱数回路１０４やＲＡＭ１０２の所定領域（遊技制御カウンタ設定部など）に設けられたランダムカウンタ等によって更新される数値データのうちから、第２特図ゲーム用の乱数値として、特図表示結果決定用の乱数値ＭＲ４、大当り種別決定用の乱数値ＭＲ５、変動パターン決定用の乱数値ＭＲ６を示す数値データが抽出される。こうして抽出された各乱数値を示す数値データが保留データとして、ＲＡＭ１０２の所定領域に設けられた第２特図保留記憶部における空きエントリの先頭にセットされることで記憶される（ステップＳ２００５）。例えば、保留データが図２３に示すような第２特図保留記憶部にセットされる。
【０２１６】
図２３に示す第２特図保留記憶部は、普通可変入賞球装置６Ｂが形成する第２始動入賞口を遊技球が進入して第２始動入賞が発生したものの、未だ開始されていない第２特図ゲームの保留データを記憶する。一例として、第２特図保留記憶部は、第２始動入賞口への入賞順（遊技球の検出順）に保留番号と関連付けて、その遊技球の進入による第２始動条件の成立に基づいてＣＰＵ１０３が乱数回路１０４等から抽出した乱数値ＭＲ４や乱数値ＭＲ５、乱数値ＭＲ６を示す数値データなどを保留データとして、その記憶数が所定の上限値（例えば「４」）に達するまで記憶する。こうして第２特図保留記憶部に記憶された保留データは、第２特図ゲームの実行（第２特図の可変表示）が保留されていることを示し、この第２特図ゲームにおける可変表示結果（第２特図表示結果）に基づき大当り遊技状態に制御すると決定されるか否かや、領域５Ｂでの画像の表示態様（第２特図ゲームの第２特図変動時間などを含む）などを判定可能にする保留記憶情報となる。
【０２１７】
ステップＳ２００５の処理に続いて、第２特図保留記憶数指定コマンド（ステップＳ２００３で１加算した第２特図保留記憶数カウント値を指定するコマンド）と、第２始動口入賞指定コマンドと、の送信設定を行う（ステップＳ２００６）。また、第２始動口スイッチ２２Ｂがオフ状態である場合（ステップＳ２００１；Ｎｏ）、第２特図保留記憶数が上限値である場合（ステップＳ２００２；Ｙｅｓ）、又は、ステップＳ２００６のあと、第２始動入賞判定処理は終了する。
【０２１８】
図２１に戻り、ステップ２０１の後、ＣＰＵ１０３は、ＲＡＭ１０２の所定領域に設けられた第１特図プロセスフラグ（第１特別図柄プロセス処理で使用されるフラグ）の値が「４」〜「７」であるかを判定する（ステップＳ２０２）。第１特図プロセスフラグの値が「４」〜「７」となっている期間は、上述のように、第１特図ゲームにおいて「大当り」が導出されたことに基づいてパチンコ遊技機１が大当り遊技状態に制御される期間（以下、第１大当り期間ともいう。）である。
【０２１９】
第１特図プロセスフラグの値が「４」〜「７」である場合（ステップＳ１０２；Ｙｅｓ）、つまり、現在が、第１大当り期間である場合、この期間が開始されてから第２中断指定コマンドが未送信であるか否かを判定する（ステップＳ２０５）。
【０２２０】
第１特図ゲームにおいて「大当り」が導出表示されてパチンコ遊技機１が大当り遊技状態に移行する場合、この実施の形態では、第２特別図柄プロセス処理のうちの一部の処理は一旦中断され、大当り遊技状態の終了時（第１大当り期間の終了時）に再開される。特に、第２特図ゲームの実行中に、第１特図ゲームにおいて「大当り」が導出表示されてパチンコ遊技機１が大当り遊技状態に移行する場合には、当該第２特図ゲームの実行が中断され、当該大当り遊技状態の終了後に当該第２特図ゲームは再開する。第２中断指定コマンドは、この中断を演出制御基板１２に指定する。この実施の形態では、第２中断指定コマンドが未送信であるか否かの判定は、ＲＡＭ１０２の所定領域に第２中断指定コマンド送信フラグ（第２中断指定コマンドが送信されたときにオン状態となり、処理再開時にオフ状態となるフラグ）を設けておき、このフラグがオン状態となっているか否かの判定によって行われる。
【０２２１】
第２中断指定コマンド送信フラグがオフ状態であるなどして、第２中断指定コマンドが未送信である場合（ステップＳ２０５；Ｙｅｓ）、第２中断指定コマンドを送信する必要があるので、第２中断指定コマンド送信フラグをオン状態とするとともに第２中断指定コマンドの送信設定を行って（ステップＳ２０６）、第２特別図柄プロセス処理を終了する。こうして送信設定されたコマンドは、例えば特別図柄プロセス処理が終了した後、コマンド制御処理が実行されることなどにより、主基板１１から演出制御基板１２に対して伝送される。第２中断指定コマンド送信フラグがオン状態であるなどして、第２中断指定コマンドが１回の中断においてすでに送信されている場合（ステップＳ２０５；Ｎｏ）、そのまま第２特別図柄プロセス処理を終了する。
【０２２２】
第２特図プロセスフラグの値が「４」〜「７」でない場合（ステップＳ２０２；Ｎｏ）、つまり、現在が、第２大当り期間中でない場合、第２中断指定コマンドが送信されているか否か（第２中断指定コマンド送信フラグがオン状態であるか否か）を判定する（ステップＳ２０３）。第２中断指定コマンド送信フラグがオン状態などであり、第２中断指定コマンドが送信されている場合（ステップＳ２０３；Ｙｅｓ）、第２特別図柄プロセス処理のうちの一部の処理の中断が実行されていたことになるので、ＣＰＵ１０３は、第２特別図柄プロセス処理のうちの一部の処理の再開（第２特図ゲームの実行再開など）を指定する第２再開指定コマンドの送信処理を行う（ステップＳ２０４）。なお、ステップＳ２０４では、第２中断指定コマンド送信フラグをオフ状態にリセットすることも行われる。こうして送信設定されたコマンドは、例えば特別図柄プロセス処理が終了した後、コマンド制御処理が実行されることなどにより、主基板１１から演出制御基板１２に対して伝送される。ステップＳ２０４の処理のあと、又は、第２中断指定コマンド送信フラグがオフ状態で第２中断指定コマンドが送信されていないと判定した場合（ステップＳ２０３；Ｎｏ、つまり、前記の中断が直前になかった場合）、ステップＳ２１０〜Ｓ２１７のいずれかの処理が実行される。
【０２２３】
上記ステップＳ２０２〜Ｓ２０６の処理によって、第１特図ゲームにおける可変表示結果が「大当り」となって、パチンコ遊技機１が大当り遊技状態に制御されている期間（第１大当り期間）には、第２特別図柄プロセス処理の一部の処理が中断され、当該期間の終了後には中断された処理が再開されることになる。特に、第２特図ゲームの実行中に、第１特図ゲームにおいて「大当り」が導出表示されてパチンコ遊技機１が大当り遊技状態に移行する場合には、当該第２特図ゲームの実行（タイマ割り込み毎に実行されるステップＳ１１２など）が中断され、当該大当り遊技状態の終了後に当該第２特図ゲーム（タイマ割り込み毎に実行されるステップＳ１１２など）は再開する。また、中断時及び再開時には、そのことを通知する制御コマンド（第２中断指定コマンド及び第２再開指定コマンド）が送信され、演出制御基板１２に中断又は再開が通知される。
【０２２４】
なお、ステップＳ２０６では、第２特図プロセスフラグの値が「２」であるとき（第２特図ゲームの実行中の期間内）などに、第２特別図柄表示装置４Ｂにおける第２特図の表示を更新させる制御信号（詳しくは後述）の送信を中断することも行い、これ以降、第２特図ゲームが再開されるまで、第２特別図柄表示装置４Ｂに何も表示しないようにして、第２特図ゲームの実行が中断されたことを報知してもよい。また、ＣＰＵ１０３は、ステップＳ２０５でＮｏと判定したときに、第２特図プロセスフラグの値が「２」であるとき（第２特図ゲームの実行中の期間内）などに、所定の制御信号を送信する設定を行い、第２特別図柄表示装置４Ｂに第２特図のハズレ図柄など（又は中断用の所定の図柄などであってもよい。）を所定期間表示させることによって、第２特図ゲームの実行が中断されたことを報知してもよい。または、第２特図の表示を更新させる制御信号の送信は中断せずに、内部的には、第２特図ゲームの実行を中断させるが（例えば、後述の第２特図ゲームの経過時間の計測などを中断させるが）、第２特別図柄表示装置４Ｂの見た目上、第２特図ゲームが中断されたことを報知しないようにしてもよい。
【０２２５】
ＣＰＵ１０３は、ＲＡＭ１０２の所定領域に設けられた第２特図プロセスフラグの値（初期値は「０」）に応じて、ステップＳ２１０〜Ｓ２１７の処理のいずれかを選択して実行する。
【０２２６】
ステップＳ２１０の第２特別図柄通常処理は、第２特図プロセスフラグの値が「０」のときに実行される。図２４は、第２特別図柄通常処理として、図２１のステップＳ２１０にて実行される処理の一例を示すフローチャートである。図２４に示す第２特別図柄通常処理において、ＣＰＵ１０３は、まず、第２特図保留記憶数が「０」であるか否かを判定する（ステップＳ２１０１）。ＣＰＵ１０３は、第２特図保留記憶数カウント値を読み出し、その読出値が「０」であるか否かを判定すればよい。
【０２２７】
ステップＳ２１０１にて第２特図保留記憶数が「０」以外であるときには（ステップＳ２１０１；Ｎｏ）、例えば第２特図保留記憶部の先頭領域（例えば保留番号「１」に対応する記憶領域）といった、ＲＡＭ１０２の所定領域に記憶されている保留データとして、所定の乱数値を示す数値データ（乱数値ＭＲ４〜ＭＲ６）を読み出す（ステップＳ２１０２）。これにより、図２２に示すステップＳ２００４の処理で第２始動入賞口における始動入賞（第２始動入賞）の発生に対応して抽出された遊技用乱数（第２始動入賞時遊技用乱数）が読み出される。このとき読み出された数値データは、例えばＲＡＭ１０２の所定領域に設けられた第２変動用乱数バッファなどに格納されて、一時記憶されればよい。
【０２２８】
ステップＳ２１０２の処理に続いて、例えば第２特図保留記憶数カウント値を１減算して更新することなどにより、第２特図保留記憶数を１減算させるように更新するとともに、第２特図保留記憶部における記憶内容をシフトさせる（ステップＳ２１０３）。例えば、第２特図保留記憶部にて保留番号「１」より下位の記憶領域（保留番号「２」〜「４」に対応する記憶領域）に記憶された保留データを、１エントリずつ上位にシフトする。
【０２２９】
ステップＳ２１０３の処理のいずれかを実行した後には、第２特別図柄の可変表示結果（第２特図ゲームにおける可変表示結果）である第２特図表示結果を、「大当り」と「ハズレ」とのいずれかに決定する（ステップＳ２１０４）。一例として、ステップＳ２１０４の処理では、予めＲＯＭ１０１の所定領域に記憶するなどして用意された第２特図表示結果決定テーブルを選択し、第２特図表示結果を決定するための使用テーブルに設定する。第２特図表示結果決定テーブルでは、例えば、図２５に示すように、特図表示結果決定用の乱数値ＭＲ４と比較される数値（決定値）が、第２特図表示結果を「大当り」と「ハズレ」とのいずれとするかの決定結果に、遊技状態が確変状態であるか否かに応じて割り当てられていればよい。
【０２３０】
ＣＰＵ１０３は、乱数値ＭＲ４を示す数値データを第２変動用乱数バッファから読み出し、遊技状態が確変状態であるか否かと、乱数値ＭＲ４を示す数値データと、に基づいて、使用テーブルに設定された第２特図表示結果決定テーブルを参照することにより、遊技状態が確変状態であるか否かに応じて乱数値ＭＲ４に該当する決定値に割り当てられた「大当り」と「ハズレ」とのいずれかの決定結果を第２特図表示結果として決定すればよい。ＣＰＵ１０３は、ＲＡＭ１０２の所定領域に設けられた高確高ベースフラグ（高確高ベース状態のときにオン状態になるフラグ）がオン状態である場合に、確変状態であると判定すればよい。例えば、乱数値ＭＲ４が「９０００」であるとき、ＣＰＵ１０３は、高確高ベースフラグがオン状態である場合には、第２特図表示結果を「大当り」にすると決定し、高確高ベースフラグがオフ状態である場合には、第２特図表示結果を「ハズレ」にすると決定する。
【０２３１】
図２５に示すように、確変状態（高確高ベース状態）のときには、非確変状態のときよりも高い割合で、第２特図表示結果が「大当り」に決定される。したがって、例えば大当り遊技状態終了時において高確高ベースフラグがオン状態にセットされたことなどに基づいて、現在が確変状態（高確高ベース）であるときには、非確変状態のときよりも、第２特図表示結果が「大当り」になりやすく、大当り遊技状態になりやすい。
【０２３２】
その後、ＣＰＵ１０３は、ステップＳ２１０４の処理により決定された第２特図表示結果が「大当り」であるか否かを判定する（ステップＳ２１０５）。第２特図表示結果が「大当り」に決定された場合には（ステップＳ２１０５；Ｙｅｓ）、ＲＡＭ１０２の所定領域に設けられた第２大当りフラグをオン状態にセットする（ステップＳ２１０６）。
【０２３３】
また、第２特図ゲームの表示結果が「大当り」のときの大当り種別（第２大当り種別）を複数種類のいずれかに決定する（ステップＳ２１０７）。一例として、ステップＳ２１０７の処理では、予めＲＯＭ１０１の所定領域に記憶するなどして用意された第２大当り種別決定テーブルを選択し、第２大当り種別を決定するための使用テーブルに設定する。第２大当り種別決定テーブルでは、大当り種別決定用の乱数値ＭＲ５と比較される数値（決定値）が、大当り種別の決定結果として「５Ｒ通常」に割り当てられていればよい（図２６参照）。ＣＰＵ１０３は、ステップＳ２１０２で第２変動用乱数バッファに一時格納した遊技用乱数に含まれる乱数値ＭＲ５を示す数値データを第２変動用乱数バッファから読み出し、読み出した乱数値ＭＲ５を示す数値データに基づいて、使用テーブルに設定された第２大当り種別決定テーブルを参照することにより、乱数値ＭＲ５に該当する決定値に割り当てられた「５Ｒ通常」を大当り種別として決定すればよい。
【０２３４】
この実施の形態では、大当り種別としては、「５Ｒ通常」及び「５Ｒ短期」があるが、第２特図ゲームでの「大当り」の大当り種別は、図２６に示すように、「５Ｒ通常」のみとなっている。
【０２３５】
ステップＳ２１０７の処理を実行した後には、大当り種別を記憶させる（ステップＳ２１０８）。ＣＰＵ１０３は、ＲＡＭ１０２の所定領域に設けられた第２大当り種別バッファに、大当り種別の決定結果を示す大当り種別バッファ設定値（図２６参照）を格納することにより、大当り種別を記憶させればよい。
【０２３６】
第２特図表示結果が「大当り」ではない場合（ステップＳ２１０５；Ｎｏ）、ステップＳ２１０８を実行した後には、第２特図ゲームで最終的に導出表示される第２確定特別図柄を決定する（ステップＳ２１１１）。一例として、第２大当りフラグがオフ状態のときには、ハズレ図柄として予め定められた特別図柄「−」を第２確定特別図柄に決定する。一方、第２大当りフラグがオン状態のときには、ステップＳ２１０７における大当り種別の決定結果に応じて（大当り種別バッファ設定値に応じて）、複数種類の大当り図柄として予め定められた特別図柄のいずれか（ここでは、大当り種別は「５Ｒ通常」なので「７」となる。）を第２確定特別図柄に決定すればよい。
【０２３７】
ステップＳ２１１１の処理を実行した後には、第２特図プロセスフラグの値を「１」に更新してから（ステップＳ２１１２）、第２特別図柄通常処理を終了する。ステップＳ２１１１にて第２特図プロセスフラグの値が「１」に更新されることにより、次回のタイマ割込みが発生したときには、図２１に示すステップＳ１１１の変動パターン設定処理が実行される。
【０２３８】
第２特図ゲームの保留記憶数が「０」である場合には（ステップＳ２１０１；Ｙｅｓ）、第２特別図柄通常処理を終了する。
【０２３９】
図２１のステップＳ２１１の第２変動パターン設定処理（変動パターンを設定する処理）は、第２特図プロセスフラグの値が「１」のときに実行される。図２７は、第２変動パターン設定処理として、図２１のステップＳ２１１にて実行される処理の一例を示すフローチャートである。
【０２４０】
なお、ここでの変動パターンは、第２特図の可変表示に対応する所定の画像の可変表示態様や第２特図ゲームの内容（ここでは、可変表示の特図変動時間（可変表示の開始から表示結果の導出表示までの期間））などを指定するものであればよい。
【０２４１】
ここで、図２８に、この実施の形態で使用される第２特図用の変動パターンを示す。図２８のように、この実施の形態では、第２特図表示結果が「ハズレ」となる場合と、第２特図表示結果が「大当り」となる場合に対応して、変動パターンＰＡ６−１（「ハズレ」用）と変動パターンＰＡ７−１（「大当り」用）とが予め用意されている。なお、第２特図用の変動パターンは、遊技状態に関わらず共通の変動パターンになっている。
【０２４２】
各変動パターンは、図２８に示すような第２特図変動時間（第２特図の可変表示の開始から表示結果の導出表示までの期間）を指定するが、第２特図変動時間は各変動パターンで共通になっており、かつ、第１特図用の変動パターンに比べて、きわめて短くなっている。このため、第２特図の可変表示（第２特図ゲーム）は、短時間のうちに高頻度で実行され得る。
【０２４３】
図２７に示す第２変動パターン設定処理において、ＣＰＵ１０３は、まず、第２大当りフラグがオン状態であるか否かを判定する（ステップＳ２２０１）。
【０２４４】
そして、第２大当りフラグがオン状態である場合には（ステップＳ１２０１；Ｙｅｓ）、第２特図大当り時変動パターン決定テーブルを使用テーブルに設定する（ステップＳ２２０２）。その後、使用テーブルに設定した第２特図大当り時変動パターン決定テーブルを参照して、変動パターン（第２特図大当り時変動パターン）を決定する（ステップＳ２２０３）。
【０２４５】
この実施の形態では、ステップＳ２２０２において、図２９に示す第２特図大当り時変動パターン決定テーブルを使用テーブルに設定する。当該テーブルは、予めＲＯＭ１０１の所定領域に記憶するなどして用意される。
【０２４６】
第２特図大当り時変動パターン決定テーブルでは、変動パターン決定用の乱数値ＭＲ６と比較される数値（決定値）が、変動パターンの決定結果に、割り当てられていればよい。ＣＰＵ１０３は、第２変動用乱数バッファから読み出した乱数値ＭＲ６を示す数値データに基づいて、使用テーブルとして設定された第２特図大当り時変動パターン決定テーブルを参照することにより、乱数値ＭＲ６に該当する決定値に割り当てられた変動パターンを今回使用される変動パターンとして決定（選択）すればよい。ここでは、全ての決定値が変動パターンＰＡ７−１に割り当てられているので、選択される変動パターンは、大当り用の変動パターンＰＡ７−１になる。
【０２４７】
第２大当りフラグがオフ状態である場合には（ステップＳ２２０１；Ｎｏ）、ＣＰＵ１０３は、第２特図ハズレ時変動パターン決定テーブルを使用テーブルに設定する（ステップＳ２２０７）。その後、使用テーブルに設定した第２特図ハズレ時変動パターン決定テーブルを参照して、変動パターン（第２特図ハズレ時変動パターン）を決定する（ステップＳ２２０８）。
【０２４８】
この実施の形態では、ステップＳ２２０７において、図３０に示す第２特図ハズレ時変動パターン決定テーブルを使用テーブルに設定する。当該テーブルは、予めＲＯＭ１０１の所定領域に記憶するなどして用意される。
【０２４９】
第２特図ハズレ時変動パターン決定テーブルでは、変動パターン決定用の乱数値ＭＲ６と比較される数値（決定値）が、変動パターンの決定結果に、割り当てられていればよい。ＣＰＵ１０３は、第２変動用乱数バッファから読み出した乱数値ＭＲ６を示す数値データに基づいて、使用テーブルとして設定された第２特図ハズレ時変動パターン決定テーブルを参照することにより、乱数値ＭＲ６に該当する決定値に割り当てられた変動パターンを今回使用される変動パターンとして決定（選択）すればよい。ここでは、全ての決定値が変動パターンＰＡ６−１に割り当てられているので、選択される変動パターンは、大当り用の変動パターンＰＡ６−１になる。
【０２５０】
この実施の形態では、第２特図ゲームの変動パターンとして、ＰＡ６−１及びＰＡ７−１のみが使用され、遊技状態に関わらず共通して当該各変動パターンが使用される。
【０２５１】
図２７に戻り、ステップＳ２２０３、Ｓ２２０８の処理のいずれかを実行した後には、第２特図変動時間を設定する（ステップＳ２２０９）。第２特図変動時間は、上記でも説明しているように、第２特図ゲームにおいて第２特別図柄の変動を開始してから可変表示結果（第２特図表示結果）となる第２確定特別図柄が導出表示されるまでの所要時間である。第２特図変動時間は、予め用意された複数の変動パターンそれぞれによって指定される（ここでは、第２特図変動時間が各変動パターンに対応して用意されることで、各変動パターンは第２特図変動時間を指定している。）。ＣＰＵ１０３は、ステップＳ２２０３、Ｓ２２０８の処理で選択した変動パターンによって指定される第２特図変動時間を設定することにより、第２特別図柄の可変表示結果や、可変表示結果を報知する画像などが導出されるタイミングを設定できる。第２特図変動時間の設定は、例えば、第２特図変動時間に応じたタイマ値を、ＲＡＭ１０２の所定領域に設けられた第２遊技制御プロセスタイマに設定することなどによって行われる。なお、他の時間設定も、タイマ値を設定するなどすることによって適宜行われればよい。
【０２５２】
ステップＳ２２０９の処理に続いて、開始条件が成立した特図ゲームである第２特図ゲームを開始させるように、第２特別図柄の変動を開始させる設定を行う（ステップＳ２２１０）。一例として、第２特別図柄表示装置４Ｂにおける第２特図の表示を更新させる制御信号（駆動信号）を送信する設定を行う。これによって、制御信号が送信され、第２特図の可変表示（変動）が開始される。なお、ＣＰＵ１０３は、第２特図を用いた可変表示を開始するときには、第２保留表示器２５Ｂを制御して、１つ減算された第２特図保留記憶数を特定可能な表示を第２保留表示器２５Ｂに行わせる（例えば、ＬＥＤの点灯個数を１つ減らす）ようにしてもよい。
【０２５３】
ステップＳ２２１０の処理を実行した後には、特別図柄の変動開始時におけるコマンドの送信設定が行われる（ステップＳ２２１１）。例えば、ＣＰＵ１０３は、主基板１１から演出制御基板１２に対して第２変動開始指定コマンド、変動パターン指定コマンド（上記処理で決定した変動パターンを指定するコマンド）、表示結果指定コマンド（上記処理で決定した可変表示結果を指定するコマンド）、第２特図保留記憶数指定コマンド（上記処理で１減算した第２特図保留記憶数カウント値を指定するコマンド）を順次に送信するための送信設定を行う。送信設定されたコマンドは、例えば特別図柄プロセス処理が終了した後、上述のコマンド制御処理が実行されることなどにより、主基板１１から演出制御基板１２に対して伝送される。
【０２５４】
ステップＳ２２１１の処理を実行した後には、第２特図プロセスフラグの値を「２」に更新してから（ステップＳ２２１２）、第２変動パターン設定処理を終了する。ステップＳ２２１２にて第２特図プロセスフラグの値が「２」に更新されることにより、次回のタイマ割込みが発生したときには、図２１に示すステップＳ２１２の第２特別図柄変動処理が実行される。
【０２５５】
図２１のステップＳ２１２の第１特別図柄変動処理は、第２特図プロセスフラグの値が“２”のときに実行される。この第２特別図柄変動処理には、第２遊技制御プロセスタイマのタイマ値を１減算する処理などが含まれている（これによって、第２特図ゲームの実行時間が計測されることなる。また、ステップＳ２０２でＹｅｓと判定したことで、第２特別図柄プロセス処理の一部が中断されると、当該実行時間の計測が中断されることにもなる。）。そして、第２遊技制御プロセスタイマのタイマ値（１減算したあとのタイマ値）が０でないときには、第２特図変動時間が経過していないので、第２特図ゲームの可変表示を実行するための制御（例えば、第２特図の表示を更新（所定時間特別図柄の表示を維持させるための更新を適宜含む。以下同じ。）させる制御信号（駆動信号）を送信する制御）などを行って第２特別図柄表示装置４Ｂにおいて第２特図を変動させるための処理を行い、第２特別図柄変動処理を終了する。一方で、第２遊技制御プロセスタイマのタイマ値が０になり、第２特図の変動を開始してからの経過時間がステップＳ２１１で設定された第２特図変動時間に達したときには、第２特別図柄表示装置４Ｂにて特別図柄の変動を停止させ、第２特図ゲームの可変表示結果となる第２確定特別図柄（ステップＳ２１０で設定された第２確定特別図柄）を停止表示（導出表示）させ（第２確定特別図柄は、所定時間表示し続けるように制御するとよい。）、また、停止表示するときに第２図柄確定指定コマンドの送信設定も行い、第２特図プロセスフラグの値を“３”に更新し、第２特別図柄変動処理は終了する。タイマ割り込みの発生毎にステップＳ２１２が繰り返し実行されることによって、第２特別図柄の可変表示（第２特図ゲーム）や確定特別図柄（第２特図表示結果）の導出表示などが実現される。
【０２５６】
図２１のステップＳ２１３の第２特別図柄停止処理は、第２特図プロセスフラグの値が「３」のときに実行される。第２特別図柄停止処理は、第２特別図柄を停止したこと（つまり、第２特図ゲームが終了したこと）に伴って行われる処理である。図３１は、第２特別図柄停止処理として、図２１のステップＳ２１３にて実行される処理の一例を示すフローチャートである。
【０２５７】
図３１に示す第２特別図柄停止処理において、ＣＰＵ１０３は、まず、第２大当りフラグがオン状態であるか否かを判定する（ステップＳ２３０１）。第２大当りフラグがオン状態である場合（ステップＳ２３０１；Ｙｅｓ）、高確高ベースフラグをオフ状態とする（もともとオフ状態の場合にはオフ状態を維持する。）。これによって、大当り時には、遊技状態が通常状態となる。
【０２５８】
その後、第２ファンファーレ待ち時間（大当り遊技状態におけるファンファーレの開始から終了するまでの待ち時間であり、予め定められた時間である。）に対応するタイマ値を初期値として第２遊技制御プロセスタイマにセットする（ステップＳ２３０３）、その後、大当り遊技状態におけるラウンド遊技の回数（ここでは、大当り種別にかかわらず「５」）をＲＡＭ１０２の所定領域に設けられた第２ラウンド数カウンタ（ラウンド遊技の回数であるラウンド数をカウントするためのカウンタ）のカウント初期値に設定する（ステップＳ２３０４）。なお、ここでは、第２ラウンド数カウンタの代わりに、第１ラウンド数カウンタを使用してもよい（つまり、第１特図ゲームでの大当り遊技状態と第２特図ゲームでの大当り遊技状態とで共通のカウンタを使用してもよい。）。
【０２５９】
その後、ＣＰＵ１０３は、第２当り開始指定コマンド、遊技状態指定コマンドの送信設定を行う（ステップＳ１３０５）。送信設定されたコマンドは、例えば特別図柄プロセス処理が終了した後、上述のコマンド制御処理が実行されることなどにより、主基板１１から演出制御基板１２に対して伝送される。なお、大当り終了後において、再度遊技状態指定コマンドは送信されるので、ここで遊技状態指定コマンドの送信設定はしなくてもよい。ステップＳ２３０５のあとは、第２特図プロセスフラグを「４」に更新し（ステップＳ２３０６）、第２特別図柄停止処理を終了する。
【０２６０】
第２大当りフラグがオフ状態である場合（ステップＳ２３０１；Ｎｏ）、第２特図プロセスフラグを「０」に更新し（ステップＳ２３０７）、第２特別図柄停止処理を終了する。
【０２６１】
図２１のステップＳ２１４の第１大当り開放前処理は、第２特図プロセスフラグの値が「４」のときに実行される。この第２大当り開放前処理では、例えば、第２遊技制御プロセスタイマのタイマ値を１減算する。減算後のタイマ値が「０」でない場合には、第２ファンファーレ待ち時間がまだ経過していないことになるので、第２大当り開放前処理は終了する。減算後のタイマ値が「０」である場合には、第２ファンファーレ待ち時間が経過し、ラウンド遊技の開始タイミングになったことになる。この場合には、ラウンド遊技を開始させるため、特別可変入賞球装置７が形成する大入賞口を開放状態とする処理（例えば、ソレノイド駆動信号を供給してソレノイド８２をオン状態にする処理）を実行し、大入賞口を開放状態とする上限期間（ステップＳ２１０８で記憶させた大当り種別に応じた時間であるが、ここでは「５Ｒ通常」のみなので「５秒」となる。大当り種別は、第２大当り種別バッファに格納した大当り種別バッファ設定値で特定すればよい。）に対応するタイマ値を第２遊技制御プロセスタイマに設定する処理などが実行される。大入賞口を開放状態とする処理などが実行されたときには、第２特図プロセスフラグの値が“５”に更新され、大当り開放前処理は終了する。タイマ割り込みの発生毎にステップＳ２１４が繰り返し行われることによって、ラウンド遊技の開始タイミングまでの待機（ファンファーレの終了までの待機）及びラウンド遊技の開始（大入賞口の開放）などが実現される。
【０２６２】
ステップＳ２１５の第２大当り開放中処理は、第２特図プロセスフラグの値が「５」のときに実行される。この第２大当り開放中処理には、第２遊技制御プロセスタイマのタイマ値を１減算する処理や、１減算したあとのタイマ値や、１回のラウンド遊技においてカウントスイッチ２３によって検出された遊技球の個数（スイッチ処理でカウントスイッチ２３がオン状態と判定される毎に１カウントするカウンタ（ＲＡＭ１０２に設けられる。）などによってカウントされればよい。）などに基づいて、大入賞口を閉鎖状態とするタイミングとなったか否かを判定する処理などが含まれる。
【０２６３】
１減算したあとのタイマ値が０になった、又は、検出された遊技球の個数（前記カウンタのカウント値）が所定個数（例えば９個）に達したと判定したときには、大入賞口を閉鎖状態に戻すタイミングになったので、大入賞口を閉鎖状態に戻す処理（例えば、ソレノイド駆動信号の供給を停止して、又は、ソレノイド８２をオフにするソレノイド駆動信号を供給して、ソレノイド８２をオフにする処理）や、大入賞口を閉鎖する期間（ラウンド遊技のインターバル期間であり、予め設定されている期間、ステップＳ２１０８で記憶させた大当り種別に応じて異なる期間としてもよい。）に対応するタイマ値を第２遊技制御プロセスタイマに設定する処理や、第２ラウンド数カウンタのカウント値を１減じる処理などが実行される。また、大入賞口を閉鎖状態にした場合には、特図プロセスフラグの値が“６”に更新され、第２大当り開放中処理は終了する。
【０２６４】
１減算したあとのタイマ値が０になってもなく、検出された遊技球の個数も所定個数に達していない場合には、大入賞口を開放状態に維持する処理（例えば、大入賞口の開放を維持するソレノイド駆動信号を供給する処理）などを必要に応じて行って、第２大当り開放中処理を終了する。
【０２６５】
なお、大入賞口を開放状態に維持する処理を行った場合には、例えば、図３２に示す処理が実行される。図３２に示す処理では、ＣＰＵ１０３は、確変検出スイッチ２４がオンとなったか否かを判定する（ステップＳ２４０１）。例えば、スイッチ処理で確変検出スイッチ２４がオン状態と判定されるなどして、変検出スイッチ２４がオンとなっていると判定した場合（ステップＳ２４０１；Ｙｅｓ）、この場合、確変検出領域４０へ遊技球が進入したことになり、ＲＡＭ１０２の所定領域に設けられた確変検出スイッチフラグをオン状態とする（すでにオン状態であれば、オン状態を維持する）（ステップＳ２４０２）。確変検出スイッチ２４がオンとなっていない場合（ステップＳ２４０１；Ｎｏ）、ステップＳ２４０２の後は、図３２に示す処理は終了する。
【０２６６】
タイマ割り込みの発生毎にステップＳ２１５が繰り返し行われることによって、大入賞口を閉鎖タイミングまで開放状態とし、最後に大入賞口は閉鎖されることになる。
【０２６７】
ステップＳ２１６の第２大当り開放後処理は、第２特図プロセスフラグの値が「６」のときに実行される。第２大当り開放後処理では、第２ラウンド数カウンタのカウント値が「０」になったか否かを判定する処理や、「０」になっていない場合に第２遊技制御プロセスタイマのタイマ値を１減じる処理などが行われる。
【０２６８】
第２ラウンド数カウンタのカウント値が「０」であると判定された場合には、ラウンド遊技が上限回数に達したことになるので、第２遊技制御プロセスタイマに第２エンディング待ち時間（大当り遊技状態のおけるエンディングの開始から終了するまでの待ち時間であり、予め定められた時間である。）に対応したタイマ値を第２遊技制御プロセスタイマに設定する。また、第２当り終了指定コマンドを送信する設定を行い、第２特図プロセスフラグを“７”に更新する処理なども行い、第２大当り開放後処理を終了する。
【０２６９】
第２遊技制御プロセスタイマのタイマ値を１減じる処理を行った場合には、１減じたあとのタイマ値が「０」であるかを判定し、「０」でない場合には、ラウンド遊技の開始タイミングでないので、大入賞口を閉鎖状態としたまま、第２大当り開放後処理は終了する。「０」である場合には、ラウンド遊技の開始タイミングになったので、大入賞口を開放状態とする処理、大入賞口を開放状態とする上限期間（ステップＳ２１０８で記憶させた大当り種別に応じた時間であるが、ここでは「５Ｒ通常」のみなので「５秒」となる。）に対応するタイマ値を第２遊技制御プロセスタイマに設定する処理などが実行される。大入賞口を開放状態とする処理などが実行されたときには、第２特図プロセスフラグの値が“５”に更新され、第２大当り開放後処理は終了する。
【０２７０】
なお、ステップＳ２１６中にも、図３２の処理と同様の処理を実行して、確変検出領域４０への遊技球の進入を検出するようにしてもよい。
【０２７１】
ステップＳ２１４で大入賞口を開放状態としてから、タイマ割り込みの発生ごとにＳ２１５、Ｓ２１６が繰り返し実行されることによって、各ラウンド遊技が実現される。
【０２７２】
図２１のステップＳ２１７の第２大当り終了処理は、第２特図プロセスフラグの値が「７」のときに実行される。第２大当り終了処理は、大当り遊技状態終了時に行われる処理である。図３３は、第２大当り終了処理として、図２１のステップＳ２１７にて実行される処理の一例を示すフローチャートである。第２大当り終了処理において、ＣＰＵ１０３は、まず、第２エンディング待ち時間が終了したかを判定する（ステップＳ２５０１）。一例として、上記で第２エンディング待ち時間が設定された第２遊技制御プロセスタイマのタイマ値をステップＳ２５０１にて「１」減じ、減じたタイマ値が「０」になっているか否かを判定することで、第２エンディング待ち時間が終了したかを判定する。
【０２７３】
１減じたタイマ値が「０」でないなどして、第２エンディング待ち時間が終了していない場合（ステップＳ２５０１；Ｎｏ）、ＣＰＵ１０３は、第２大当り終了処理を終了する。第２エンディング待ち時間が終了している場合（ステップＳ２５０１；Ｙｅｓ）、ＣＰＵ１０３は、確変検出スイッチフラグがオン状態であるかを判定し（ステップＳ２５０２）、確変検出スイッチフラグがオン状態であれば（ステップＳ２５０２；Ｙｅｓ）、高確高ベースフラグをオン状態とする（ステップＳ２５０３）。なお、このとき、確変検出スイッチフラグをリセットするようにしてもよい。確変検出スイッチフラグがオフ状態であるとき（ステップＳ２５０２；Ｎｏ）、又は、ステップＳ２５０３のあと、ＣＰＵ１０３は、遊技状態指定コマンド（現在の遊技状態を指定するコマンド）の送信設定を行い（ステップＳ２５０４）、その後に、第２特図プロセスフラグを“０”に更新する処理を行い（ステップＳ２５０５）、第２大当り終了処理を終了する。前記で送信設定されたコマンドは、例えば特別図柄プロセス処理が終了した後、上述のコマンド制御処理が実行されることなどにより、主基板１１から演出制御基板１２に対して伝送される。
【０２７４】
確変検出スイッチがオン状態ということは、大入賞口の開放時において遊技球が確変検出領域４０に進入したことになる。このため、ステップＳ２５０３において、高確高ベースフラグをオン状態とすることにより、これ以降、高確高ベース状態となる（今回の大当り遊技状態の前が通常状態であれば、高確高ベース状態（チャンス期間）が開始される。今回の大当り遊技状態の前が高確高ベース状態であれば、高確高ベース状態（チャンス期間）が継続される。）。
【０２７５】
ステップＳ２１４〜Ｓ２１７が実行されること（必要に応じて所定のステップが繰り返し実行されること）によって、第２特図ゲームにおける可変表示結果が「大当り」になったこと、及び、その大当り種別に対応した大当り遊技状態（ここでは、通常開放大当り遊技状態）が実現される。
【０２７６】
次に、演出制御基板１２における主な動作を説明する。
【０２７７】
演出制御基板１２では、電源基板等から電源電圧の供給を受けると、演出制御用ＣＰＵ１２０が起動して、所定の演出制御メイン処理を実行する。演出制御メイン処理を開始すると、演出制御用ＣＰＵ１２０は、まず、所定の初期化処理を実行して、ＲＡＭ１２２のクリアや各種初期値の設定、また演出制御基板１２に搭載されたＣＴＣ（カウンタ／タイマ回路）のレジスタ設定等を行う。その後、ＲＡＭ１２２の所定領域（例えば演出制御フラグ設定部）に設けられたタイマ割込みフラグがオンとなっているか否かの判定を行う。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する。
【０２７８】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０２７９】
タイマ割込みフラグがオンである場合には、タイマ割込みフラグをクリアしてオフ状態にするとともに、コマンド解析処理を実行する。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０２８０】
図３４は、コマンド解析処理の一例を示すフローチャートである。演出制御用ＣＰＵ１２０は、まず、主基板１１から伝送される遊技状態指定コマンドを受信しているかを判定する（ステップＳ８０１）。遊技状態指定コマンドを受信している場合（ステップＳ８０１；Ｙｅｓ）、ＲＡＭ１２２の所定領域に設けられた演出側高確高ベースフラグのオン状態・オフ状態を、遊技状態指定コマンドが示す内容に基づいて、変化又は維持させる（ステップＳ８０２）。
【０２８１】
演出側高確高ベースフラグは、少なくとも高確高ベース状態のときにオン状態となるフラグである。演出制御用ＣＰＵ１２０は、遊技状態指定コマンドが示す遊技状態が高確高ベース状態を示すものであれば、演出側高確高ベースフラグをオン状態とし、遊技状態指定コマンドが示す遊技状態が通常状態を示すものであれば、演出側高確高ベースフラグをオフ状態とする。
【０２８２】
遊技状態指定コマンドを受信していない場合（ステップＳ８０１；Ｎｏ）、又は、ステップＳ８０２のあと、第１特図保留記憶数通知コマンドを受信しているか否かを判定し（ステップＳ８０３）、受信している場合には（ステップＳ８０３；Ｙｅｓ）、例えば表示制御部１２３のＶＤＰ等に対して所定の表示制御指令を伝送させることといった制御を行うことで、画像表示装置５の第１保留表示領域５ＨＡに保留表示図柄を１つ新たに表示させる（ステップＳ８０４）。
【０２８３】
第１特図保留記憶数通知コマンドを受信していない場合（ステップＳ８０３；Ｎｏ）、又は、ステップＳ８０４のあと、第２特図保留記憶数通知コマンドを受信しているか否かを判定し（ステップＳ８０５）、受信している場合には（ステップＳ８０５；Ｙｅｓ）、例えば表示制御部１２３のＶＤＰ等に対して所定の表示制御指令を伝送させることといった制御を行うことで、画像表示装置５の第２保留表示領域５ＨＢに保留表示図柄を１つ新たに表示させる（ステップＳ８０６）。
【０２８４】
第２特図保留記憶数通知コマンドを受信していない場合（ステップＳ８０５；Ｎｏ）、又は、ステップＳ８０６のあと、演出制御用ＣＰＵ１２０は、主基板１１から伝送される第１中断指定コマンド又は第２中断指定コマンドのいずれかを受信したかを判定し（ステップＳ８１３）、第１中断指定コマンド又は第２中断指定コマンドのいずれかを受信した場合には（ステップＳ８１３；Ｙｅｓ）、ＲＡＭ１２２の所定領域に設けられた第１中断フラグ又は第２中断フラグをオン状態とする（ステップＳ８１４）。
【０２８５】
第１中断フラグは、上述のように第１特別図柄プロセス処理のうちの一部の処理が一旦中断されたときにオン状態となり、中断が終了したときにオフ状態となるフラグである。第２中断フラグは、上述のように第２特別図柄プロセス処理のうちの一部の処理が一旦中断されたときにオン状態となり、中断が終了したときにオフ状態となるフラグである。演出制御用ＣＰＵ１２０は、第１中断指定コマンドを受信したときに第１中断フラグをオン状態とし、第２中断指定コマンドを受信したときに第２中断フラグをオン状態とする。
【０２８６】
第１中断指定コマンド又は第２中断指定コマンドのいずれかも受信していない場合（ステップＳ８１３；Ｎｏ）、又は、ステップＳ８１４のあと、演出制御用ＣＰＵ１２０は、主基板１１から伝送される第１再開指定コマンド又は第２再開指定コマンドのいずれかを受信したかを判定し（ステップＳ８１５）、第１再開指定コマンド又は第２再開指定コマンドのいずれかを受信した場合には（ステップＳ８１５；Ｙｅｓ）、第１中断フラグ又は第２中断フラグをオフ状態とする（ステップＳ８１６）。演出制御用ＣＰＵ１２０は、第１再開指定コマンドを受信したときに第１中断フラグをオフ状態とし、第２再開指定コマンドを受信したときに第２中断フラグをオフ状態とする。
【０２８７】
その後、演出制御用ＣＰＵ１２０は、ステップＳ８１６にて第１中断フラグをオフとしたかを判定し（ステップＳ８１７）、第１中断フラグをオフ状態とした場合には（ステップＳ８１７；Ｙｅｓ）、ＲＡＭ１２２の所定領域に設けられた中断タイマのタイマ値が「０」でないかを判定する（ステップＳ８１８）。ステップＳ８１７の判定について、例えば、ステップＳ８１６にて第１中断フラグをオフ状態した場合には、ＲＡＭ１２２の所定領域に設けた所定フラグをオン状態とし、ステップＳ８１７の判定では、当該所定フラグがオン状態であるか否かを判定することで、ステップＳ８１６にて第１中断フラグをオフとしたかを判定すればよい。中断タイマは、第１特図ゲームの実行中において、第２特図ゲームで「大当り」が発生したときの、第１特図ゲームの中断期間を計測するタイマである。第１中断フラグをオフとした場合（ステップＳ８１７；Ｙｅｓ）に、中断タイマのタイマ値が「０」でなかった場合には（ステップＳ８１１；Ｙｅｓ）、第１特図ゲームの中断が終了して当該第１特図ゲームが再開されたということである。この場合（ステップＳ８１１；Ｙｅｓ）、ＲＡＭ１２２の所定領域に設けられた残り時間報知フラグがオン状態となっているかを判定する（ステップＳ８１９）。残り時間報知フラグは、残り時間報知を実行しているときにオン状態となるフラグである。残り時間報知は、チャンス期間において、チャンス期間を報知するチャンス期間演出とともに実行されるものであり、チャンス期間が少なくとも終了しない期間を当該チャンス期間の残り時間として報知する演出である（図５３など）。なお、残り時間報知によって報知される時間が「０」になったときには、チャンス期間終了（高確高ベース状態の終了）の危機感を煽る特定演出が実行されるので、残り時間報知で報知される残り時間は、特定演出が実行されるまでの残り時間でもある。チャンス期間は、特定演出の終了とともに終了する。特定演出は、第１特図ゲームの可変表示結果が「大当り」となるときには必ず実行されるので、高確高ベース状態で第１特図ゲームの可変表示結果が「５Ｒ通常」の「大当り」となった場合には、一旦チャンス期間は終了し、大当り遊技状態後に再度チャンス期間が到来する（確変検出領域４０への遊技球の進入があった場合）。
【０２８８】
なお、ステップＳ８１５とステップＳ８１６とを、第１再開指定コマンド及び第１中断フラグについての処理のステップと、第２再開指定コマンド及び第２中断フラグについての処理のステップと、で分けてもよい。例えば、第２再開指定コマンドの受信の有無を判定し、受信有りの場合には、第２中断フラグをオフ状態とする。第２再開指定コマンド受信無しの場合には、第１再開指定コマンドの受信の有無を判定し、受信有りの場合には、第１中断フラグをオフ状態として、ステップＳ８１８以下の処理を行うようにしてもよい。第２中断フラグをオフ状態としたり、第１再開指定コマンドの受信無しと判定したりした場合には、例えば、ステップＳ８２３の処理に進めばよい。
【０２８９】
残り時間報知フラグがオン状態のときには（ステップＳ８１９；Ｙｅｓ）、上述のように、残り時間報知で報知される残り時間の延長（延長報知）のため（後述のステップＳ８６９）、又は、特定演出の実行期間の拡大のため（後述のステップＳ３７２）に、中断タイマ値が示す期間（中断時間）を延長時間（中断）及び延長時間（合計）それぞれに加算する（ステップＳ８２０）。
【０２９０】
この実施の形態では、残り時間報知で報知される残り時間を延長する延長報知が１回以上実行されることがある。延長時間（合計）は、延長報知で延長可能な時間の合計時間である。延長報知では、この合計時間のうちの少なくとも一部の時間で延長が行われる。延長可能な時間（延長時間（合計））は、特定演出の開始タイミングまでの時間−残り時間報知で報知する残り時間によって算出できる。そして、延長時間（合計）は、延長時間（保留）と、延長時間（中断）と、の合計時間からなる。延長時間（保留）は、保留されている第１特図ゲームの実行時間（第１特図変動時間）などから算出される延長時間である。また、特定演出の開始タイミングは、第１特図ゲームの実行が中断されると、その分、あとのタイミングとなる（つまり、中断時間分、残り時間報知で報知される残り時間は延長され得る。）。延長時間（中断）は、この第１特図ゲームの中断時間分の延長時間である。延長時間（合計）と、延長時間（保留）と、延長時間（中断）と、はＲＡＭ１２２の所定領域に格納されて適宜更新される。また、特定演出の実行期間も、延長時間（中断）分、拡大されることがある。つまり、延長時間（中断）分の時間で、特定演出の実行期間が拡大されることがある。
【０２９１】
ステップＳ８２０のあとは、延長時間が加算されたことを示す加算フラグ（ＲＡＭ１２２の所定領域に設けられている。）をオン状態とする（ステップＳ８２１）。
【０２９２】
残り時間報知フラグがオフ状態であるとき（ステップＳ８１９；Ｎｏ）、又は、ステップＳ８２１のあと、中断タイマのタイマ値をリセットする（ステップＳ８２２）。また、第１再開指定コマンド及び第２再開指定コマンドのいずれも受信していない場合（ステップＳ８１５；Ｎｏ）、第１中断フラグをオフ状態としていないとき（ステップＳ８１７；Ｎｏ）、中断タイマのタイマ値が「０」であったとき（ステップＳ８１８；Ｎｏ）、又は、ステップＳ８２２のあとには、その他のコマンド解析処理が実行される（ステップＳ８２３）。
【０２９３】
その他のコマンド解析処理では、例えば、図３５の表に示すような処理内容の処理を受信したコマンドに対して実行すればよい。なお、表中、フラグをセットとは、フラグをオン状態にすることをいう。ステップ番号は、上記で説明した処理が実行されることを示す。始動入賞時コマンドバッファは、ＲＡＭ１２２の所定領域に設けられる。図３６に示すように、始動入賞時コマンドバッファには、第１始動入賞口への入賞時に主基板１１から送信されてくる始動入賞時の一セットのコマンド（図柄判定結果指定コマンド、変動パターン判定結果指定コマンド、第１特図保留記憶数指定コマンド、第１始動口入賞指定コマンド）が保留表示番号に対応付けられて格納される。当該一セットのコマンドは、始動入賞時コマンドバッファにおける空きエントリの先頭（最も少ない保留表示番号に対応する領域）にセットされることで記憶される。第１特図保留記憶部の保留番号と、始動入賞時コマンドバッファの保留表示番号とは互いに対応しており、同じ番号の保留番号と保留表示番号とにそれぞれ対応する保留データと一セットのコマンドとは、同じ第１特図ゲームについてのものとなっている。また、始動入賞時コマンドバッファには、各保留表示番号に対応して、大当り判定フラグと、特定演出フラグとが設けられている。大当り判定フラグは、対応する領域に格納された一セットのコマンドの図柄判定結果指定コマンドの判定結果が「大当り」である場合にオン状態にセットされるフラグである。特定演出フラグは、対応する一セットのコマンドの第１特図ゲームで特定演出（チャンス期間終了の危機感を煽る演出）を実行する場合にオン状態となるフラグである。図３６における「００００（Ｈ）」は、コマンドが格納されていないことを示す。
【０２９４】
次に演出制御プロセス処理について説明する。図３７は、演出制御プロセス処理の一例を示すフローチャートである。演出制御用ＣＰＵ１２０は、まず、チャンス期間演出フラグがオン状態であるか否かを判定する（ステップＳ８５１）。チャンス期間演出フラグは、チャンス期間を報知するチャンス期間演出の実行中にオン状態になるフラグであり、ＲＡＭ１２２の所定領域に設けられる。
【０２９５】
チャンス期間演出フラグがオン状態である場合には（ステップＳ８５１；Ｙｅｓ）、チャンス期間演出の実行中なので、チャンス期間演出の演出動作制御を行う（ステップＳ８５２）。演出動作制御用ＣＰＵ１２０は、チャンス期間演出の実行開始時に使用パターンとして設定された演出制御パターン（例えば、ステップＳ３２０３参照）に従って、チャンス期間演出を実行するための演出動作制御を行えばよい。演出制御プロセス処理を実行する毎に、ステップＳ８５２を繰り返し実行することで、チャンス期間演出（図５３など）の実行が実現される。
【０２９６】
なお、演出制御用ＣＰＵ１２０は、演出動作制御において、例えば、表示制御部１２３に表示制御指令を出力して画像表示装置５に演出画像を表示させることや、音声制御基板１３に対する制御信号（効果音信号）の出力によりスピーカ８Ｌ、８Ｒから音声や効果音を出力させること、ランプ制御基板１４に対する制御信号（電飾信号）の出力により遊技効果ランプ９や装飾用ＬＥＤといった発光体における点灯動作を行わせること、などを行ってチャンス期間演出を実行するようにすればよい（他の演出についての演出動作制御についても同じ）。
【０２９７】
ステップＳ８５２のあと、演出制御用ＣＰＵ１２０は、残り時間報知フラグがオン状態であるか否かを判定する（ステップＳ８５３）。残り時間報知フラグは、チャンス期間が少なくとも終了しない期間を当該チャンス期間の残り時間として報知する残り時間報知の実行中にオン状態となるフラグであり、ＲＡＭ１２２の所定領域に設けられる。
【０２９８】
残り時間報知フラグがオン状態である場合には（ステップＳ８５３；Ｙｅｓ）、残り時間報知の実行中なので、残り時間報知の演出動作制御を行う（ステップＳ８６２）。演出動作制御用ＣＰＵ１２０は、残り時間報知の実行開始時に使用パターンとして設定された演出制御パターン（例えば、ステップＳ８６１、Ｓ３２１３、Ｓ３２１３参照）に従って、残り時間報知を実行するための演出動作制御を行えばよい。演出制御プロセス処理を実行する毎に、ステップＳ８６２を繰り返し実行することで、残り時間報知（図５３など）の実行が実現される。なお、残り時間報知の演出画像とチャンス期間演出の演出画像とは、異なるレイヤーに表示するようにして、重畳表示するとよい（同時に表示される他の演出の画像についても同様に、各演出の画像を表示する各レイヤーを重畳して各演出の画像を重畳表示すればよい）。
【０２９９】
ステップＳ８６２のあと、演出制御用ＣＰＵ１２０は、始動入賞時コマンドバッファに新たな受信コマンドが格納されたかを判定し（ステップＳ８６３）、新たな受信コマンドがある場合（ステップＳ８６３；Ｙｅｓ）、始動入賞時コマンドバッファの各特定期間フラグの中にオン状態のフラグがないかを判定し（ステップＳ８６４Ａ）、オン状態のフラグが有れば（ステップＳ８６４Ａ；Ｎｏ）、当該オン状態の特定期間フラグに対応する大当り判定フラグがオン状態であるかを判定する（ステップ８６４Ｂ）。オン状態であれば、特定演出が実行される可変表示（第１特図ゲームに対応する可変表示）において、「大当り」が発生することになる。大当り判定フラグがオン状態でなければ（つまり、当該可変表示の可変表示結果は「ハズレ」となる場合）（ステップＳ８６４Ｂ；Ｎｏ）、ここの可変表示で特定演出を実行しなくてもよいので、特定演出を実行する可変表示を当該特定演出の実行予定だった可変表示よりも後に実行される可変表示に繰り下げるかを決定する（ステップＳ８６５）。
【０３００】
ステップＳ８６５では、演出制御用ＣＰＵ１２０は、例えば、図３８の繰り下げ決定テーブルを参照して、特定演出を繰り下げるかを決定する。繰り下げ決定テーブルは、ＲＯＭ１２１に予め記憶されて用意されている。繰り下げ決定テーブルは、乱数値ＳＲ１と比較される決定値が、繰り上げの「有り」（特定演出を繰り下げる）、「無し」（特定演出を繰り下げない）それぞれの決定結果に割り当てられていればよい（図３８では、決定値ではなく、決定割合が示されている）。演出制御用ＣＰＵ１２０は、乱数回路１２４またはＲＡＭ１２２の所定領域に設けられた演出用ランダムカウンタ等により更新される所定の乱数値ＳＲ１を示す数値データを抽出し、抽出した乱数値ＳＲ１の数値データに基づいて、繰り下げ決定テーブルを参照し、当該乱数値ＳＲ１に合致する決定値に割り当てられている決定結果を今回の決定結果（繰り下げる又は繰り下げない）とする。
【０３０１】
ステップＳ８６５のあと、演出制御用ＣＰＵ１２０は、ステップＳ８６５で特定演出を繰り下げると決定したかを判定し（ステップＳ８６６）、繰り下げると判定した場合には（ステップＳ８６６；Ｙｅｓ）、現在オン状態となっている特定演出フラグをオフ状態とし、当該オフ状態とした特定演出の１つあとの保留表示番号に対応する特定演出フラグをオン状態とすることで、特定演出フラグのオンを１つ繰り下げる（ステップＳ８６７）。これによって、特定演出は、繰り下げ前に当該特定演出の実行を予定していた可変表示の１つ後に実行される可変表示で実行される予定となる（図５９参照）。
【０３０２】
特定演出を繰り下げた場合、特定演出の実行開始タイミングがずれるので、ずれた分の時間を延長時間（保留）及び延長時間（全体）に加算する（ステップＳ８６８）。ここでは、特定演出は、例えば、第１特図ゲームの終了タイミング前の固定期間（例えば、可変表示の導出タイミングを終了タイミングとして遡る１０秒間など）で実行される（後述のように拡張されることはある。）。このため、ステップＳ８６８では、新たに受信したコマンドに含まれる変動パターン判定結果指定コマンドの判定結果の変動パターンによって指定される第１特図変動時間を前記ずれた分の時間とすればよい。なお、複数回の第１特図ゲームの実行に第１特図変動時間以外の他の時間（例えば、第１特図ゲーム終了から次の第１特図ゲーム開始までの時間など）を要する場合には、第１特図変動時間に当該他の時間を足した時間を前記ずれた分の時間とすればよい（特図変動時間に前記他の時間を考慮してもよいことは以下でも同じである）。
【０３０３】
新たな受信コマンドがない場合（ステップＳ８６３；Ｎｏ）、オンの特定期間フラグが無かった場合（ステップＳ８６４Ａ；Ｙｅｓ）、大当り判定フラグがオン状態であった場合（ステップＳ８６４Ｂ；Ｙｅｓ）、繰り下げがない場合（ステップＳ８６６；Ｎｏ）、又は、ステップＳ８６８のあとには、残り時間延長処理が実行される（ステップＳ８６９）。
【０３０４】
図３９は、ステップＳ８６９で実行される延長報知処理の一例を示すフローチャートである。演出制御用ＣＰＵ１２０は、まず、延長報知のタイミングが到来したか否かを判定する（ステップＳ８８１）。延長報知のタイミングは、図３９に示すように予め定められていればよい。
【０３０５】
延長報知のタイミングとしては、
（１）残り時間報知の開始タイミングから所定秒ごとのタイミング（例えば、残り時間報知の開始から計測開始する所定のタイマ（ＲＡＭ１２２の所定領域に設けられる）によって当該タイミングを特定すればよい。）
（２）加算フラグがオンとなったとき
（３）残り時間報知（カウントダウンのように、報知される残り時間は徐々に減っていくように報知される。）によって報知している残り時間が「０秒」になったタイミングであって、延長時間（保留）が「０秒」でないとき
のいずれかであればよい。なお、上記（１）〜（３）の少なくともいずれかを当該タイミングとして採用しなくてもよい。
【０３０６】
延長報知タイミングが到来している場合（ステップＳ８８１；Ｙｅｓ）、延長時間（合計）が「０秒」でないかを判定し（ステップＳ８８２）、「０秒」でない場合には（ステップＳ８８２；Ｙｅｓ）、延長する時間があるということなる。この場合、まず、実行中の可変表示（第１特図ゲーム）の変動パターンが長期変動の変動パターンＰＡ４−３又はＰＡ５−３であるか否かを判定し（ステップＳ８８３）、長期変動の変動パターンでない場合（ステップＳ８８３；Ｎｏ）、保留されている可変表示（第１特図ゲーム）に、長期変動の変動パターンＰＡ４−３又はＰＡ５−３の可変表示が含まれるか否かを判定する（ステップＳ８８４）。例えば、演出制御用ＣＰＵ１２０は、始動入賞時コマンドバッファに格納されている変動パターン判定結果指定コマンドを全てチェックし、当該コマンドの判定結果の変動パターンに変動パターンＰＡ４−３又はＰＡ５−３があるか否かを判定すればよい。なお、ステップＳ８８２及びＳ８８３のうちのいずれかのみを実行するようにしてもよい。
【０３０７】
保留されている可変表示に、長期変動の可変表示が含まれない場合（ステップＳ８８４；Ｎｏ）、比較的長い時間を延長時間（延長する時間）とする長期延長報知の演出動作制御を実行する（ステップＳ８８５）。また、実行中の可変表示の変動パターンが長期変動である場合（ステップＳ８８３；Ｙｅｓ）又は保留されている可変表示に、長期変動の可変表示が含まれる場合（ステップＳ８８４；Ｙｅｓ）、比較的短い時間を延長時間（延長する時間）とする短期延長報知の演出動作制御を実行する（ステップＳ８８６）。
【０３０８】
ステップＳ８８５では、図４０（Ａ）に示す長期演出決定テーブルを参照して、延長する時間（延長時間）を決定し、決定した延長時間分、残り時間報知で報知されている残り時間を増加させる延長報知（図５４参照）を実行する演出動作制御を行う。長期演出決定テーブルは、ＲＯＭ１２１に予め記憶されており、乱数値ＳＲ２と比較される決定値が、延長する時間（決定結果）それぞれに割り当てられていればよい（図４０（Ａ）では、決定値ではなく、決定割合が示されている）。演出制御用ＣＰＵ１２０は、乱数回路１２４またはＲＡＭ１２２の所定領域に設けられた演出用ランダムカウンタ等により更新される所定の乱数値ＳＲ２を示す数値データを抽出し、抽出した乱数値ＳＲ２の数値データに基づいて、長期演出決定テーブルを参照し、当該乱数値ＳＲ２に合致する決定値に割り当てられている時間を今回延長する時間とする。
【０３０９】
ステップＳ８８６では、図４０（Ｂ）に示す短期演出決定テーブルを参照して、延長する時間（延長時間）を決定し、決定した延長時間分、残り時間報知で報知されている残り時間を増加させる延長報知（図５４参照）を実行する演出動作制御を行う。短期演出決定テーブルは、ＲＯＭ１２１に予め記憶されており、乱数値ＳＲ２と比較される決定値が、延長する時間（決定結果）それぞれに割り当てられていればよい（図４０（Ｂ）では、決定値ではなく、決定割合が示されている）。演出制御用ＣＰＵ１２０は、乱数回路１２４またはＲＡＭ１２２の所定領域に設けられた演出用ランダムカウンタ等により更新される所定の乱数値ＳＲ２を示す数値データを抽出し、抽出した乱数値ＳＲ２の数値データに基づいて、短期演出決定テーブルを参照し、当該乱数値ＳＲ２に合致する決定値に割り当てられている時間を今回延長する時間とする。
【０３１０】
なお、延長時間（合計）が、前記で決定された延長時間よりも短い場合には、延長時間（合計）を実際の延長時間とする。延長時間（合計）が「０」であれば、延長時間は０秒とする（延長報知を実行しないようにしてもよい。）。
【０３１１】
図４０からも明らかなように、短期延長報知は、長期延長報知よりも比較的短い時間で延長が行われる。
【０３１２】
ステップＳ８８５のあと、ステップＳ８８６のあと、演出制御用ＣＰＵ１２０は、延長した時間を延長時間（合計）などから減算する（ステップＳ８８７）。ステップＳ８８７では、今回到来した延長報知タイミングが上記（１）〜（３）のいずれであるかに応じて減算を行う。上記（１）及び（３）のときには、当該延長報知は、延長時間（保留）を延長時間に用いるものであるので、延長時間（合計）から延長した時間を減算する他、延長時間（保留）から優先して延長した時間を減算する（延長時間（保留）が「０」になったときに、延長時間（中断）を減算する。なお、延長報知を実行したときに第１特図ゲームが実行されており特定演出を実行する予定であれば、あとで特定演出の実行時間で調整がなされるため延長時間（中断）を減算しなくてもよい）。上記（２）のときには、当該延長報知は、延長時間（中断）が増えたことによって実行されるものであるので、延長時間（合計）から延長した時間を減算する他、延長時間（中断）から優先して延長した時間を減算する（延長時間（中断）が「０」になったときに、延長時間（保留）を減算する。）。なお、このとき、加算フラグをオフ状態にリセットする。
【０３１３】
延長報知タイミングが到来していない場合（ステップＳ８８１；Ｎｏ）、延長時間（合計）が「０秒」の場合（ステップＳ８８２；Ｎｏ）、ステップＳ８８７のあとは、延長報知処理が終了する。
【０３１４】
図３８に戻り、残り時間報知フラグがオフ状態のときは（ステップＳ８５３；Ｎｏ）、始動入賞時コマンドバッファに新たな受信コマンドが格納され、かつ、オン状態の特定演出フラグが無いかを判定し（ステップＳ８５４）、新たな受信コマンドがあるであって、オン状態の特定演出フラグが無い場合（ステップＳ８５４；Ｙｅｓ）、特定演出の実行をするため、当該新たな受信コマンドに対応する特定演出フラグをオン状態とする（ステップＳ８５６）。その後、残り時間報知フラグをオン状態とし（ステップＳ８５７）、特定演出を実行するまでに期間を算出する（ステップＳ８５８）。特定演出を実行するまでの期間は、例えば、始動入賞時コマンドバッファに格納されている変動パターン判定結果指定コマンドの変動パターンによって指定される第１特図変動時間などから算出すればよい（ここでは、特に、特定演出の実行期間が可変表示の最後の所定期間と決まっているので、算出がし易くなっている。例えば、第１特図変動時間の合計−前記所定期間の値など）。
【０３１５】
続いて、演出制御用ＣＰＵ１２０は、残り時間報知において報知する残り時間の初期値を設定する（ステップＳ８５９）。初期値は、ステップＳ８５８で算出した特定演出を実行するまでに期間に基づいて設定すればよい（例えば、特定演出を実行するまでの期間−１分など）。次に、前記特定演出を実行するまでに期間から前記初期値を減算した秒数を延長時間（保留）及び延長時間（全体）に加算（設定）する（ステップＳ８６０）。これによって、延長報知によって延長される時間の初期値が設定される。そして、残り時間報知の開始設定を行う（ステップＳ８６１）。例えば、前記初期値から残り時間を減じていく残り時間報知を実行する演出制御パターンなどを使用パターンとして設定する処理などを行う。
【０３１６】
チャンス演出フラグがオフの場合（ステップＳ８５１；Ｎｏ）、始動入賞時コマンドバッファに新たな受信コマンドが格納されておらず、又は、オン状態の特定演出フラグが無い場合（ステップＳ８５４；Ｎｏ）、ステップＳ８６１、ステップＳ８６９の後は、第１演出制御プロセス処理（ステップＳ８８１）及び第２演出制御プロセス処理（ステップＳ８８２）を実行して演出制御処理を終了する。
【０３１７】
図４１は、第１演出制御プロセス処理の一例を示すフローチャートである。図４１に示す第１演出制御プロセス処理では、演出制御用ＣＰＵ１２０は、まず、第１中断フラグがオン状態であるか否かを判定する（ステップＳ３０１）。第１中断フラグがオン状態である場合には、上述のように第１特別図柄プロセス処理のうちの一部の処理が一旦中断されているため、中断の旨を表示する表示動作制御を行い（ステップＳ３０２）、第１演出プロセスフラグの値が「２」であるかを判定し（ステップＳ３０３）、「２」である場合（ステップＳ３０３；Ｙｅｓ）、つまり、当該中断が、第１特図ゲームの実行中での中断である場合、中断期間を計測するために中断タイマのタイマ値を１増やして（ステップＳ３０４）、本処理を終了する。「２」でない場合（ステップＳ３０３；Ｎｏ）も本処理を終了する。
【０３１８】
ステップＳ３０２では、例えば、演出制御用ＣＰＵ１２０は、表示制御部１２３のＶＤＰ等に対して所定の表示制御指令を伝送させることといった表示動作制御を行って「中断中」の画像を表示する（図５６参照）。
【０３１９】
演出制御用ＣＰＵ１２０は、第１中断フラグがオフ状態である場合（ステップＳ３０１；Ｎｏ）、ＲＡＭ１２２の所定領域に設けられた第１演出プロセスフラグの値（最初は、「０」である。）に応じて、以下のようなステップＳ３７０〜Ｓ３７５の処理のいずれかを選択して実行する。
【０３２０】
ステップＳ３７０の第１可変表示開始待ち処理は、第１演出プロセスフラグの値が「０」のときに実行される処理である。この第１可変表示開始待ち処理は、主基板１１からの第１変動開始指定コマンドなどを受信したか否かに基づき、画像表示装置５における飾り図柄の可変表示を開始するか否かを判定する処理などを含んでいる。第１変動開始指定コマンドなどを受信し、画像表示装置５における飾り図柄の可変表示を開始すると判定した場合には、第１演出プロセスフラグの値が「１」に更新される。
【０３２１】
ステップＳ３７１の第１可変表示開始設定処理は、第１演出プロセスフラグの値が「１」のときに実行される処理である。図４２は、第１可変表示開始設定処理として、図４１のステップＳ３７１にて実行される処理の一例を示すフローチャートである。図４２に示す第１可変表示開始設定処理において、演出制御用ＣＰＵ１２０は、まず、例えば主基板１１から伝送された表示結果指定コマンドなどに基づいて、第１特図表示結果が「ハズレ」となるか否かを判定する（ステップＳ３０２１）。第１特図表示結果が「ハズレ」となる旨の判定がなされたときには（ステップＳ３０２１；Ｙｅｓ）、例えば主基板１１から伝送された変動パターン指定コマンドにより指定された変動パターンが、飾り図柄の可変表示態様をリーチ態様としない「非リーチ」の場合に対応した非リーチ変動パターン（ＰＡ１−１）であるか否かを判定する（ステップＳ３０２２）。
【０３２２】
非リーチ変動パターンである場合には（ステップＳ３０２２；Ｙｅｓ）、非リーチ組合せを構成する最終停止図柄となる確定飾り図柄の組合せを決定する（ステップＳ３０２３）。例えば、最終停止図柄として、「６  ８  ５」の確定飾り図柄の組合せを決定する。なお、最終停止図柄は、乱数値とテーブルを用いてランダム決定するようにしもよい。但し、「７」は、あとで、特定の最終停止図柄（特定の大当り図柄）に使用されるので、ここでは使用しないようにするとよい。
【０３２３】
ステップＳ３０２２にて非リーチ変動パターンではないと判定された場合には（ステップＳ３０２２；Ｎｏ）、リーチ組合せを構成する最終停止図柄となる確定飾り図柄の組合せを決定する（ステップＳ３０２４）。例えば、最終停止図柄として、「６  ８  ６」の確定飾り図柄の組合せを決定する。なお、最終停止図柄は、乱数値とテーブルを用いてランダム決定するようにしもよい。但し、「７」は、あとで、特定の最終停止図柄（特定の大当り図柄）に使用されるので、ここでは使用しないようにするとよい。
【０３２４】
ステップＳ３０２１にて第１特図表示結果が「ハズレ」ではないと判定されたときには（ステップＳ３０２１；Ｎｏ）、大当り組合せを構成する最終停止図柄となる確定飾り図柄の組合せを決定する（ステップＳ３０２７）。ここでは、表示結果指定コマンドによって特定される大当り種別が「５Ｒ通常」であれば、「５  ５  ５」を確定飾り図柄の組合せとし、大当り種別が「５Ｒ短期」であれば、「６  ６  ６」を確定飾り図柄の組合せとする。なお、最終停止図柄は、乱数値とテーブルを用いてランダム決定するようにしもよい。但し、「７」は、あとで、特定の最終停止図柄（特定の大当り図柄）に使用されるので、ここでは使用しないようにするとよい。
【０３２５】
ステップＳ３０２３、Ｓ３０２４、Ｓ３０２７の処理のいずれかを実行した後には、第１演出制御パターン決定処理を実行する（ステップＳ３０３０）。
【０３２６】
図４３は、第１演出制御パターン決定処理の一例を示すフローチャートである。図４３の第１演出制御パターン決定処理において、演出制御用ＣＰＵ１２０は、まず、始動入賞時コマンドバッファから保留表示番号「１」のデータ（コマンド及びフラグの状態）を読み出す（ステップＳ３１０１）。そして、保留表示番号「２」以下の各データ（コマンド及びフラグの状態）をそれぞれ１つ上位の保留表示番号にシフトさせる（保留表示番号「２」〜「５」それぞれのデータを保留表示番号「１」〜「４」それぞれにシフトさせる。）。
【０３２７】
その後演出制御用ＣＰＵ１２０は、ステップＳ３１０１で読み出したデータのうち、特定演出フラグがオン状態になっているかを判定し（ステップＳ３１０３）、オン状態のときには（ステップＳ３１０３；Ｙｅｓ）、表示結果指定コマンドに基づいて第１特図表示結果が「大当り」であるかを判定し（ステップＳ３１０４）、「大当り」であれば、表示結果指定コマンドに基づいて大当り種別が「５Ｒ通常」であるかを判定する（ステップＳ３１０５）。「５Ｒ通常」である場合（ステップＳ３１０５；Ｙｅｓ）、大当り遊技状態終了後にチャンス期間が再度到来することを報知する特定演出（図５５参照）を実行する設定を行う（ステップＳ３１０６）。「５Ｒ通常」でない場合（ステップＳ３１０５；Ｎｏ）、大当り遊技状態終了後にチャンス期間が終了することを報知する特定演出（図５５参照）を実行する設定を行う（ステップＳ３１０７）。「大当り」でない場合（ステップＳ３１０４；Ｎｏ）、再度チャンス期間が到来することを報知する特定演出（図５５参照）を実行する設定を行う（ステップＳ３１０８）。
【０３２８】
特定演出フラグがオフ状態のとき（ステップＳ３１０３；Ｎｏ）、ステップＳ３１０６〜Ｓ３１０８のいずれかのあと、演出制御用ＣＰＵ１２０は、変動パターン指定コマンドにより指定された変動パターン、前記で決定した最終停止図柄、特定演出を実行する設定の内容などに応じた演出制御パターンを使用パターンとして設定する（ステップＳ３１０９）。なお、高確高ベース状態（チャンス期間中）のときの演出制御パターンは、飾り図柄が画像表示装置５の領域５Ａの左上などにて、飾り図柄を小さく表示して可変表示を実行するパターンとなる（図５３など）。
【０３２９】
図４２に戻り、演出制御用ＣＰＵ１２０は、上記変動パターンに対応して、ＲＡＭ１２２の所定領域に設けられた第１演出制御プロセスタイマの初期値（変動パターンに対応する第１特図変動時間に応じた初期値）を設定する（ステップＳ３０３１）。
【０３３０】
そして、画像表示装置５における飾り図柄などの変動を開始させるための設定を行う（ステップＳ３０３２）。このときには、例えばステップＳ３０３０にて使用パターンとして設定された演出制御パターンに基づいて演出動作制御を開始すればよい。その後、第１演出プロセスフラグの値を「２」に更新してから（ステップＳ３０３３）、第１可変表示開始設定処理を終了する。
【０３３１】
図４１に戻り、ステップＳ３７２の第１可変表示中演出処理は、第１演出プロセスフラグの値が「２」のときに実行される処理である。図４４は、第１可変表示中演出処理として、図４１のステップＳ３７２にて実行される処理の一例を示すフローチャートである。第１可変表示中演出処理において、演出制御用ＣＰＵ１２０は、まず、例えば第１演出制御プロセスタイマのタイマ値などに基づいて、今回の変動パターンに対応した可変表示時間（第１特図変動時間）が経過したか否かを判定する（ステップＳ３０５１）。一例として、ステップＳ３０５１の処理では、第１演出制御プロセスタイマのタイマ値を更新（例えば１減算）し、更新後の第１演出制御プロセスタイマのタイマ値に対応して第１演出制御パターンから終了コードが読み出されたときなどに、可変表示時間（第１特図変動時間）が経過したと判定すればよい。
【０３３２】
ステップＳ３０５１にて可変表示時間が経過していない場合には（ステップＳ３０５１；Ｎｏ）、残り時間報知によって報知される残り時間が「０秒」になったかを判定し（ステップＳ３０５２）、「０秒」になった場合には（ステップＳ３０５２；Ｙｅｓ）、残り時間報知が終了し、特定演出が実行されるので、残り時間報知フラグをオフ状態とし、ここから特定演出を開始する設定を行う（例えば演出制御パターンを書き換える）（ステップＳ３０５３）。
【０３３３】
「０秒」になった場合（ステップＳ３０５２；Ｎｏ）、ステップＳ３０５３のあと、演出制御用ＣＰＵ１２０は、現在が特定演出の実行期間（開始タイミングを含む）であるかを判定し（ステップＳ３０５４）（演出制御パターンによって特定すればよい。）、特定演出の実行期間であれば（ステップＳ３０５４）、延長時間（中断）が「０」でないかを判定し（ステップＳ３０５５）、延長時間（中断）が「０」でない場合（ステップＳ３０５５；Ｙｅｓ）、特定演出の実行期間を延長時間（中断）の時間分だけ拡大し（ステップＳ３０５６Ａ）、延長時間（中断）を「０秒」にリセットする（ステップＳ３０５６Ｂ）。このような処理によって、第１特図ゲームの実行中に第２特図ゲームが「大当り」となって第１特図ゲームが中断されたときに中断期間を特定演出の実行期間の拡大で対処することができる（特定演出の終了タイミングと第１特図ゲームの終了（確定飾り図柄の導出）タイミングとを合わせることができる。）。
【０３３４】
延長時間（中断）が「０」である場合（ステップＳ３０５５；Ｎｏ）、ステップＳ３０５６Ｂのあと、演出制御用ＣＰＵ１２０は、特定演出を実行するための特定演出動作制御を行い（ステップＳ３０５７）、現在が特定演出の終了タイミングであるかを判定し（ステップＳ３０５８）、終了タイミングであれば（ステップＳ３０５８；Ｙｅｓ）、チャンス期間演出を終了させるため、チャンス期間演出フラグをオフし（ステップＳ３０５９）（チャンス期間演出を終了させる演出動作制御を行うようにしてもよい。）、今回の可変表示結果の表示結果が「ハズレ」であるかを判定し（ステップＳ３０６０）、「ハズレ」であれば（ステップＳ３０６０；Ｙｅｓ）、チャンス期間（高確高ベース状態）は再度到来するので、ＲＡＭ１２２の所定領域に設けられた再到来フラグをオン状態とする（ステップＳ３０６１）。
【０３３５】
なお、特定演出の実行中に第１特図ゲームが中断されたときには、そもそも可変表示中演出が実行されないので（図４１）、実行されない期間分、特定演出の実行が中断される。なお、図４１の処理において、第１特図ゲームの中断中（ステップＳ３０１；Ｎｏ）のときに、特定演出の実行中であるかを判定し（例えば、ＲＡＭ１２２の所定領域に特定演出の実行中にオン状態となるフラグを設け、このフラグによって特定演出の実行中を判定すればよい。）、特定演出の実行中である場合には、ここで、特定演出の演出動作制御を行い（演出制御パターンとして、例えば、延長用のパターンなどを用意して使用し、特定演出を実行するようにすればよい。）、特定演出の実行が途切れないようにしてもよい。このような処理によって、特定演出の実行中に第１特図ゲームが中断されても、特定演出の実行期間を拡大（延長）でき、特定演出の終了タイミングと第１特図ゲームの終了（確定飾り図柄の導出）タイミングとを合わせることができる。
【０３３６】
なお、特定演出の実行（ステップＳ３０５７）を、第１演出制御プロセス処理と並行して行うようにしてもよい（例えば、図３７の処理において、第１演出制御プロセス処理の前又は後に実行する）。この場合には、ステップＳ８１９で、チャンス期間演出フラグがオン状態であるか否かを判定してもよい（ここでは、第１特図ゲームが実行されていることが前提となるので、残り時間報知又は特定演出が実行中であるかの判定になる）。又は、残り時間報知フラグがオン状態であるか、又は、特定演出の実行中にオンとなるフラグ（ＲＡＭ１２２の所定領域に設ければよい。）がオン状態であるかを判定し、現在が残り時間報知又は特定演出が実行中であるかを判定してもよい。そして、現在が残り時間報知又は特定演出の実行中であると判定された場合に（ステップＳ８１９；Ｙｅｓ）、ステップＳ８２０以下の処理を行い、現在が残り時間報知及び特定演出の実行中でないと判定された場合（ステップＳ８１９；Ｎｏ）には、ステップＳ８２２に進めばよい。また、特定演出の実行時には、ステップＳ３０５５〜ステップＳ３０５６Ｂと同様の処理などを行って、特定演出の実行中に第１特図ゲームが中断されても、特定演出の実行期間を拡大（延長）して、特定演出の終了タイミングと第１特図ゲームの終了（確定飾り図柄の導出）タイミングとを合わせるようにしてもよい。
【０３３７】
現在が特定演出実行期間でない場合（ステップＳ３０５４；Ｎｏ）、特定演出の終了タイミングでない場合（ステップＳ３０５８；Ｎｏ）、表示結果が「ハズレ」である場合（ステップＳ３０６０；Ｎｏ）、ステップＳ３０６１のあと、その他の演出動作制御を行って（ステップＳ３０６２）、本処理を終了する。ステップＳ３０５７やステップＳ３０６２などが繰り返し実行されることで、飾り図柄の可変表示、リーチ演出、特定演出などの実行が実現される（図５２、図５５など）。
【０３３８】
ステップＳ３０５１にて可変表示時間が経過した場合には（ステップＳ３０５１；Ｙｅｓ）、主基板１１から伝送される第１図柄確定指定コマンドの受信があったか否かを判定する（ステップＳ３０６５）。このとき、第１図柄確定指定コマンドの受信がなければ（ステップＳ３０６５；Ｎｏ）、第１可変表示中演出処理を終了して待機する。なお、可変表示時間が経過した後、第１図柄確定コマンドを受信することなく所定時間が経過した場合には、第１図柄確定コマンドを正常に受信できなかったことに対応して、所定のエラー処理が実行されるようにしてもよい。
【０３３９】
ステップＳ３０６５にて第１図柄確定コマンドの受信があった場合には（ステップＳ３０６５；Ｙｅｓ）、可変表示結果が「５Ｒ通常」の「大当り」であるかを判定し（ステップＳ３０６６）、「５Ｒ通常」の「大当り」であれば（ステップＳ３０６６；Ｙｅｓ）、特定大当り図柄の導出条件を満たすか否かを判定する（ステップＳ３０６７）。
【０３４０】
当該導出条件は、チャンス期間（高確高ベース状態）が長く継続しやすい条件であり（第１特図ゲームで長く「大当り」が発生しない条件であり）、例えば、
（１）第１特図保留記憶数が「０」である場合（始動入賞時コマンドバッファにコマンドが格納されているかで判定すればよい。）、
（２）第１特図ゲームの保留があるが、当該保留について大当り判定無し（始動入賞時コマンドバッファの大当り判定フラグがすべてオフになっていれば当該条件を満たす。）、
（３）第１特図ゲームの保留があって大当り判定もあるが、大当りまでの特図変動時間が所定時間以上（ここでは１０分以上）（始動入賞時コマンドバッファにおいて、大当り判定フラグがオン状態になっている以前の保留表示番号に対応する変動パターン判定結果指定コマンドによって特定される変動パターンから大当りまでの特図変動時間を算出すればよい。例えば、各変動パターンの特図変動時間の合計が前記所定時間以上であれば、当該条件を満たす。）
である（図４５参照）。
【０３４１】
なお、導出条件は、上記（１）〜（３）のいずれか１つ又は２つのみであってもよい。つまり、パチンコ遊技機１として、上記（１）〜（３）の少なくともいずれかが満たされれば、導出条件を満たすと判定してもよい。また、導出条件は、上記（１）〜（３）以外の他の条件であってもよい。例えば、上記「大当り」を、「５Ｒ短期」の「大当り」のみとしてもよい（始動入賞時コマンドバッファにおける図柄判定結果指定コマンドで判定すればよい。）。
【０３４２】
上記いずれかの条件を満たす場合、チャンス期間（高確高ベース状態）が長く継続しやすいので、特定大当り図柄の導出条件を満たすと判定し（ステップＳ３０６７；Ｙｅｓ）、特定大当り図柄（「７  ７  ７」）を最終停止図柄として、図柄を導出表示する制御を行う（ステップＳ３０６８）。これによって、これから到来するチャンス期間が長く継続しやすいことを報知できる。
【０３４３】
可変表示結果が「５Ｒ通常」の「大当り」でない場合（ステップＳ３０６６；Ｎｏ）、特定大当り図柄の導出条件を満たさないと判定した場合（ステップＳ３０６７；Ｎｏ）、予めステップＳ３７１で決定している図柄を最終停止図柄として、図柄を導出表示する制御を行う（ステップＳ３０６９）。
【０３４４】
例えば、演出制御用ＣＰＵ１２０は、表示制御部１２３のＶＤＰ等に対して所定の表示制御指令を伝送して、飾り図柄の可変表示において表示結果となる最終停止図柄（確定飾り図柄）を導出表示させる制御を行うことで、図柄を導出表示する制御を行う。このような制御によって、表示制御部１２３は、最終停止図柄を導出し、かつ、当該最終停止図柄を所定時間表示し続ける処理を行う。なお、図４５に最終停止図柄と、当該最終停止図柄の導出条件などを示す。
【０３４５】
ステップＳ３０６８又はＳ３０６９のあと、演出制御用ＣＰＵ１２０は、残り時間報知フラグがオン状態であるかを判定し（ステップＳ３０７０）、オン状態である場合（ステップＳ３０７０；Ｙｅｓ）、延長時間（中断）が「０秒」でないかを判定し（ステップＳ３０７１）、「０秒」でない場合（ステップＳ３０７１；Ｙｅｓ）、延長時間（中断）分の時間を残り時間報知で報知されている残り時間に上乗せする延長報知の演出動作制御を実行し（ステップＳ３０７２）、延長時間（中断）を「０秒」にリセットする（ステップＳ３０７３）。このような処理によって、第１特図ゲームの中断期間を残り時間報知で報知される残り時間に上乗せ（延長）させることができる。
【０３４６】
残り時間報知フラグがオン状態でない場合（ステップＳ３０７０；Ｎｏ）、延長時間（中断）が「０秒」でない場合（ステップＳ３０７１；Ｎｏ）、ステップＳ３０７３のあと、第１当り開始指定コマンド受信待ち時間として予め定められた一定時間を第１演出制御プロセスタイマ（ＲＡＭ１２２の所定領域に設けられた別のタイマでもよい。）などに設定する（ステップＳ３０７４）。そして、第１演出プロセスフラグの値を「３」に更新し（ステップＳ３０７５）、第１可変表示中演出処理を終了する。
【０３４７】
図４１に戻り、ステップＳ３７３の第１特図当り待ち処理は、第１演出プロセスフラグの値が「３」のときに実行される処理である。この第１特図当り待ち処理において、演出制御用ＣＰＵ１２０は、主基板１１から伝送された第１当り開始指定コマンドの受信があったか否かを判定する。そして、第１当り開始指定コマンドを受信したきに演出プロセスフラグの値を「４」に更新して本処理を終了する。また、第１当り開始指定コマンドを受信せずに、第１演出制御プロセスタイマがタイムアウトしたときには（第１当り開始指定コマンド受信待ち時間が経過したときには）、第１特図ゲームにおける第１特図表示結果が「ハズレ」であったと判断して、第１演出プロセスフラグの値を初期値である「０」に更新して本処理を終了する。
【０３４８】
ステップＳ３７３で、第１演出制御プロセスタイマがタイムアウトしたとき（第１特図ゲームにおける第１特図表示結果が「ハズレ」であるとき）には、例えば、図４６のフローチャートに示す処理を実行する。
【０３４９】
図４６のフローチャートにおいて、演出制御用ＣＰＵ１２０は、まず、再到来フラグがオン状態であるかを判定し（ステップＳ３２０１Ａ）、オン状態であれば（ステップＳ３２０１Ａ；Ｙｅｓ）、再度チャンス期間が訪れるので、チャンス期間演出フラグをオン状態として、再到来フラグをオフ状態にリセットする（ステップＳ３２０２Ａ）。その後チャンス期間演出の実行開始設定を行う（ステップＳ３２０３）。例えば、チャンス期間演出を実行するための演出制御パターンを使用パターンとして設定する。
【０３５０】
その後、第１特図ゲームの保留があるか否かを、始動入賞時コマンドバッファにコマンドが格納されているか否かで判定し（ステップＳ３２０４）、保留がある場合には（ステップＳ３２０４；Ｙｅｓ）、残り時間報知フラグをオン状態とし（ステップＳ３２０５）、始動入賞時コマンドバッファにオン状態の大当り判定フラグがあるか否かを判定し（ステップＳ３２０６）、ある場合には（ステップＳ３２０６；Ｙｅｓ）、直近のオンの大当り判定フラグに対応する特定演出フラグをオン状態とする（ステップＳ３２０７）。始動入賞時コマンドバッファにオン状態の大当り判定フラグがない場合には（ステップＳ３２０６；Ｎｏ）、特定演出の実行対象の可変表示（保留されている可変表示）をランダムで特定し（ステップＳ３２０８）（例えば、第１特図保留記憶数に応じたテーブルと乱数値などとを用いて決定すればよい。）、実行対象の可変表示（保留されている可変表示）に対応する特定演出フラグをオン状態とする（ステップＳ３２０９）。
【０３５１】
ステップＳ３２０７及びＳ３２０９のあと、ステップＳ３２１０〜Ｓ３２１３の処理（残り時間報知や延長報知を実行するための処理）を実行するが、これら処理は、ステップＳ８５８〜Ｓ８６１と同じなので説明を省略する。ただし、ステップＳ３２１３では、残り時間報知フラグをオン状態とする処理も行う。再到来フラグがオフの場合（ステップＳ３２０１Ａ；Ｎｏ）、第１特図の保留が無い場合（ステップＳ３２０４；Ｎｏ）、本処理は終了する。
【０３５２】
このような処理によって、特定演出や残り時間報知を実行するための設定が行われる。
【０３５３】
図４１に戻り、ステップＳ３７４の第１大当り処理は、演出プロセスフラグの値が「４」のときに実行される処理である。この処理において、演出制御用ＣＰＵ１２０は、例えば、大当り遊技状態における演出内容に対応した演出制御パターン等を設定して、当該設定した演出パターンで演出動作制御を行い、また、例えば主基板１１からの第１当り終了指定コマンドを受信したことに対応して、第１演出制御プロセスフラグの値を第１エンディング演出処理に対応した値である「５」に更新する。
【０３５４】
ステップＳ３７５の第１エンディング演出処理は、第１演出プロセスフラグの値が「５」のときに実行される処理である。この第１エンディング演出処理において、演出制御用ＣＰＵ１２０は、例えば大当り遊技状態の終了などに対応した演出制御パターン等を設定して、当該設定した演出パターンで演出動作制御を行う。また、エンディング終了時において、第１演出制御プロセスフラグの値を初期値である「０」に更新する。なお、「０」に更新するときには、例えば、図４７に示すフローチャートの処理も実行される。当該処理は、図４６の処理と基本的に同じであるので（ステップ番号が共通の処理は両者で同じ）、図４６の処理と異なる部分だけ説明する。図４７のフローチャートでは、まず、演出側高確高ベースフラグがオン状態であるかを判定し（ステップＳ３２０１Ｂ）、オン状態でなければ（ステップＳ３２０１；Ｎｏ）、本処理を終了し、オン状態であれば（ステップＳ３２０１；Ｙｅｓ）、チャンス期間フラグをオン状態とする（ステップＳ３２０２Ｂ）。後の処理は、図４６の処理と同様である。
【０３５５】
図４８は、第２演出制御プロセス処理の一例を示すフローチャートである。図４８に示す第２演出制御プロセス処理では、演出制御用ＣＰＵ１２０は、まず、第２中断フラグがオン状態であるかを判定する（ステップＳ４０４）。第２中断フラグがオン状態のときには（ステップＳ４０４；Ｙｅｓ）、中断の旨の表示動作制御を行って（ステップＳ４０５）、本処理を終了する。ステップＳ４０５では、例えば、演出制御用ＣＰＵ１２０は、表示制御部１２３のＶＤＰ等に対して所定の表示制御指令を伝送させることといった表示動作制御を行って中断中を示す「断」の画像を表示する（図５５参照）。
【０３５６】
演出制御用ＣＰＵ１２０は、第２中断フラグがオフ状態である場合（ステップＳ４０４；Ｎｏ）、ＲＡＭ１２２の所定領域に設けられた第２演出プロセスフラグの値（最初は、「０」である。）に応じて、以下のようなステップＳ４７０〜Ｓ４７５の処理のいずれかを選択して実行する。
【０３５７】
ステップＳ４７０の第２表示開始待ち処理は、第２演出プロセスフラグの値が「０」のときに実行される処理である。この第２表示開始待ち処理は、主基板１１からの第２変動開始指定コマンドなどを受信したか否かに基づき、画像表示装置５における領域５Ｂへの第２特図ゲームが実行中であることを示す画像の表示（所定の画像の可変表示）を開始するか否かを判定する処理などを含んでいる。第２変動開始指定コマンドなどを受信し、画像表示装置５における画像の表示を開始すると判定した場合には、第２演出プロセスフラグの値が「１」に更新される。
【０３５８】
ステップＳ４７１の第２表示開始設定処理は、第２演出プロセスフラグの値が「１」のときに実行される処理である。図４９は、第２表示開始設定処理として、図４８のステップＳ４７１にて実行される処理の一例を示すフローチャートである。図４９に示す第２表示開始設定処理において、演出制御用ＣＰＵ１２０は、まず、例えば主基板１１から伝送された第２表示結果指定コマンドなどに基づいて、第２特図ゲームにおける可変表示結果を表示するときに領域５Ｂで表示する、第２特図ゲームにおける可変表示結果を報知する画像（可変表示結果の表示画像）を、第２表示結果指定コマンドによって示される可変表示結果を示す画像に決定する（ステップＳ４０２９）。例えば、第２表示結果通知コマンドによって示される可変表示結果が「大当り」であれば「○」の画像、「ハズレ」であれば「×」の画像、を、領域５Ｂで表示する画像として決定する。
【０３５９】
ステップＳ４０２９の処理を実行した後には、主基板１１から伝送され受信した変動パターン指定コマンドにより指定された変動パターンに応じた演出制御パターン（変動パターンに対応する第２特図変動時間に対応した長さで所定の画像の可変表示を実行する演出制御パターン）を、この後に使用する使用パターンとして設定する（ステップＳ４０３０）。
【０３６０】
次に、演出制御用ＣＰＵ１２０は、例えば変動パターン指定コマンドにより指定された変動パターンに対応して、ＲＡＭ１２２の所定領域に設けられた第２演出制御プロセスタイマの初期値（変動パターンに対応する第２特図変動時間に応じた初期値）を設定する（ステップＳ４０３１）。
【０３６１】
そして、画像表示装置５における画像表示を開始させるための設定を行う（ステップＳ４０３２）。このときには、例えば表示制御指令を表示制御部１２３のＶＤＰ等に対して伝送することなどによって、演出動作制御を行う。その後、第２演出プロセスフラグの値を第２表示中演出処理に対応した値である「２」に更新してから（ステップＳ４０３３）、第２表示開始設定処理を終了する。
【０３６２】
図４８に戻り、ステップＳ４７２の第２表示中演出処理は、第２演出プロセスフラグの値が「２」のときに実行される処理である。図５０は、第２表示中演出処理として、図４８のステップＳ４７２にて実行される処理の一例を示すフローチャートである。図５０に示す第２表示中演出処理において、演出制御用ＣＰＵ１２０は、まず、例えば第２演出制御プロセスタイマのタイマ値などに基づいて、変動パターンに対応した画像の表示時間が経過したか否かを判定する（ステップＳ４０５１）。一例として、ステップＳ４０５１の処理では、第２演出制御プロセスタイマのタイマ値を更新（例えば１減算）し、更新後の第２演出制御プロセスタイマのタイマ値に対応して第２演出制御パターンから終了コードが読み出されたときなどに、画像の表示時間が経過したと判定すればよい。
【０３６３】
ステップＳ４０５１にて所定の画像の表示時間（例えば、「○」の画像と「×」の画像との可変表示時間）が経過していない場合には（ステップＳ４０５１；Ｎｏ）、使用パターンとして設定された演出制御パターンに従って、第２特図ゲームが実行中であることを示す画像（前記の所定の画像）を領域５Ｂに表示する（例えば、識別情報の可変表示の一種として、「○」の画像と「×」の画像とを可変表示する）ための演出動作制御などを行う（ステップＳ４０５６）。ステップＳ４０５６のあと、第２表示中演出処理は終了する。
【０３６４】
ステップＳ４０５１にて所定の画像の表示時間（例えば、「○」の画像と「×」の画像との可変表示時間）が経過した場合には（ステップＳ４０５１；Ｙｅｓ）、主基板１１から伝送される第２図柄確定指定コマンドの受信があったか否かを判定する（ステップＳ４０６５）。このとき、第２図柄確定指定コマンドの受信がなければ（ステップＳ４０６５；Ｎｏ）、第２表示中演出処理を終了して待機する。なお、表示時間が経過した後、第２図柄確定指定コマンドを受信することなく所定時間が経過した場合には、第２図柄確定指定コマンドを正常に受信できなかったことに対応して、所定のエラー処理が実行されるようにしてもよい。
【０３６５】
ステップＳ４０６５にて第２図柄確定指定コマンドの受信があった場合には（ステップＳ４０６５；Ｙｅｓ）、例えば演出動作制御によって第２特図ゲームにおける可変表示結果を報知する画像を表示させる制御を行う（ステップＳ４０６６）。このときには、第２当り開始指定コマンド受信待ち時間として予め定められた一定時間を第２演出制御プロセスタイマ（ＲＡＭ１２２の所定領域に設けられた別のタイマでもよい。）などに設定する（ステップＳ４０６７）。そして、第２演出プロセスフラグの値を第２特図当り待ち処理に対応した値である「３」に更新し（ステップＳ４０６８）、第２表示中演出処理を終了する。
【０３６６】
図４８に戻り、ステップＳ４７３の第２特図当り待ち処理は、第２演出プロセスフラグの値が「３」のときに実行される処理である。この第２特図当り待ち処理において、演出制御用ＣＰＵ１２０は、主基板１１から伝送された第２当り開始指定コマンドの受信があったか否かを判定する。そして、第２当り開始指定コマンドを受信したきに演出プロセスフラグの値を「４」に更新して本処理を終了する。また、第２当り開始指定コマンドを受信せずに、第２演出制御プロセスタイマがタイムアウトしたときには（第２当り開始指定コマンド受信待ち時間が経過したときには）、第２特図ゲームにおける第２特図表示結果が「ハズレ」であったと判断して、第２演出プロセスフラグの値を初期値である「０」に更新して本処理を終了する。
【０３６７】
ステップＳ４７４の第２大当り処理は、演出プロセスフラグの値が「４」のときに実行される処理である。この処理において、大当り遊技状態における演出内容に対応した演出制御パターン等を設定して、当該設定した演出パターンで演出動作制御（例えば、「当」の画像を表示する制御、図５６参照）を行い、また、例えば主基板１１からの第２当り終了指定コマンドを受信したことに対応して、第２演出制御プロセスフラグの値を第２エンディング演出処理に対応した値である「５」に更新する。
【０３６８】
ステップＳ４７５の第２エンディング演出処理は、第２演出プロセスフラグの値が「５」のときに実行される処理である。この第２エンディング演出処理において、演出制御用ＣＰＵ１２０は、例えば大当り遊技状態の終了などに対応した演出制御パターン等を設定して、当該設定した演出パターンで演出動作制御を行う。また、エンディング終了時において、第２演出制御プロセスフラグの値を初期値である「０」に更新する。
【０３６９】
次に、図５１を参照して、この実施の形態の遊技状態などについて説明する。
【０３７０】
通常状態において第１特図ゲームが実行されて、「５Ｒ短期」の「大当り」が導出表示された場合、短期開放大当り遊技状態に制御されるが（このときの遊技状態は、通常状態のまま）、大入賞口への入賞が発生しないので（確変検出領域５０への遊技球の進入がない。）、短期開放大当り遊技状態直後からの遊技状態は、通常状態のままとなる（図５１（Ａ））。
【０３７１】
通常状態において第１特図ゲームが実行されて、「５Ｒ通常」の「大当り」が導出表示された場合、通常開放大当り遊技状態に制御され（このときの遊技状態は、通常状態のまま）、通常、大入賞口への入賞が発生し（確変検出領域５０への遊技球の進入が発生する。）、通常開放大当り遊技状態直後からの遊技状態は、高確高ベース状態となってチャンス期間となる（図５１（Ｂ））。つまり、高確高ベース状態（チャンス期間）が開始される。
【０３７２】
高確高ベース状態（チャンス期間）において第１特図ゲームが実行されて、「５Ｒ短期」の「大当り」が導出表示される場合、その前に特定演出が実行され、当該特定演出の終了とともにチャンス期間は終了する。その後、短期開放大当り遊技状態に制御される（遊技状態は、通常状態となる。）。短期開放大当り遊技状態では、大入賞口への入賞が発生しないので（確変検出領域５０への遊技球の進入がない。）、短期開放大当り遊技状態直後からの遊技状態は、通常状態のままとなる（図５１（Ｃ））。高確高ベース状態は、終了したことになる。
【０３７３】
高確高ベース状態（チャンス期間）において第１特図ゲームが実行されて、「５Ｒ通常」の「大当り」が導出表示される場合、その前に特定演出が実行され、当該特定演出の終了とともにチャンス期間は終了する。その後、通常開放大当り遊技状態に制御され（遊技状態は、通常状態となる。）、通常、大入賞口への入賞が発生し（確変検出領域５０への遊技球の進入が発生する。）、通常開放大当り遊技状態直後からの遊技状態は、高確高ベース状態が継続され、再度チャンス期間（図５１（Ｄ））が到来する。
【０３７４】
高確高ベース状態（チャンス期間）において第２特図ゲームが実行されて、「５Ｒ通常」の「大当り」が導出表示される場合、通常開放大当り遊技状態に制御され（遊技状態は、通常状態となる。）、通常、大入賞口への入賞が発生し（確変検出領域５０への遊技球の進入が発生する。）、通常開放大当り遊技状態直後からの遊技状態は、高確高ベース状態が継続される。第２特図ゲームの「大当り」のときには、特定演出は実行されず（高確高ベース状態が終了する恐れがないためである。）、チャンス期間は終了せずに継続する（図５１（Ｅ））。
【０３７５】
次に、この実施の形態で、画像表示装置５に表示される演出画面の一例について説明する。
【０３７６】
まず、遊技状態が通常状態のときにおいて、第１特図ゲームが実行され、「大当り」が導出表示されるときに演出画面について、図５２を参照して説明する。
【０３７７】
通常状態において第１特図ゲームが実行された場合、画面の領域５Ａにて、飾り図柄の可変表示（図では、矢印で示している。以下、可変表示について同じ。）が開始する（図５２（Ａ））。そして、所定のタイミング（変動パターンごとに予め定められたタイミング）でリーチが成立する。リーチを構成する飾り図柄（停止表示された飾り図柄）は、ここでは「６」であるが、他の飾り図柄であってもよい。
【０３７８】
その後、確定飾り図柄の導出表示直前に、一旦、飾り図柄を隠す演出が実行される（図５２（Ｃ））。このような演出は、例えば、演出制御パターンなどによって規定されており、ステップＳ３０６２において実行される。
【０３７９】
その後、第１特図ゲームの可変表示結果の導出タイミングに同期して、「大当り」の最終停止図柄を導出表示するが、このとき、大当り種別が「５Ｒ通常」で、このときの状況が特定大当り図柄の導出条件（図４５、図５２参照）を満たす状況である場合、特定大当り図柄として、「７」が揃って導出表示される（ステップＳ３０６８）（図５２（Ｄ））。この導出表示は、例えば、ステップＳ３０６８の処理によって行われる。大当り種別が「５Ｒ通常」で、特定大当り図柄の導出条件を満たさない場合、大当り種別が「５Ｒ通常」のときの通常の大当り図柄として、「５」が揃って導出表示される（図５２（Ｅ））。大当り種別が「５Ｒ短期」の場合、大当り種別が「５Ｒ短期」のときの通常の大当り図柄として、「６」が揃って導出表示される（ステップＳ３０６９）（図５２（Ｆ））。
【０３８０】
「５Ｒ通常」の「大当り」の場合（大当り図柄が「５」又は「７」の場合）、通常開放大当り遊技状態に制御される。なお、この実施の形態では、大当り図柄が「５」であろうが「７」であろうが、大当り遊技状態の内容は同じとなっている。通常開放大当り遊技状態後は、通常、高確高ベース状態になり、チャンス期間が到来するので、当該通常開放大当り遊技状態で実行される演出では、現在が大当り遊技状態中であることと、チャンス期間が到来することとが報知される演出が実行される（ステップＳ３７４）（図５２（Ｇ））。そして、その後、チャンス期間を報知するチャンス期間演出（「チャンス！！」の文字を表示する演出）や、チャンス期間が少なくとも終了しない期間を当該チャンス期間の残り時間として報知する残り時間報知（「残り時間５：００」を表示し、リアルタイムで時間を減じていくタイマ表示の演出）などが実行される（ステップＳ８５２、ステップＳ８６２）（図５２（Ｈ））。
【０３８１】
「５Ｒ短期」の「大当り」の場合、短期開放大当り遊技状態に制御される。短期開放大当り遊技状態の場合、通常、その後に高確高ベース状態にはならないので、当該短期開放大当り遊技状態では、高確高ベース状態にはならない旨の演出（「大当りなのに残念・・・」を表示する演出）が実行される（ステップＳ３７４）（図５２（Ｉ））。その後は、通常状態の遊技が行われる（図５２（Ｊ））。
【０３８２】
次に、高確高ベース状態（チャンス期間）での演出画面の一例について、図５３を参照して説明する。
【０３８３】
図５３（Ａ）のように、チャンス期間には、チャンス期間演出が実行され、このときには、「チャンス！！」の文字が表示される演出が実行される（チャンス期間演出では、背景画像などをチャンス期間用の画像に変更してもよい。）。なお、図５３（Ａ）では、領域５Ｂで「○」の画像と「×」の画像とが可変表示されている（図では矢印で示されている。）。また、図５３（Ａ）の例では、大当り遊技状態終了時に第１特図ゲームの保留が無く、これによって残り時間報知を実行しないと決定されたこと（ステップＳ３２０４；Ｎｏ）などによって、残り時間報知が実行されていない。
【０３８４】
図５３（Ｂ）のように、チャンス期間演出とともに残り時間報知が実行される場合がある。残り時間報知は、ここでは、「残り時間５：００」を表示し、リアルタイムで時間を減じていくタイマを表示する演出である。残り時間報知は、特に、第１特図の保留があるときに実行されて、チャンス期間の終了を煽る演出となっている。なお、図５３（Ｂ）のように、チャンス期間中では、「左」、「中」、「右」の飾り図柄表示エリア５Ｌ、５Ｃ、５Ｒが領域５Ａの左上の領域に移動し、ここで通常時よりも小さく飾り図柄の可変表示を実行する。
【０３８５】
次に延長報知（ステップＳ８６９）の演出画面の一例について、図５４を参照して説明する。
【０３８６】
延長報知では、例えば、図５４（Ａ）のように、延長する時間（＋３０秒）を報知するとともに、その時間を残り時間報知で報知されている残り時間（４：００）に加算する演出が実行される。
【０３８７】
なお、図５４（Ｂ）のように、実際に延長する時間（＋３０秒）よりも少ない時間を最初に報知し（＋５秒）、その後に延長する時間を増やすようにして、実際に延長する時間を報知してもよい（＋３０秒）。
【０３８８】
次に高確高ベース状態（チャンス期間）中に実行される第１特図ゲームに対応した演出画面（特定演出の画像を含む。）の一例について、図５５を参照して説明する。
【０３８９】
高確高ベース状態では、チャンス期間演出が実行されるので、第１特図ゲームに対応した飾り図柄の可変表示が目立たないように、「左」、「中」、「右」の飾り図柄表示エリア５Ｌ、５Ｃ、５Ｒが領域５Ａの左上の方に移動し、ここで通常時よりも小さく飾り図柄の可変表示が実行される（図５５（Ａ））。このような可変表示において、所定タイミングに達すると、リーチが成立する（図５５（Ｂ）又は（Ｄ））。この実施の形態では、高確高ベース状態では、可変表示期間が長くなり、リーチが成立する（但し、チャンス期間演出と被らないようにリーチ演出は実行されない。）（図１５参照）。そして、可変表示結果が「ハズレ」の場合かつ特定演出が実行されない場合には、リーチハズレの組合せの確定飾り図柄が導出表示される（図５５（Ｃ））。この場合には、そのままチャンス期間（高確高ベース状態）が継続する。
【０３９０】
特定演出が実行される場合（残り時間報知の残り時間が「０」になると特定演出が実行開始される。ステップＳ３０５３）には（なお、特定演出は、リーチ成立前に実行開始されることもある。）、「チャンス終了？？」の文字を表示して、チャンス期間が終了してしまう危機感（「５Ｒ短期」の「大当り」が導出されてしまう危機感）を煽る特定演出が実行される（ステップＳ３０５７）（図５５（Ｅ））。この実施の形態では、特定演出の終了とともに確定飾り図柄が導出表示される（これによって、チャンス期間やチャンス期間演出などは終了する（ステップＳ３０５９など））。
【０３９１】
確定飾り図柄が「ハズレ」の場合には、特定演出の最後として再度チャンス期間が到来すること（ステップＳ３１０８で設定される）が報知され（「チャンス再開！」の表示）、リーチハズレの組合せの確定飾り図柄が導出表示される（図５５（Ｆ））。その後、チャンス期間演出が再度開始される（ステップＳ３７３中の処理）。
【０３９２】
確定飾り図柄が「５Ｒ短期」の「大当り」の場合には、特定演出の最後としてチャンス期間が終了すること（高確高ベース状態が終了すること）（ステップＳ３１０７で設定される）が報知され（「チャンス終了・・・」の表示）、「５Ｒ短期」に対応した「６」が揃った大当り組合せの確定飾り図柄が導出表示される（図５５（Ｇ））。その後、大当り遊技状態（短期開放大当り遊技状態）中には、その後にチャンス期間が到来しないことを報知する演出（「残念・・・」の表示）が実行される（図５５（Ｈ））。なお、大当り遊技状態中の演出は、通常状態において「５Ｒ短期」の「大当り」が導出されたとき（図５２（Ｉ））と同じ演出であってもよい。大当り遊技状態後は、通常状態の演出が実行される。
【０３９３】
確定飾り図柄が「５Ｒ通常」の「大当り」の場合には、特定演出の最後として再度チャンス期間が到来すること（ステップＳ３１０６で設定される）が報知され（「チャンス復活！！」の表示）、「５Ｒ通常」に対応した「５」が揃った大当り組合せの確定飾り図柄が導出表示される（図５５（Ｉ））。その後、大当り遊技状態（通常開放大当り遊技状態）中には、その後にチャンス期間が到来することを報知する演出が実行される（図５５（Ｊ））。この大当り遊技状態中の演出は、通常状態において「５Ｒ通常」の「大当り」が導出されたとき（図５２（Ｇ））と同じ演出であるが、異なる演出としてもよい。
【０３９４】
なお、この実施の形態では、通常状態のときと同様、「５Ｒ通常」の「大当り」のときに上記導出条件（図４５）を満たす場合には、特定大当り図柄（「７」）を揃って導出表示するが、高確高ベース状態のときは、特定大当り図柄を揃って表示しなくてもよい（例えば、上記導出条件として、演出側高確高ベースがオフ状態になっていることを前提条件とすればよい）。
【０３９５】
なお、第２特図ゲームが実行されると、それに同期して、領域５Ｂにおいて、「○」の画像と「×」の画像とが可変表示されるが（図５５（Ｇ）、図５５（Ｉ））（図５５の矢印参照）、第２特図ゲームの実行中に、第１特図ゲームで「大当り」が導出表示されて、大当り遊技状態となったときには、領域５Ｂに第２特図ゲームが中断中であることを示す「断」の文字が表示される（図５５（Ｈ）、図５５（Ｊ））。
【０３９６】
次に高確高ベース状態（チャンス期間）中に実行される第２特図ゲームに対応した演出画面（特定演出の画像を含む。）の一例について、図５６を参照して説明する。
【０３９７】
第２特図ゲームが実行されると、それに同期して、領域５Ｂにおいて、「○」の画像と「×」の画像とを可変表示し（図５５（Ａ））、第２特図ゲームの可変表示結果が「大当り」のときには、「○」の画像を導出表示し（図５５（Ｂ））、第２特図ゲームの可変表示結果が「ハズレ」のときには、「×」の画像を導出表示し（図５５（Ｃ））、大当り遊技状態中は、領域５Ｂに、大当り遊技状態中である画像として、「当」の画像を表示する（図５５（Ｄ））。なお、第２特図ゲームが「大当り」の場合には、「５Ｒ通常」の大当り種別しか選択されないので、高確高ベース状態（チャンス期間）は継続するので、また、高確高ベース状態では第２特図ゲームが「大当り」になりやすいため、大当り遊技状態中であることを特に報知しなくてもよい。
【０３９８】
なお、第１特図ゲームが実行されると、それに同期して、領域５Ａにおいて、飾り図柄が可変表示されるが（図５６（Ａ）〜（Ｃ））（図５６の矢印参照）、第１特図ゲームの実行中に、第２特図ゲームで「大当り」が導出表示されて、大当り遊技状態となったときには、領域５Ａに第１特図ゲームが中断中であることを示す「中断中」の文字が表示される（図５６（Ｃ））。
【０３９９】
次にチャンス期間（チャンス期間演出）と残り時間報知との関係について、図５７を参照して説明する。図５７のように、大当り遊技状態終了時（又は、特定演出が実行された第１特図ゲームの表示結果が「ハズレ」であったとき）に、第１特図ゲームの保留があれば、特定演出の実行設定がなされ、残り時間報知も大当り遊技状態終了直後から開始される（図５７（Ａ））（図４６、図４７など参照）。大当り遊技状態終了時（又は、特定演出が実行された第１特図ゲームの表示結果が「ハズレ」であった場合）に、第１特図ゲームの保留がなければ、第１始動入賞が発生したとき（ここでは、第１特図ゲームの開始するときでもある。）に、残り時間報知が開始される（図５７（Ｂ））（図３７など参照）。このようにして、この実施の形態では、残り時間報知を適切に実行できる。
【０４００】
次に特定演出をどの可変表示で実行するかの決定方法について、図５８を参照して説明する。大当り遊技状態終了時（又は、特定演出が実行された第１特図ゲームの表示結果が「ハズレ」であったとき）に、第１特図ゲームの保留があり、かつ、大当り判定の保留がある場合、当該大当り判定の保留に対応する特定演出フラグをオン状態として（図４６、図４７のステップＳ３２０６、Ｓ３２０７）、当該保留の可変表示実行時（大当りの第１特図ゲーム実行時）に特定演出を実行する（図５８（Ａ））。大当り遊技状態終了時（又は、特定演出が実行された第１特図ゲームの表示結果が「ハズレ」であったとき）に、第１特図ゲームの保留があり、かつ、大当り判定の保留がない場合、当該保留のうちのいずれか（ランダムで決定する）に対応する特定演出フラグをオン状態として（図４６、図４７のステップＳ３２０６、Ｓ３２０８、Ｓ３２０９）、当該保留の可変表示実行時（ハズレの第１特図ゲーム実行時）に特定演出を実行する（図５８（Ｂ））。大当り遊技状態終了時（又は、特定演出が実行された第１特図ゲームの表示結果が「ハズレ」であったとき）に、第１特図ゲームの保留がない場合、最初に実行される第１特図ゲーム（一旦保留記憶される第１特図ゲーム）に対応する特定演出フラグをオン状態として（ステップＳ８５６）、当該第１特図ゲーム可変表示実行時に特定演出を実行する（図５８（Ｃ））。このようにして、この実施の形態では、特定演出を適切に実行できる。
【０４０１】
次に特定演出の繰り下げ（ステップＳ８６７）について、図５９を参照して説明する。ハズレの第１特図ゲームに特定演出の実行が設定されていた場合（ハズレの保留に対応する特定演出フラグがオン状態のとき）、新たな始動入賞があると、当該始動入賞で実行される第１特図ゲームで特定演出を実行するように、特定演出フラグのオンを１つ繰り下げることがある。特定演出の繰り下げによって、特定演出の実行時期を適切にできる（特に、第１特図ゲームが「大当り」のときに特定演出を実行し易くできる。）。
【０４０２】
次に、残り時間報知で報知されている残り時間の延長（延長報知による延長）について、図６０を参照して説明する。
【０４０３】
延長報知で延長される時間は、例えば、残り時間報知の実行を開始するときに設定される他（ステップＳ８６０、Ｓ３２１２など）、特定演出の繰り下げや、第１特図ゲームの中断によって、増加する（ステップＳ８６８、ステップＳ８２０）。例えば、図６０に示すように、残り時間報知で報知されている残り時間（リアルタイムで減少していく。）は、定期的に実行される延長報知Ａ１〜Ａ６によって延長される（ステップＳ８６９）。また、第１特図ゲームの中断による延長報知Ｂ１〜Ｂ３によっても延長される（ステップＳ８１９〜Ｓ８２１、ステップＳ８６９）。また、残り時間が０秒になったときの延長報知Ｃ１によっても延長される（ステップＳ８６９）。このような延長によって、残り時間報知で報知される残り時間が０秒になったときに、ちょうど、特定演出が実行されるようになる。特に、チャンス期間が第１特図ゲームの中断によって延びたり、特定演出の繰り下げがあったりしても、残り時間が０秒になったときに、ちょうど、特定演出が実行されるようになる。なお、この実施の形態では、実行中又は保留された第１特図ゲームが長期の可変表示期間の変動パターンであるときには、比較的短い時間での延長報知がされやすい（ステップＳ８６９）。このようにして、延長報知による残り時間の延長を適切に行える（例えば、特定演出の終了タイミングと第１特図ゲームの終了（確定飾り図柄の導出）タイミングとを合わせることができる。）。
【０４０４】
次に、延長報知による延長の態様について図６１を参照して説明する。残り時間報知の実行中に、第１特図ゲームの実行が中断されたが、当該中断期間分の延長が当該第１特ゲームの実行中に実行されなかった場合には、当該第１特図ゲームの実行終了時において、当該中断期間分の延長が全てなされるように、延長報知が実行される（ステップＳ３０７１〜Ｓ３０７２）。これによって、第１特図ゲームの中断があっても、延長報知による残り時間の延長を適切に行える（例えば、特定演出の終了タイミングと第１特図ゲームの終了（確定飾り図柄の導出）タイミングとを合わせることができる。）。
【０４０５】
次に、第１特図ゲームの実行中断によって実行期間が拡大（伸長）される特定演出について図６２を参照して説明する。特定演出が実行される飾り図柄の可変表示に対応する第１特図ゲームの実行中断があると、特定演出の実行期間が中断期間分拡大される（ステップＳ３０５６Ａ）。これによって、第１特図ゲームの中断があっても、特定演出の実行期間の拡大を適切に行える（例えば、特定演出の終了タイミングと第１特図ゲームの終了（確定飾り図柄の導出）タイミングとを合わせることができる。）。
【０４０６】
この実施の形態では、上記構成によって、第１識別情報（例えば、第１特別図柄など）の可変表示を実行して表示結果を導出する第１可変表示手段（例えば、第１特別図柄表示装置４Ａなど）と、第２識別情報（例えば、第２特別図柄など）の可変表示を実行して表示結果を導出する第２可変表示手段（例えば、第２特別図柄表示装置４Ｂなど）とのいずれかに特定表示結果（例えば、大当り図柄など）が導出されたときに特定遊技状態（例えば、大当り遊技状態など）に移行する遊技機（例えば、パチンコ遊技機１など）が構成されることになる。
【０４０７】
そして、上記構成によって、遊技機は、前記第１可変表示手段に第１識別情報の可変表示を実行させ、かつ、前記第２可変表示手段に第２識別情報の可変表示を実行させるとともに、第１識別情報の可変表示と第２識別情報の可変表示とを並行して実行させることが可能な可変表示実行手段（例えば、ステップＳ９２１とステップＳ９２２とを実行するＣＰＵ１０３など）と、少なくとも第１識別情報の可変表示に対応して装飾識別情報の可変表示を実行して装飾表示結果を導出する装飾可変表示実行手段（例えば、ステップＳ３７２の処理を実行する演出制御用ＣＰＵ１２０など）と、遊技状態を制御する遊技状態制御手段（例えば、ステップＳ１５０３やステップＳ２５０３などで高確高ベースフラグをオン状態とするＣＰＵ１０３など）と、未だ開始されていない第１識別情報の可変表示を保留記憶として記憶する保留記憶手段（例えば、第１特図保留記憶部など）と、を備えることになる。
【０４０８】
そして、上記構成によって、前記遊技状態制御手段は、前記特定遊技状態の終了後の遊技状態を、遊技者にとって有利な有利状態（例えば、高確高ベース状態など）に制御可能である（例えば、ステップＳ１５０３やステップＳ２５０３などで高確高ベースフラグをオン状態とするなど）、ことになる。
【０４０９】
有利状態は、遊技者にとって有利な遊技状態であればよく、低確高ベース状態であっても、高確低ベース状態であってもよい。また、有利状態の開始は、確変検出領域４０に遊技球が進入したことを契機としたものでなくてもよい。例えば、大当り種別が「５Ｒ確変」などの特定の種別であるとき（又は特定遊技状態の種類が特定の種類であるとき）に、当該特定遊技状態後に有利状態に制御されるものであればよい。また、有利状態は、特定遊技状態の終了直後の他、終了してから所定期間経過後に制御されるものであってもよい。例えば、特定遊技状態が終了してから実行される可変表示毎に、有利状態に昇格する抽選（乱数値とテーブルとを用いて行われればよい。以下同じ。）が行われ、当選した場合に、有利状態に制御されるようにしてもよい。このとき当選の確率が、特定の種別のときに高くなるようにすればよい。
【０４１０】
前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすく（例えば、第１特図ゲームでは、高確高ベース状態を終了させる「５Ｒ短期」の「大当り」が導出表示されるが、第２特図ゲームでは、高確高ベース状態を終了させる「５Ｒ短期」の「大当り」が導出表示されないなど）なることになる。
【０４１１】
また、この実施の形態では、有利状態の継続期間において、途中の特定遊技状態では通常状態になっていたが、特定遊技状態中に通常状態に戻らなくてもよい。有利状態の終了は、特定遊技状態後に当該有利状態が再制御されない状態であればよい。また、上記実施の形態では、有利状態は、第２識別情報の可変表示において特定種類の特定表示結果（「５Ｒ通常」）が導出されて特定遊技状態に制御されることで継続するものとしているが、第１識別情報の可変表示において所定の特定表示結果が導出されるまでは継続するものであればよい。上記実施の形態では、第２識別情報の可変表示で導出される特定表示結果は、必ず有利状態を継続させるものであるが、当該特定表示結果を複数用意し、そのうちの一部を有利状態を終了させる特定表示結果（「５Ｒ短期」の「大当り」など）としてもよい。このような場合には、第１識別情報の可変表示の方が、第２識別情報の可変表示よりも、有利状態を終了させる特定表示結果が導出されやすければよい。また、有利状態は、特定遊技状態の終了直後の他、終了してから所定期間経過後に終了するものであってもよい。例えば、特定遊技状態が終了してから実行される可変表示毎などに、有利状態から通常状態に転落する抽選（乱数値とテーブルとを用いて行われればよい。以下同じ。）が行われ、当該抽選に当選してしまった場合に、有利状態を終了させるようにしてもよい。例えば、第１識別情報の可変表示の特定表示結果の導出に基づく特定遊技状態のあとにのみ、例えば可変表示が実行される毎などに、転落抽選を行うようにしてもよいし、第１識別情報の可変表示の特定表示結果の導出に基づく特定遊技状態のあとの方が、第２識別情報の可変表示の特定表示結果の導出に基づく特定遊技状態のあとよりも転落割合が高いものであってもよい（この場合の転落抽選も、例えば、可変表示毎などに実行される。）。
【０４１２】
また、上記構成によって、前記装飾可変表示実行手段は、第１識別情報の可変表示が実行されて前記特定表示結果が導出されるときには、前記装飾表示結果として、複数種類の装飾特定表示結果のうちのいずれかを導出可能であり（例えば、「５」又は「７」のいずれかが揃う大当り組合せを構成する確定飾り図柄を導出表示する演出制御用ＣＰＵ１２０など）、第１識別情報の可変表示が実行されて前記特定表示結果が導出されるとき、かつ、前記保留記憶手段によって保留記憶が記憶されていないときに（例えば、第１特別図柄の可変表示で大当り図柄が導出表示され、かつ、第１特図保留記憶数が「０」であるときなど）、前記装飾表示結果として、前記複数種類の装飾特定表示結果のうちの特定の装飾特定表示結果（例えば、「７」が揃う特定大当り図柄など）を導出可能である（例えば、ステップＳ３０６８の処理を実行する演出制御用ＣＰＵ１２０など）、ことになる。
【０４１３】
上記の構成によれば、装飾特定表示結果の種類によって有利状態の終了（継続）のし易さを分かり易くでき、遊技の興趣を向上させることができる。特に、上記実施の形態のように、前記保留記憶手段によって保留記憶が記憶されているときなど、上記特定大当り図柄の導出条件を満たすときと満たさないときとで、図柄（装飾特定表示結果）を異ならせることで、有利状態の終了（継続）のし易さを分かり易くでき、遊技の興趣を向上させることができる。
【０４１４】
また、上記構成によって、前記有利状態は、特定の種類の前記特定遊技状態（例えば、通常開放大当り遊技状態など）に移行したことを契機として開始され、前記特定の種類とは異なる所定の種類の前記特定遊技状態（例えば、短期開放大当り遊技状態など）に移行したことを契機として終了し、前記遊技機は、第１識別情報の可変表示において、前記所定の種類の特定遊技状態に移行させる前記特定表示結果が導出されない非導出期間を報知する期間報知演出（例えば、残り時間報知など）を実行する期間報知演出実行手段（例えば、ステップＳ８６２の処理を実行する演出制御用ＣＰＵ１２０など）をさらに備えることになる。
【０４１５】
上記の構成によれば、期間報知演出によって、遊技者は非導出期間を把握でき、遊技の興趣を向上させることができる。
【０４１６】
また、上記構成によって、前記特定の装飾特定表示結果が導出されたときと、前記特定の装飾特定表示結果以外の所定の装飾特定表示結果が導出されたときと、で、前記特定遊技状態の有利度は同じである（例えば、大当り組合せを構成する確定飾り図柄が「５」であっても、「７」であっても、通常開放大当り遊技状態に制御されるなど）、ことになる。
【０４１７】
上記の構成によれば、特定の装飾特定表示結果が導出されたときの特定遊技状態が過度に有利となることを抑制できる。
【０４１８】
また、上記構成によって、遊技機は、前記保留記憶手段によって記憶される保留記憶に対応する第１識別情報の可変表示の態様を判定する判定手段（例えば、ステップＳ１００６の処理を実行するＣＰＵ１０３など）をさらに備え、前記装飾可変表示実行手段は、第１識別情報の可変表示が実行されて前記特定表示結果が導出されるとき、かつ、前記判定手段の判定結果が特定条件を満たすときに（例えば、第１特別図柄の可変表示で大当り図柄が導出表示され、かつ、第１特別図柄の可変表示の保留に大当りの判定がない又は第１特別図柄の可変表示の保留において大当りの判定があるが「大当り」が導出されるまでの期間（第１特図変動時間）が長いときなど、上記導出条件の少なくともいずれかであればよい。）、前記装飾表示結果として、前記特定の装飾特定表示結果を導出可能である（例えば、ステップＳ３０６８の処理を実行する演出制御用ＣＰＵ１２０など）、ことになる。
【０４１９】
上記の構成によれば、装飾特定表示結果の種類によって有利状態の終了（継続）のし易さを分かり易くでき、遊技の興趣を向上させることができる。特に、上記実施の形態のように、前記判定手段の判定結果が特定条件を満たすときなど、上記特定大当り図柄の導出条件を満たすときと満たさないときとで、図柄（装飾特定表示結果）を異ならせることで、有利状態の終了（継続）のし易さを分かり易くでき、遊技の興趣を向上させることができる。
【０４２０】
また、上記構成によって、前記判定手段は、前記保留記憶手段によって記憶される保留記憶について、前記特定表示結果が導出されるか否かを判定し（例えば、ステップＳ４０２の処理を実行するＣＰＵ１０３など）、前記判定手段の判定結果が前記特定条件を満たすときは、前記判定手段が、前記保留記憶手段によって記憶されている全ての保留記憶について、前記特定表示結果が導出されないと判定したときである（例えば、第１特別図柄の可変表示の保留に大当りの判定がないなど）、ことになる。
【０４２１】
なお、前記判定手段の判定結果が前記特定条件を満たすときは、前記判定手段が、前記保留記憶手段によって記憶されている全ての保留記憶について、前記有利状態を終了させる前記特定遊技状態となる前記特定表示結果（例えば、「５Ｒ短期」の「大当り」）が導出されないと判定したときであってもよい。
【０４２２】
上記の構成によれば、装飾特定表示結果の種類によって有利状態の終了（継続）のし易さを分かり易くでき、遊技の興趣を向上させることができる。
【０４２３】
また、上記構成によって、前記判定手段は、前記保留記憶手段によって記憶される保留記憶について、前記特定表示結果が導出されるか否かと、当該可変表示の可変表示期間と、を判定し（例えば、ステップＳ４０２、Ｓ４０６、Ｓ４１１の処理を実行するＣＰＵ１０３など）、前記判定手段の判定結果が前記特定条件を満たすときは、前記保留記憶手段によって記憶されている全ての保留記憶についての前記判定手段の判定結果によって特定される、前記特定表示結果が導出されるまでの期間が、特定期間以上であるときである（例えば、第１特別図柄の可変表示の保留において大当りの判定があるが「大当り」が導出されるまでの期間（第１特図変動時間）が長いときなど）、ことになる。
【０４２４】
なお、前記判定手段の判定結果が前記特定条件を満たすときは、前記保留記憶手段によって記憶されている全ての保留記憶についての前記判定手段の判定結果によって特定される、前記有利状態を終了させる前記特定遊技状態となる前記特定表示結果（例えば、「５Ｒ短期」の「大当り」）が導出されるまでの期間が、特定期間以上であるときであるときであってもよい。
【０４２５】
上記の構成によれば、装飾特定表示結果の種類によって有利状態の終了（継続）のし易さを分かり易くでき、遊技の興趣を向上させることができる。
【０４２６】
また、上記構成によって、前記遊技機は、少なくとも第１識別情報の可変表示において前記有利状態を終了させることとなる表示結果が導出されない非導出期間を報知する期間報知演出（例えば、チャンス期間において実行される残り時間報知など）を実行する期間報知演出実行手段（例えば、ステップＳ８６２の処理を実行する演出制御用ＣＰＵ１２０など）と、報知されている前記非導出期間を延長する延長演出（例えば、延長報知など）を実行する延長演出実行手段（例えば、ステップＳ８６９の処理を実行する演出制御用ＣＰＵ１２０など）と、をさらに備えることになる。
【０４２７】
上記実施の形態では、期間報知演出は、非導出期間を連続して報知しているが（リアルタイムで残り時間を減じているが）、非導出期間は、定期的又は不定期のタイミングごとにのみ報知されてもよい。
【０４２８】
また、上記構成によって、前記延長演出は、第１延長演出（例えば、延長する時間が４０秒又は５０秒の長期延長報知など）と、当該第１延長演出よりも延長する延長期間が短い第２延長演出（例えば、延長する時間が１０秒又は２０秒の短期延長報知など）と、を含み、前記延長演出実行手段は、可変表示期間が特定期間（第１期間）以上である第１識別情報の可変表示の実行中に前記第２延長演出を実行しやすい（例えば、実行中の第１特別図柄の可変表示の変動パターンが長期変動である場合に、短期延長報知を実行する演出制御用ＣＰＵ１２０など）、ことになる。
【０４２９】
なお、上記実施の形態では、可変表示期間が特定期間以上である第１識別情報の可変表示の実行中に前記短期延長演出を実行し、可変表示期間が特定期間未満である第１識別情報の可変表示の実行中に前記第２延長演出を実行しないようにしていたが、可変表示期間が特定期間以上であっても特定期間未満であっても、前記第２延長演出を実行可能とし、当該第２延長演出の実行割合を、可変表示期間が特定期間以上であるときの方が可変表示期間が特定期間未満であるときよりも高くするようにしてもよい。
【０４３０】
前記延長演出実行手段は、可変表示期間が特定期間以上であるときの方が、可変表示期間が特定期間以上でないときよりも、延長演出によって延長する延長期間の平均を短くすればよい。
【０４３１】
上記の構成によれば、延長演出によって、非導出期間の報知が単調になってしまうことを防止でき、遊技の興趣を向上させることができる。また、可変表示期間が特定期間以上である長い期間である場合における延長演出の実行機会（短い時間を報知することで、何回も延長演出を実行できるため。）を増やすことができ、遊技の興趣の向上させることができる。
【０４３２】
上記構成によって、前記延長演出実行手段は、可変表示期間が前記特定期間以上である第１識別情報の可変表示の実行中において、可変表示期間が前記特定期間未満である第１識別情報の可変表示の実行中に前記延長演出で延長し得る延長期間のうちの最も短い延長期間（例えば、長期延長報知において延長し得る最も短い３０秒など）よりも短い延長期間（例えば、短期延長報知において延長し得る最も短い１０秒など）で前記非導出期間を延長する延長演出を実行可能である（例えば、ステップＳ８６９の処理を実行する演出制御用ＣＰＵ１２０など）、ことになる。
【０４３３】
上記の構成によれば、延長演出によって、遊技の興趣を向上させることができる。また、可変表示期間が特定期間以上である長い期間である場合における延長演出の実行機会（短い時間を報知することで、何回も延長演出を実行できるため。）を増やすことができ、遊技の興趣の向上させることができる。
【０４３４】
上記構成によって、前記延長演出実行手段は、前記延長演出として、可変表示期間が前記特定期間以上である第１識別情報の可変表示の実行中に、短い延長期間で前記非導出期間を延長する演出を実行したあとに、当該短い延長期間よりも長い延長期間で前記非導出期間を延長する演出を実行可能である（例えば、図５４（Ｂ）のように、延長時間を上乗せする延長報知を実行する演出制御用ＣＰＵ１２０など）、ことになる。
【０４３５】
上記の構成によれば、延長期間が短くても、当該延長期間が長くなる可能性があるので、期待感が持続し、遊技の興趣を向上させることができる。
【０４３６】
上記構成によれば、未だ開始されていない第１識別情報の可変表示を保留記憶として記憶する保留記憶手段（例えば、第１特図保留記憶部など）と、前記保留記憶手段によって記憶される保留記憶に対応する第１識別情報の可変表示の可変表示期間を判定する判定手段（例えば、可変表示期間が前記特定期間以上の期間であるか否かを判定する判定手段）（例えば、ステップＳ１００６の判定結果に基づいてステップＳ８８４の処理を実行する演出制御用ＣＰＵ１２０など）と、をさらに備え、前記延長演出実行手段は、前記保留記憶手段によって記憶されている保留記憶に、可変表示期間が特定期間（第２期間、上記特定期間（第１期間）と異なる期間であってもよい。）となる保留記憶が含まれるとき（前記保留記憶手段によって記憶されている保留記憶に、前記判定手段によって前記可変表示期間が特定期間以上であると判定された保留記憶が含まれるとき）に、前記第２延長演出を実行しやすい（例えば、第１特別図柄の可変表示の保留記憶に長期変動の変動パターンの保留記憶が含まれているときに短期延長報知を実行する演出制御用ＣＰＵ１２０など）、ことになる。
【０４３７】
なお、上記実施の形態では、前記保留記憶手段によって記憶されている保留記憶に、前記判定手段によって前記可変表示期間が特定期間以上であると判定された保留記憶が含まれるときに前記短期延長演出を実行し、前記特定期間以上であると判定された保留記憶が含まれないときに可変表示期間が特定期間未満である第１識別情報の可変表示の実行中に前記第２延長演出を実行しないようにしていたが、前記特定期間以上であると判定された保留記憶が含まれても含まれてなくても、前記第２延長演出を実行可能とし、当該第２延長演出の実行割合を、前記特定期間以上であると判定された保留記憶が含まれているときの方が前記特定期間以上であると判定された保留記憶が含まれていないときよりも高くするようにしてもよい。
【０４３８】
また、前記判定手段は、前記可変表示期間を判定し、前記延長演出実行手段は、前記保留記憶手段によって記憶されている保留記憶それぞれについて前記判定手段によって判定された前記可変表示期間の合計が所定期間以上であるときに、前記第２延長演出を実行しやすいとしてもよい。
【０４３９】
前記延長演出実行手段は、前記特定期間又は前記所定期間以上であるときの方が、特定期間以上又は所定期間以上でないときよりも、延長演出によって延長する延長期間の平均を短くすればよい。
【０４４０】
上記の構成によれば、延長演出によって、非導出期間の報知が単調になってしまうことを防止でき、遊技の興趣を向上させることができる。また、可変表示期間が長い期間である場合における延長演出の実行機会（短い時間を報知することで、何回も延長演出を実行できるため。）を増やすことができ、遊技の興趣の向上させることができる。
【０４４１】
上記構成によって、前記延長演出実行手段は、前記保留記憶手段によって記憶された保留記憶に、前記判定手段によって前記可変表示期間が前記特定期間以上であると判定された保留記憶が含まれるときにおいて、当該保留記憶が含まれないときに前記延長演出で延長し得る延長期間のうちの最も短い延長期間（例えば、長期延長報知において延長し得る最も短い３０秒など）よりも短い延長期間（例えば、短期延長報知において延長し得る最も短い１０秒など）で前記非導出期間を延長する延長演出を実行可能である（例えば、ステップＳ８６９の処理を実行する演出制御用ＣＰＵ１２０など）、ことになる。
【０４４２】
上記の構成によれば、延長演出によって、遊技の興趣を向上させることができる。また、可変表示期間が長い期間である場合における延長演出の実行機会（短い時間を報知することで、何回も延長演出を実行できるため。）を増やすことができ、遊技の興趣の向上させることができる。
【０４４３】
上記構成によって、前記延長演出実行手段は、前記延長演出として、可変表示期間が前記特定期間以上である第１識別情報の可変表示の実行中に、短い延長期間で前記非導出期間を延長したあとに、当該短い延長期間よりも長い延長期間で前記非導出期間を延長する演出を実行可能である（例えば、図５４（Ｂ）のように、延長時間を上乗せする延長報知を実行する演出制御用ＣＰＵ１２０など）、ことになる。
【０４４４】
上記の構成によれば、延長期間が短くても、当該延長期間が長くなる可能性があるので、期待感が持続し、遊技の興趣を向上させることができる。
【０４４５】
上記構成によって、前記遊技機は、第１識別情報の可変表示の可変表示期間を決定する可変表示期間決定手段（例えば、ステップＳ１１１の処理を実行するＣＰＵ１０３など）を備え、前記可変表示実行手段は、前記可変表示期間決定手段によって決定された可変表示期間にて第１識別情報の可変表示を実行させるとともに、第１識別情報の可変表示の実行中に第２識別情報の可変表示において前記特定表示結果が導出されるときに、当該第１識別情報の可変表示の可変表示期間の時間経過（例えば、可変表示期間の計測）を中断させ、当該特定表示結果が導出されるときの前記特定遊技状態の終了後に当該可変表示期間の時間経過（例えば、可変表示期間の計測）を再開させ（例えば、ステップＳ１０２〜Ｓ１０６を実行して、第１特別図柄の可変表示の実行中に第２特別図柄の可変表示で「大当り」が導出されて大当り遊技状態に制御されたときに当該第１特別図柄の可変表示の処理を中断するＣＰＵ１０３など）ることになる。なお、特定表示結果が導出される第２識別情報の可変表示時から、第１識別情報の可変表示の可変表示期間の時間経過（例えば、可変表示期間の計測）を中断させるようにしてもよい（以下の延長演出や特定演出は、例えば、特定表示結果が導出される第２識別情報の可変表示時からの当該中断時間に応じて実行するものであってもよい。）。例えば、「大当り」となる第２特図ゲームの開始時から、当該「大当り」に基づく大当り遊技状態終了まで、第１特図ゲームを中断してもよい。なお、特定表示結果が導出される第１識別情報の可変表示時から、第２識別情報の可変表示の可変表示期間の時間経過（例えば、可変表示期間の計測）を中断させるようにしてもよい。例えば、「大当り」となる第１特図ゲームの開始時から、当該「大当り」に基づく大当り遊技状態終了まで、第２特図ゲームを中断してもよい。
【０４４６】
可変表示期間の時間経過を中断させるとは、見た目上可変表示が実行されていても、可変表示期間の計測等が内部的に行われず、中断期間が、可変表示期間に含まれないことを含む。見た目上でも可変表示が実行されないようにしてもよい。また、演出制御パターンなどのようなデータ（つまり、時系列的に並んだデータを順次読み出して）で第１識別情報の可変表示を実行する場合に、当該データの読み出しを中断して、第１識別情報の可変表示の実行を中断することをも含む。
【０４４７】
上記構成によって、前記延長演出実行手段は、前記期間報知演出の実行開始後、かつ、第１識別情報の可変表示の可変表示期間の時間経過（例えば、可変表示期間の計測）が中断されたことにもとづいて、当該中断された期間に応じた前記延長演出を実行する（例えば、ステップＳ８６９で、第１特別図柄の可変表示の中断によってオン状態とされた加算フラグに基づいて延長報知を実行する演出制御用ＣＰＵ１２０など）、ことになる。
【０４４８】
上記の構成によれば、延長演出によって、遊技者の違和感（期間報知演出で報知された非導出期間の終了タイミングと第１識別情報の可変表示における表示結果の導出タイミングとのずれが大きくなることによる違和感）を軽減することができ、遊技の興趣の低下を抑制することができる。なお、前記特定演出は不要であってもよい。なお、特定演出を実行するとしても、第１識別情報の可変表示の中断によって、期間報知演出で報知された非導出期間の終了タイミングと第１識別情報の可変表示における表示結果の導出タイミングとが本来のずれから大きくなるので、上記構成によって遊技者の違和感を軽減することができる。
【０４４９】
例えば、前記延長演出実行手段は、前記非導出期間を延長し得る延長期間が所定期間以上となった場合に、前記延長演出を実行する（例えば、図６３の処理を実行する演出制御用ＣＰＵ１２０など）、ようにしてもよい。例えば、演出制御用ＣＰＵ１２０は、ステップＳ８６９において、図６３の処理を行ってもよい。演出制御用ＣＰＵ１２０は、加算フラグがオンであるかを判定し（ステップＳ９０１）、加算フラグがオンであれば（ステップＳ９０１；Ｙｅｓ）、中断中の第１特図ゲームが再開されたことになり、延長時間（中断）が所定時間以上であるかを判定し（ステップＳ９０２）、所定時間以上であれば、延長時間（中断）分の延長報知を実行する制御を行い（ステップＳ９０３）、その後、延長時間（中断）を「０」にリセットする（ステップＳ９０４）。加算フラグがオフであったり（ステップＳ９０１；Ｎｏ）、所定時間以上でなかったり（ステップＳ９０２；Ｎｏ）、ステップＳ９０４の後は、本処理を終了する。
【０４５０】
上記の構成によれば、延長演出での延長期間を長い期間にでき、遊技の興趣を向上させることができる。特に、中断された期間分の時間だけ延長を行う延長演出によって（図６５参照）、遊技者の違和感をより軽減できる。
【０４５１】
また、上記構成によって、前記延長演出実行手段は、第１識別情報の可変表示の実行中に第２識別情報の可変表示において前記特定表示結果が導出されるごとに前記延長演出を実行する（例えば、ステップＳ８６９で、第１特別図柄の可変表示の中断によってオン状態とされた加算フラグに基づいて延長報知を実行する演出制御用ＣＰＵ１２０など）、ことになる。
【０４５２】
この構成の他の例として、演出制御用ＣＰＵ１２０は、例えば、ステップＳ８６９において、図６４の処理を行ってもよい。演出制御用ＣＰＵ１２０は、加算フラグがオンであるかを判定し（ステップＳ９０１）、加算フラグがオンであれば（ステップＳ９０１；Ｙｅｓ）、中断中の第１特図ゲームが再開されたことになり、延長時間（中断）分の延長報知を実行する制御を行い（ステップＳ９０３）、その後、延長時間（中断）を「０」にリセットする（ステップＳ９０４）。加算フラグがオフの場合（ステップＳ９０１；Ｎｏ）ステップＳ９０４の後は、本処理を終了する。
【０４５３】
上記の構成によれば、延長演出の実行機会を増やすことができ、遊技の興趣を向上させることができる。特に、中断された期間分の時間だけ延長を行う延長演出によって（図６５参照）、遊技者の違和感をより軽減できる。
【０４５４】
上記構成によって、遊技機は、前記期間報知演出において報知された前記非導出期間の経過後、第１識別情報の可変表示において前記特定表示結果が導出されるまでの間に、特定演出（例えば、特定演出など）を実行する特定演出実行手段（例えば、ステップＳ３０５７の処理を実行する演出制御用ＣＰＵ１２０など）と、前記期間報知演出が実行され、かつ、第１識別情報の可変表示の可変表示期間の時間経過（例えば、可変表示期間の計測）が中断されたことにもとづいて、前記特定演出の実行期間を延長させる特定演出延長手段（例えば、ステップＳ３０５６Ａの処理で特定演出の実行期間を拡大する演出制御用ＣＰＵ１２０など）と、をさらに備えることになる。
【０４５５】
上記の構成によれば、特定演出によって、遊技者の違和感（期間報知演出で報知された非導出期間の終了タイミングと第１識別情報の可変表示における表示結果の導出タイミングとのずれが大きくなることによる違和感）を軽減することができ、遊技の興趣の低下を抑制することができる。特に、中断された期間分の時間だけ特定演出の実行期間を延長させることによって、遊技者の違和感をより軽減できる。なお、上記実施の形態では、特定演出の実行期間を時系列的に前に延長しているが（特定演出の実行開始タイミングを前倒ししているが）、時系列的に後に延長してもよい（特定演出の実行開始タイミングを後に持ってきてもよい）。
【０４５６】
上記構成によって、前記特定演出実行手段は、前記期間報知演出において報知された前記非導出期間の終了時から、第１識別情報の可変表示において前記特定表示結果以外の表示結果が導出されるまでの間に、前記特定演出をさらに実行可能である（例えば、可変表示結果が「ハズレ」の場合にも特定演出を実行する演出制御用ＣＰＵ１２０など）、ことになる。
【０４５７】
上記の構成によれば、特定演出のバリエーションを増やすことができ、遊技の興趣を向上させることができる。
【０４５８】
また、上記構成によって、遊技機は、第１識別情報の可変表示の可変表示期間を決定する可変表示期間決定手段（例えば、ステップＳ１１１の処理を実行するＣＰＵ１０３など）を備え、前記有利状態として、第１状態（例えば、図６６の決定テーブルＢを参照するＣＰＵ１０３など）、又は、当該第１状態よりも第１識別情報の可変表示の可変表示期間を短い期間に決定し易い第２状態（例えば、図６６の決定テーブルＡを参照するＣＰＵ１０３など）に制御可能であり、前記装飾可変表示実行手段は、第１識別情報の可変表示が実行されて前記特定表示結果が導出されるとき、かつ、前記有利状態として前記第１状態に制御されるときに（例えば、第１特別図柄の可変表示で大当り図柄が導出表示され、かつ、大当り種別が「５Ｒ通常Ｂ」であるときなど）、前記装飾表示結果として、前記複数種類の装飾特定表示結果のうちの特定の装飾特定表示結果（例えば、「７」が揃う特定大当り図柄など）を導出可能である（例えば、ステップＳ３０６８の処理を実行する演出制御用ＣＰＵ１２０など）、ようにしてもよい。
【０４５９】
このような構成の詳細を説明する。ＣＰＵ１０３は、高確高ベース状態時に第１特図ゲームの変動パターンを決定するときに、図６６（Ｂ）〜（Ｅ）の変動パターンを参照する。また、図６７に示すように、大当り種別として、「５Ｒ通常Ａ」、「５Ｒ通常Ｂ」、「５Ｒ短期」が用意されている。なお、上記実施の形態と同様に「５Ｒ短期」は、第２特図ゲームでは選択されないようになっている。また、「５Ｒ通常Ａ」の「大当り」になったことに基づく大当り遊技状態の後の高確高ベース状態では、図６６（Ｂ）及び（Ｄ）のテーブルＡが参照され、「５Ｒ通常Ｂ」の「大当り」になったことに基づく大当り遊技状態の後の高確高ベース状態では、図６６（Ｃ）及び（Ｅ）のテーブルＢが参照される。第２特図ゲームでは、大当り種別によらず、上記実施形態と同様に変動パターンを決定してもよいし、大当り種別に応じて参照テーブルを変更してもよい。なお、ここでは、高確高ベース突入時の大当り種別によって参照されるテーブルが、高確高ベース中はずっと参照される。例えば、通常状態において第１特図ゲームの「大当り」の大当り種別が「５Ｒ通常Ａ」だとした場合、つまり、高確高ベース状態においてテーブルＡを参照すると決定した場合、当該高確高ベース状態においては、第２特図ゲームでの「大当り」の大当り種別に依らず、最初の大当り種別に応じたテーブルＡが参照される。
【０４６０】
図６６（Ｂ）及び（Ｄ）のテーブルＡを参照して決定される第１特図変動時間は、図６６（Ｃ）及び（Ｅ）のテーブルＢを参照して決定される第１特図変動時間よりも短くなっている。なお、テーブルの決定割合や変動パターンを調整することによって、テーブルＡを参照したときの平均的な第１特図変動時間をテーブルＢを参照したときの平均的な第１特図変動時間よりも短くするようにすればよい。
【０４６１】
このような状況によって、ステップＳ３０６８では、大当り種別が「５Ｒ通常Ｂ」であるときも、特定大当り図柄を導出する導出条件を満たすとして処理が行われる（図６８参照。なお、図６８や導出条件についての説明は、図４５や上記実施の形態における説明に準じる。）。大当り種別が「５Ｒ通常Ｂ」の場合、その後の第１特図ゲームの可変表示期間は「５Ｒ通常Ａ」よりも長くなるので、高確高ベース状態は他の導出条件と同様に長く継続しやすい。このため、大当り種別が「５Ｒ通常Ｂ」であるときも特定大当り図柄を導出するようにすることで、高確高ベース状態が継続し易いことを報知できる。
【０４６２】
なお、大当り発生毎にその大当り種別によって参照されるテーブルが変化するようにしてもよい。例えば、通常状態における第１特図ゲームの「大当り」の大当り種別が「５Ｒ通常Ａ」のときは、その後にテーブルＡを参照する高確高ベース状態に制御し、その後に高確高ベース状態中に第２特図ゲームで「大当り」が発生し、その大当り種別が「５Ｒ通常Ｂ」のときは、その後にテーブルＢを参照する高確高ベース状態に制御するようにしてもよい。
【０４６３】
上記の構成によれば、装飾特定表示結果の種類によって有利状態の終了（継続）のし易さを分かり易くでき、遊技の興趣を向上させることができる。特に、大当り種別が「５Ｒ通常Ｂ」であるときなど、上記特定大当り図柄の導出条件を満たすときと満たさないときとで、図柄（装飾特定表示結果）を異ならせることで、有利状態の終了（継続）のし易さを分かり易くでき、遊技の興趣を向上させることができる。
【０４６４】
この発明は、上記実施の形態などに限定されず、上記で説明した構成などについてさらに様々な変形及び応用が可能である。例えばパチンコ遊技機１は、上記実施の形態などで示した全ての技術的特徴を備えるものでなくてもよく、例えば、従来技術における少なくとも１つの課題を解決できるように、上記実施の形態で説明した一部の構成のみを備えたものであってもよい。以下に変形例を示す。下記の変形例それぞれについて、少なくとも一部を組み合わせても良い。
【０４６５】
（変形例１）
延長報知は、画像表示装置５の表示の他、画像表示装置５とは異なる副画像表示装置（液晶表示装置の他、ＬＥＤのセグメント表示などであってもよい。）での表示、スピーカ８Ｌ、８Ｒによる音声出力などによるものであってもよい。
【０４６６】
（変形例２）
延長演出の実行時間を複数種類用意し（例えば、１０秒の実行期間で延長演出を実行するものと、５秒の実行期間で延長演出を実行するもの）、延長演出実行手段は、可変表示期間が特定期間以上である第１識別情報の可変表示の実行中などの上記所定条件（前記保留記憶手段によって記憶されている保留記憶に、前記判定手段によって前記可変表示期間が前記特定期間以上であると判定された保留記憶が含まれるときなども含む。）を満たす場合に短い実行時間の延長演出を実行しやすくするようにしてもよい。これによっても、延長演出の実行機会を増やすことができる。
【０４６７】
（変形例３）
残り時間報知は、保留記憶は考慮せずに、第１特図ゲームの実行開始時に、当該第１特図ゲームの変動時間を報知又は変動時間から特定演出の実行時間を引いた時間を報知するようにしてもよい。
【０４６８】
（変形例４）
上記実施の形態では、一方の特図ゲームに基づいて大当り遊技状態に制御された場合に、他方の特図ゲームの実行を中断していたが、他方の特図ゲームの可変表示結果を強制的にハズレとしてもよい。このような場合、例えば、第２特図ゲームで「大当り」が発生した場合、第１特図ゲームが「ハズレ」となり、高確高ベース状態の終了時期が先延ばしされ、ゲーム性が上がる。特に、第１特図ゲームを「ハズレ」となることで、当該第１特図ゲームの可変表示時間に応じて延長報知を行うことで（特に上記実施形態の構成による延長報知を行うことで）、遊技の興趣を向上させることができる。
【０４６９】
（変形例５）
大当り種別や大当り遊技状態は、上記した他、どのようなものであってもよい。例えば、高確高ベース状態に移行する大当り種別と、移行しない大当り種別とで、大当り遊技状態の態様（ラウンド遊技の態様）を同じにしてもよい。
【０４７０】
（変形例６）
上記実施の形態では、大入賞口に入賞した遊技球は、必ず確変検出領域４０に進入するとしたが、他の経路も設け、大入賞口に入賞した遊技球のうちの一定割合は、確変検出領域４０に入賞できないようにしてもよい。また、例えば、確変判定装置（確変検出領域）を内部に有する第１アタッカー（特別可変入賞球装置）と、確変判定装置（確変検出領域）を内部に有さない第２アタッカー（特別可変入賞球装置）と、を設け、高確高ベース状態などの有利状態に移行する第１大当り種別（上記「５Ｒ通常」に対応）の大当り遊技状態では、第１アタッカーを解放し、高確高ベース状態などの有利状態に移行しない又は有利状態を終了させる第２大当り種別（上記「５Ｒ短期」に対応）の大当り遊技状態では、第２アタッカーを開放するようにしてもよい。また、第２大当り種別の大当り遊技状態では、確変判定装置（確変検出領域）に蓋をして、遊技球が進入できないようにして、その後の遊技状態が確変状態にならないようにしてもよい。また、確変検出領域４０に進入する遊技球を検出するための有効期間（当該有効期間内に遊技球の進入を検出したときにのみ、当該進入を有効とする期間）を設けてもよい。この場合、例えば、第１大当り種別の大当り遊技状態と第２大当り種別の大当り遊技状態とで、ともに大入賞口の開放期間を、当該大入賞口に遊技球が進入可能な期間（期間の長さは、両者で同じであっても、異なってもよい。）とし、第１大当り種別の大当り遊技状態では有効期間を長くし、第２大当り種別の大当り遊技状態では有効期間を無くす（又は、実質的に遊技球を検出できないような有効期間にする）ようにしてもよい。なお、第２大当り種別の大当り遊技状態においても、前記第１アタッカーを開放し（但し、開放する期間を第１大当り種別よりも短くする。）、前記蓋をしない期間を設け（但し、当該期間を第１大当り種別よりも短くする。）、又は、前記有効期間（但し、当該期間を第１大当り種別よりも短くする。）を設けるようにしてもよい。これらの場合、第２大当り種別の大当りを、第１特図ゲームで導出可能とし、第２特図ゲームで導出されないようにするか、大当り時における第２大当り種別の導出割合を第１特図ゲームの方が第２特図ゲームよりも高くすることで、「前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすい」との構成を実現してもよい。
【０４７１】
（変形例７）
ステップＳ１００６において、現在の遊技状態に基づいて先読みを行って、演出制御基板１２側で先読み予告演出を実行してもよい。
【０４７２】
（変形例８）
高確高ベース状態用（チャンス期間用）の変動パターンについて、「大当り」の変動パターンの方が、「ハズレ」の変動パターンよりも第１特図変動期間が短いものとしてもよい。
【０４７３】
（変形例９）
第１特図用の遊技用乱数と第２特図用の遊技用乱数とを共通としてもよい。つまり、乱数値ＭＲ１〜ＭＲ３を共通して用いるようにしてもよい。
【０４７４】
（変形例１０）
第２特図用の変動パターンは、「ハズレ」と「大当り」とで、それぞれ、複数種類用意してもよい。また、「ハズレ」と「大当り」とで異なる変動時間としてもよい。また、変動時間が同じであれば、「ハズレ」と「大当り」とで共通の変動パターンを用意してもよい。
【０４７５】
（変形例１１）
通常状態において第２始動入賞が発生してしまったときに、第２特図ゲームの可変表示で「大当り」が発生しにくくなるように（又は左打ちを促すために）、第２特図ゲームの特図変動時間を非常に長くしてもよい（例えば、３０分など）。
【０４７６】
（変形例１２）
第２始動入賞口の近傍にもう一つの第１始動入賞口を設け、第１始動入賞と第２始動入賞とが所定割合で発生するように、遊技球を第１始動入賞と第２始動入賞とに振り分けるようにしてもよく、この場合に、第１始動入賞と第２始動入賞との発生割合に偏りが出て、異常が発生した場合に、異常を報知するようにしてもよい。
【０４７７】
（変形例１３）
図４０に関連して、延長する時間の決定は、延長時間（合計）に応じて決定してもよい。例えば、延長する時間を延長時間（合計）の２０％、４０％、８０％などの割合で規定してもよい。
【０４７８】
（変形例１４）
特定大当り図柄を導出するための導出条件（図４５など）を満たすかの判定（ステップＳ３０６７）は、可変表示開始時、リーチ時、所定時間の経過時に行ってもよい。また、導出条件を満たした場合は、必ず特定大当り図柄を導出するのではなく、一定割合で特定大当り図柄を導出してもよい。
【０４７９】
（変形例１５）
「５Ｒ短期」の「大当り」の確定飾り図柄は、所定のリーチハズレ目などとしてもよい。このようにして、「５Ｒ短期」の「大当り」を遊技者に気付かせないようにしてもよい。
【０４８０】
（変形例１６）
第２特図ゲームに対応する可変表示などの画面表示は行わなくてもよい。
【０４８１】
（変形例１７）
第１特図ゲームの中断は、内部的なものであればよく、飾り図柄は見た目上変動したままでもよい。
【０４８２】
（変形例１８）
高確高ベース状態の終了は、特殊ハズレ図柄や小当り図柄の導出を契機として終了するものであってもよい。
【０４８３】
（変形例」１９）
高確高ベース状態における第１特図ゲームで「５Ｒ通常」の「大当り」が導出される場合には、特定演出を実行しなくてもよい（高確高ベース状態やチャンス期間がそのまま継続するようにしてもよい。）。特定演出は、残り時間報知におけるタイマ表示が残り０秒になる前に実行開始され、タイマーが０秒になるときに、特定演出が終了するようにしてもよい（このとき、「大当り」や「ハズレ」の可変表示結果が導出されるようにしてもよい。）。
【０４８４】
（変形例２０）
特定大当り図柄を導出するときには、「６  ６  ６」などの他の大当り図柄を一旦停止表示（仮停止）してから、特定大当り図柄を揃って導出するようにしてもよい。
【０４８５】
（変形例２１）
上記実施の形態は、遊技状態として、高確高ベース状態と通常状態とを用意していたが、低確高ベース状態、高確低ベース状態などを用意してもよい。例えば、大当り遊技状態中に確変検出領域４０などの確変判定装置への遊技球の進入がなかった場合（確変検出スイッチ４０などによる検出が無かった場合）、その後の遊技状態として確変状態には制御せずに高ベース状態（時短状態）に制御するようにしてもよい。このように、大当り遊技状態後に低確高ベース状態に制御してもよい。なお、高ベース状態に制御する大当り遊技状態は、複数種類のうちの一部のみ（例えば、５Ｒ通常大当り遊技状態のみ）であってもよい。また、所定の種類の大当り遊技状態のときには、確変検出領域４０などの確変判定装置への遊技球の進入があった場合、確変状態に制御するが、高ベース状態には制御しなくてもよい。このように、大当り遊技状態後に高確低ベース状態に制御してもよい。上記有利状態は、高ベース状態としても、確変状態（高確状態）としてもよい。
【０４８６】
（変形例２２）
上記実施の形態においては、変動時間及びリーチ演出の種類等の変動態様を示す変動パターンを演出制御マイクロコンピュータに通知するために、変動を開始するときに1つの変動パターンコマンドを送信する例を示したが、２つ乃至それ以上のコマンドにより変動パターンを演出制御マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御マイクロコンピュータは２つのコマンドの組合せから導かれる変動時間にもとづいて変動表示における演出制御を行うようにすればよい。尚、遊技制御用マイクロコンピュータの方では２つのコマンドのそれぞれにより変動時間を通知し、それぞれのタイミングで実行される具体的な変動態様については演出制御マイクロコンピュータの方で選択を行う様にしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信する様にしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。
【０４８７】
（変形例２３）
その他にも、遊技機の装置構成やデータ構成、フローチャートで示した処理、などを実行するための画像表示装置における画像表示動作やスピーカにおける音声出力動作さらには遊技効果ランプや装飾用ＬＥＤにおける点灯動作を含めた各種の演出動作などは、本発明の趣旨を逸脱しない範囲で、任意に変更及び修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。
【０４８８】
本発明を実現するためのプログラム及びデータは、例えばパチンコ遊技機１といった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０４８９】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【符号の説明】
【０４９０】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
２４  …  確変検出スイッチ
４０  …  確変検出領域
８１  …  ソレノイド
８２  …  ソレノイド
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
【図１】
2015223310.tif 000003
【図２】
2015223310.tif 000004
【図３】
2015223310.tif 000005
【図４】
2015223310.tif 000006
【図５】
2015223310.tif 000007
【図６】
2015223310.tif 000008
【図７】
2015223310.tif 000009
【図８】
2015223310.tif 000010
【図９】
2015223310.tif 000011
【図１０】
2015223310.tif 000012
【図１１】
2015223310.tif 000013
【図１２】
2015223310.tif 000014
【図１３】
2015223310.tif 000015
【図１４】
2015223310.tif 000016
【図１５】
2015223310.tif 000017
【図１６】
2015223310.tif 000018
【図１７】
2015223310.tif 000019
【図１８】
2015223310.tif 000020
【図１９】
2015223310.tif 000021
【図２０】
2015223310.tif 000022
【図２１】
2015223310.tif 000023
【図２２】
2015223310.tif 000024
【図２３】
2015223310.tif 000025
【図２４】
2015223310.tif 000026
【図２５】
2015223310.tif 000027
【図２６】
2015223310.tif 000028
【図２７】
2015223310.tif 000029
【図２８】
2015223310.tif 000030
【図２９】
2015223310.tif 000031
【図３０】
2015223310.tif 000032
【図３１】
2015223310.tif 000033
【図３２】
2015223310.tif 000034
【図３３】
2015223310.tif 000035
【図３４】
2015223310.tif 000036
【図３５】
2015223310.tif 000037
【図３６】
2015223310.tif 000038
【図３７】
2015223310.tif 000039
【図３８】
2015223310.tif 000040
【図３９】
2015223310.tif 000041
【図４０】
2015223310.tif 000042
【図４１】
2015223310.tif 000043
【図４２】
2015223310.tif 000044
【図４３】
2015223310.tif 000045
【図４４】
2015223310.tif 000046
【図４５】
2015223310.tif 000047
【図４６】
2015223310.tif 000048
【図４７】
2015223310.tif 000049
【図４８】
2015223310.tif 000050
【図４９】
2015223310.tif 000051
【図５０】
2015223310.tif 000052
【図５１】
2015223310.tif 000053
【図５２】
2015223310.tif 000054
【図５３】
2015223310.tif 000055
【図５４】
2015223310.tif 000056
【図５５】
2015223310.tif 000057
【図５６】
2015223310.tif 000058
【図５７】
2015223310.tif 000059
【図５８】
2015223310.tif 000060
【図５９】
2015223310.tif 000061
【図６０】
2015223310.tif 000062
【図６１】
2015223310.tif 000063
【図６２】
2015223310.tif 000064
【図６３】
2015223310.tif 000065
【図６４】
2015223310.tif 000066
【図６５】
2015223310.tif 000067
【図６６】
2015223310.tif 000068
【図６７】
2015223310.tif 000069
【図６８】
2015223310.tif 000070